(57)【要約】      （修正有）【課題】バニティミラーにおいて、照度の分布を均一にしたものを提供する。【解決手段】第１のミラー５４と、連通する第２のミラー５６を備え、１つ以上のミラー面の方に引き返して前記光を反射させることによってユーザに光を発するように、前記ミラーアセンブリ２上にまたは前記ミラーアセンブリ内に配置された光源であって、前記光源は、第１の光路の長さ方向に略沿った方向に光を発するように配置された少なくとも第１の発光ダイオードおよび第２の発光ダイオードを備える前記光源と、自然光および屋内光を含む複数の異なる照明環境を選択的にシミュレートするために少なくとも前記第１の発光ダイオードおよび前記第２の発光ダイオードの相対照度を調整するように構成された制御装置とを備えるミラーアセンブリ。【選択図】図１
2016179173.tif 000002
【特許請求の範囲】
【請求項１】
ミラーアセンブリであって、
第１のミラーと、
前記第１のミラーに横方向に隣接して配置され、ヒンジを介して前記第１のミラーと機械的に連通する第２のミラーであって、前記ヒンジは、前記第１のミラーの反射面と前記第２のミラーの反射面とが互いに複数の角度αを形成するように構成されるように、前記第１のミラーに対する前記第２のミラーの移動を可能にするように構成される前記第２のミラーと、
１つ以上のミラー面の方に引き返して前記光を反射させることによってユーザに光を発するように、前記ミラーアセンブリ上にまたは前記ミラーアセンブリ内に配置された光源であって、前記光源は、第１の光路の長さ方向に略沿った方向に光を発するように配置された少なくとも第１の発光ダイオードおよび第２の発光ダイオードを備える前記光源と、
自然光および屋内光を含む複数の異なる照明環境を選択的にシミュレートするために少なくとも前記第１の発光ダイオードおよび前記第２の発光ダイオードの相対照度を調整するように構成された制御装置と
を備えるミラーアセンブリ。
【請求項２】
前記第１の発光ダイオードは、第１の色温度の光を発し、前記第２の発光ダイオードは、第２の異なる色温度の光を発する請求項１に記載のミラーアセンブリ。
【請求項３】
前記第１の発光ダイオードは、第１の色の光を発し、前記第２の発光ダイオードは、第２の異なる色の光を発する請求項１または２に記載のミラーアセンブリ。
【請求項４】
前記制御装置は、前記光源から発せられた光の色、輝度、または色温度のうちの１つ以上をユーザが制御することを可能にする請求項１〜３のいずれか１項に記載のミラーアセンブリ。
【請求項５】
前記制御装置は、約２７００Ｋから約６５００Ｋまでの範囲内の色温度を有する前記光源からの発光をユーザが生成することを可能にする請求項１〜４のいずれか１項に記載のミラーアセンブリ。
【請求項６】
前記角度αは、約９０度から約１８０度までの範囲である請求項１〜５のいずれか１項に記載のミラーアセンブリ。
【請求項７】
前記制御装置は、前記光源と電子的に連通する静電容量式タッチセンサを備え、ユーザによって送られた情報を前記光源に送信するように構成される請求項１〜６のいずれか１項に記載のミラーアセンブリ。
【請求項８】
前記制御装置は、ユーザによって送られたコマンドを受信する請求項１〜７のいずれか１項に記載のミラーアセンブリ。
【請求項９】
前記ユーザは、コンピュータ、モバイル装置、またはＮＥＳＴ（登録商標）システムのうちの１つ以上を用いて、前記制御装置に情報を送る請求項８に記載のミラーアセンブリ。
【請求項１０】
前記コンピュータ、前記モバイル装置、または前記ＮＥＳＴ（登録商標）システムは、前記制御装置と無線通信する請求項９に記載のミラーアセンブリ。
【請求項１１】
前記コンピュータは、携帯型装置である請求項９または１０に記載のミラーアセンブリ。
【請求項１２】
送信器および受信器を備えるセンサアセンブリをさらに備え、前記センサは、前記制御装置に対して情報を中継するように構成される請求項１〜１１のいずれか１項に記載のミラーアセンブリ。
【請求項１３】
前記センサアセンブリは、筺体と、ガスケットと、カバーとを備え、前記筺体は、前記送信器および前記受信器を支持し、前記ガスケットは、前記送信器から前記受信器に対して流出する電磁波防止する前記カバーと前記筺体との間の密封性を提供する請求項１２に記載のミラーアセンブリ。
【請求項１４】
前記ミラーアセンブリは、
前記第１のミラーに横方向に隣接し、前記第２のミラーの反対側に前記第１のミラーの側上の第３のミラーであって、前記第３のミラーは、第２のヒンジを介して前記第１のミラーと連通し、前記第２のヒンジは、前記第１のミラーの反射面および前記第３のミラーの反射面が互いに角度α’を形成することができるように、前記第１のミラーに対する前記第３のミラーの移動を可能にするように構成された前記第３のミラーと、
前記第１のミラーの側に対して配置され、第２の光路に略沿った方向に光を発するように構成された第２の光源であって、前記第２の光路の長さ方向が少なくとも前記第３のミラーの周囲の一部分に隣接するように配置される前記第２の光路と
をさらに備える請求項１〜１３のいずれか１項に記載のミラーアセンブリ。
【請求項１５】
前記第１の光源は、前記第１のミラーと前記第２のミラーとの間に配置され、前記第２の光源は、前記第１のミラーと前記第３のミラーとの間に配置される請求項１４に記載のミラーアセンブリ。
【請求項１６】
前記ヒンジは、前記ヒンジの開放の間に前記第１のミラーと前記第２のミラーとの間の距離を減少させるように構成されたカムを備える請求項１〜１５のいずれか１項に記載のミラーアセンブリ。
【請求項１７】
前記光路の長さ方向に沿って配置される光散乱領域であって、前記光散乱領域は前記第１の発光ダイオードおよび前記第２の発光ダイオードの近くの低密度の光散乱素子と前記発光ダイオードから遠い高密度の光散乱素子とによる光散乱素子の勾配を有し、前記光散乱素子は、前記光路の外におよび前記ミラーアセンブリのユーザに向かって発光される前記光散乱領域に接触する光の部分を促進するように構成され、それによって、前記光パイプの長さ方向に沿って発せられる実質的に一定量の光を容易にする前記光散乱領域をさらに備える請求項１〜１６のいずれか１つのミラーアセンブリ。
【請求項１８】
旋回接合部を介して前記ヘッド部に接続されたシャフト部と、
前記ヘッド部に対する前記シャフトの遠位側において前記シャフト部に接続されるベース部であって、前記ミラーアセンブリを支持するとともに、前記ミラーアセンブリが表面上で実質的に直立することを可能にするように構成される前記ベース部と
をさらに備える請求項１〜１７のいずれか１項に記載のミラーアセンブリ。
【請求項１９】
ユーザの補助的な視界を提供するために前記ミラーアセンブリに対して可逆的に付着するように構成される補助ミラーをさらに備える請求項１〜１８のいずれか１項に記載のミラーアセンブリ。
【請求項２０】
ユーザに対して感覚合図を提供するアラーム機能をさらに備える請求項１〜１９のいずれか１項に記載のミラーアセンブリ。
【請求項２１】
前記ミラーの一部の背後に配置され、アクティブ化されたときのみ目に見えるＬＣＤスクリーンをさらに備え、前記ＬＣＤスクリーンはユーザに視覚情報を提供する請求項１〜２０のいずれか１項に記載のミラーアセンブリ。
【請求項２２】
ミラーアセンブリを製造する方法であって、
ヒンジを用いて第２のミラーセクションに対して第１のミラーセクションを連結するステップと、
前記ミラーアセンブリに対して、少なくとも第１の発光ダイオードおよび第２の発光ダイオードを備える光源であって、前記第１のミラーセクションおよび第２のミラーセクションの方に引き返して反射させるためにユーザに向けて光を発するように構成されるように前記光源を取り付けるステップと、
前記ミラーアセンブリ内に制御装置を配置するステップであって、自然光および屋内光を含む複数の異なる照明環境を選択的にシミュレートするために少なくとも前記第１の発光ダイオードおよび前記第２の発光ダイオードの相対照度を調整するように構成された前記制御装置を配置するステップと
を備え、
前記制御装置は、前記モバイル通信装置が前記ミラーアセンブリによる複数の異なる点灯状態の作動に関する１つ以上の命令を前記制御装置に提供することを可能にする方式で、モバイル通信装置と無線で通信するように構成される、ミラーアセンブリを製造する方法。
【発明の詳細な説明】
【技術分野】
【０００１】
［関連出願に対する相互参照］
この本出願は、２０１５年３月６日に「バニティミラー」と題して出願された米国特許仮出願第６２／１２９，２０５号に対する優先権を主張し、参照によってその内容全体を本明細書に援用する。
【０００２】
本開示は、ミラーなどの反射装置に関する。
【背景技術】
【０００３】
バニティミラーは、身繕い、身仕舞い、美容ケア、または同種のものの間にユーザの画像を反射するために典型的に用いられるミラーである。バニティミラーは、自立型ミラー、ハンドヘルド型ミラー、化粧テーブルに接続されたミラー、壁鏡、自動車ミラー、および／または、電子画面または電子装置に取り付けられるミラー若しくは電子画面または電子装置によって生成されるミラーなど、様々な構成のものがある。
【発明の概要】
【発明が解決しようとする課題】
【０００４】
多くのバニティミラーは、例えば低品質の反射面、粗悪な光源、および／または光の不均等な分布のために、反射画像を歪める。さらに、従来のバニティミラーの光源は、典型的には非効率的なエネルギーである。さらに、従来のバニティミラーの光源は、調節可能でないか、または、効率的に調整するのが困難である。
【課題を解決するための手段】
【０００５】
いくつかの実施形態において、ミラーシステムは、第１のミラーアセンブリと、第１のミラーアセンブリの反射面および第２のミラーアセンブリの反射面が互いに複数の角度αを形成するように構成されるように、第１のミラーアセンブリに横方向に隣接して配置されるとともに、第１のミラーアセンブリに対する第２のミラーアセンブリの移動を可能にするように構成された旋回部材を介して第１のミラーアセンブリに機械的に連通する少なくとも第２のミラーアセンブリとを備えるヘッドを備える。いくつかの実施形態において、ミラーシステムは、第１のミラーアセンブリの横側上にまたは横側に配置された少なくとも１つの光源であって、個別の色温度を有するとともに、第１の光路の長さ方向（第１の光路の長さ方向が少なくとも第２のミラーアセンブリの周囲の一部分に隣接するように第１の光路が配置される）に略沿った方向に光を発するように配置された複数の発光源（例えば、少なくとも第１の発光ダイオードおよび第２の発光ダイオード）を備える光源と、第１の発光ダイオードおよび第２の発光ダイオードの相対照度を調整するように構成された制御装置とを備えることができる。
【０００６】
いくつかの実施形態において、光輝度または光温度またはバッテリーレベルなどのミラーシステムの１つ以上の電子的な機能または設定または特性は、ワイヤレス通信プロトコルおよび／またはモバイル電子装置上のソフトウェアモジュールまたはアプリを用いることなどを通じて、モバイル電子装置によって遠隔的に観察され、選択され、および／または調整されることができる。
【０００７】
いくつかの実施形態は、ヘッドを備えるミラーアセンブリまたはミラーのシステムを提供する。いくつかの実施形態において、ヘッドは、第１のミラー／第１のミラーアセンブリを備える。いくつかの変形において、ヘッドは、第１のミラーアセンブリに隣接して配置された第２のミラー／第２のミラーアセンブリをさらに備える。ある実施態様において、第２のミラーは、第１のミラーアセンブリに横方向に隣接して配置される。いくつかの変形において、第１のミラーアセンブリおよび第２のミラーアセンブリは、ヒンジを介して第１のミラーに機械的に連通する。いくつかの変形において、ヒンジは、第１のミラーアセンブリの反射面および第２のミラーアセンブリの反射面が互いに複数の角度（例えばα）を形成するように構成されるように、第１のミラーアセンブリに対する第２のミラーアセンブリの移動を可能にするように構成される。様々な実施形態において、第１のミラーアセンブリおよび第２のミラーアセンブリの（またはその反射面の）角度αは、約９０度から約１８０度の範囲を有する。
【０００８】
以上に記載された実施形態、または本明細書に別記されるいくつかの実施形態は、以下の機能の１つ以上を含むことができる。
【０００９】
ミラーシステムの一部の実施態様は、光源をさらに備える。いくつかの実施形態において、光源は、第１のミラーアセンブリの横側上に配置される。いくつかの変形において、光源は、発光ダイオードを備える。いくつかの実施形態において、光源は、第１の光路の長さ方向に略沿った方向に光を発するように配置された第１の発光ダイオードおよび第２の発光ダイオードを備える。いくつかの変形において、第１の光路の長さ方向が少なくとも第２のミラーアセンブリの周囲の一部分に隣接するように、第１の光路は配置される。
【００１０】
いくつかの実施態様において、ミラーアセンブリ／システムは、自然光および屋内光を含む複数の異なる照明環境を選択的にシミュレートする、第１の発光ダイオードおよび第２の発光ダイオードの相対照度を調整するように構成された制御装置を備える。複数の変形において、第１の発光ダイオードは、第１の色温度の光を発し、第２の発光ダイオードは、第２の異なる色温度の光を発する。一部の実施形態において、第１の発光ダイオードは、第１の色の光を発し、第２の発光ダイオードは、第２の異なる色の光を発する。
【００１１】
一部の実施形態において、制御装置は、光源から発せられた光の色、輝度、または色温度のうちの１つ以上をユーザが制御することを可能にする。いくつかの変形において、制御装置は、約２７００Ｋから約６５００Ｋまでの範囲内の色温度を有する光源から発光をユーザが生成することを可能にする。
【００１２】
一部の変形において、制御装置は、光源と電子的に連通する静電容量式タッチセンサを備え、ユーザによって送られた情報を光源に送信するように構成される。いくつかの実施形態において、制御装置は、ユーザによって送られたコマンドを受信する。一部の変形において、ユーザは、コンピュータ、モバイル装置、またはＮＥＳＴ（登録商標）システムのうちの１つ以上を用いて、制御装置に情報を送ることができる。いくつかの実施形態において、コンピュータ、モバイル装置、またはＮＥＳＴ（登録商標）システムは、制御装置と無線通信する。一部の変形において、コンピュータは、携帯型装置（例えばスマートフォンまたは同種のもの）である。
【００１３】
いくつかの実施態様において、ミラーシステム／ミラーアセンブリは、送信器を備えるセンサアセンブリをさらに備える。いくつかの実施形態において、ミラーシステム／ミラーアセンブリは、受信器を備えるセンサアセンブリをさらに備える。いくつかの変形において、センサは、制御装置に対して情報を中継するように構成される。
【００１４】
いくつかの実施態様において、センサアセンブリは、筺体、ガスケット、およびカバーのうちの１つ以上を備える。いくつかの変形において、筺体は、送信器および／または受信器を支持する。一部の実施形態において、ガスケットは、カバーと筺体との間の密封性を提供する。いくつかの変形において、ガスケットは、信号（例えば電磁波）が送信器から受信器に流出するのを防ぐ。
【００１５】
いくつかの実施態様において、ミラーアセンブリまたはミラーシステムは、第３のミラー／第３のミラーアセンブリをさらに備える。いくつかの実施形態において、第３のミラーアセンブリは、第１のミラーアセンブリまたは第２のミラーアセンブリに対して横方向に隣接する。いくつかの変形において、第３のミラーアセンブリは、第２のミラーアセンブリの反対側の第１のミラーアセンブリの側上に配置される。いくつかの実施形態において、第３のミラーアセンブリは、ヒンジを介して第１のミラーアセンブリまたは第２のミラーアセンブリと連通する。いくつかの実施形態において、ヒンジは、第１のミラーの反射面および第３のミラーの反射面が互いに角度α’を形成することができるように、第１のミラーに対する第３のミラーアセンブリの移動を可能にするように構成される。
【００１６】
いくつかの変形において、ミラーシステムは、第２の光源を備える。いくつかの実施態様において、第２の光源は、第１のミラーアセンブリの側に対して配置され、第２の光路に略沿った方向に光を発するように構成される。複数の変形において、第２の光路の長さ方向が少なくとも第３のミラーアセンブリの周囲の一部分に隣接するように、第２の光路は配置される。
【００１７】
いくつかの実施態様において、第１の光源は、第１のミラーアセンブリと第２のミラーアセンブリとの間に配置され、第２の光源は、第１のミラーアセンブリと第３のミラーアセンブリとの間に配置される。
【００１８】
いくつかの変形において、ヒンジが備えられる場合、ヒンジは、カムを備える。一部の実施態様において、ヒンジは、ヒンジの開放の間にミラーアセンブリ間の距離を減少させるように構成される。
【００１９】
一部の実施態様において、ミラーアセンブリは、光路の長さ方向に沿った配置された光散乱領域をさらに備える。一部の実施態様において、光散乱領域は、光散乱素子（light scattering elements）の勾配を有する。いくつかの実施形態において、勾配は、１つ以上の発光ダイオードに近い低密度の光散乱素子と、発光ダイオードから遠い高密度の光散乱素子を有する。いくつかの実施形態において、光散乱素子は、光路の外におよびミラーアセンブリのユーザに向かって発光される光散乱領域に接触する光の部分を促進するように構成される。一部の実施形態において、この発光は、実質的に一定の光量が光路の長さ方向に沿って発せられることを容易にする。
【００２０】
様々な実施形態において、ミラーアセンブリまたはミラーシステムは、ヘッド部に接続されたシャフト部をさらに備える。いくつかの実施形態において、ヘッド部およびシャフト部は、シャフトに対するヘッドの移動を可能にする接合部によって接続される。いくつかの実施形態において、接合部は、旋回接合部である。
【００２１】
いくつかの実施形態において、ミラーシステムは、ベース部をさらに備える。いくつかの実施態様において、ベース部は、ヘッド部に対するシャフトの遠位側において、シャフト部に接続される。一部の変形において、ベース部は、ミラーアセンブリを支持するとともに、ミラーアセンブリが表面上で実質的に直立することを可能にするように構成される。
【００２２】
いくつかの変形において、ミラーシステムは、補助ミラーを備える。いくつかの実施形態において、補助ミラーはユーザの補助的な視界を提供するために１つ以上のミラーアセンブリに可逆的に付着するように構成される。いくつかの実施形態において、ミラーアセンブリは、（補助ミラーが使用中のでないときに）補助ミラーをユーザの見えない所に格納することを可能にする格納スロット、ポートなどを有する。
【００２３】
一部の実施形態において、ミラーアセンブリは、ユーザに対して感覚的な合図を提供するアラーム機能を備える。いくつかの実施形態において、ミラーアセンブリは、反射ミラー面の部分の背後に配置されたＬＣＤスクリーンを備える。いくつかの実施態様において、ＬＣＤは、作動させられたときにのみ目に見える。複数の変形において、ＬＣＤスクリーンは、ユーザに視覚情報を提供する。
【００２４】
一部の実施形態は、ミラーアセンブリを製造する方法を備える。いくつかの実施形態において、方法は、第２のミラーセクションに対して第１のミラーセクションを結合するステップを備える。いくつかの実施形態において、第１のミラーセクションおよび第２のミラーセクションは、ヒンジを用いて接続される。いくつかの変形において、方法は、１つ以上の発光ダイオードを備える光源をミラーセクションの側に配置するステップを備える。いくつかの実施形態において、方法は、ミラーアセンブリの１つ以上の機能（例えば第１の発光ダイオードおよび第２の発光ダイオードの相対照度）を調整するように構成された制御装置をミラーアセンブリ内に配置するステップを備える。制御装置は、モバイル通信装置がミラーアセンブリによる複数の異なる点灯状態の作動に関する１つ以上の命令を制御装置に提供することを可能にする方式で、モバイル通信装置と無線で通信するように構成されることができる。
【００２５】
本明細書に開示されるミラーシステムおよびミラーアセンブリの機能は、一部の実施形態の図面を参照しながら以下に記載される。図示する実施形態は、本開示を説明するように意図されるが、但し限定はされない。これらの図面において示されるような各コンポーネントの比率、相対寸法、およびサイズは、この明細書をサポートする開示の一部を形成するが、このような比率、寸法、またはサイズの範囲がいずれか個々の特許請求の範囲に含まれる場合を除いて、この明細書の範囲に限定されるべきではない。図面は、以下の図を含む。
【図面の簡単な説明】
【００２６】
【図１】ミラーアセンブリの実施形態の斜視図を示す。
【図２】図１の実施形態の正面図を示す。
【図３】図１の実施形態の側面図を示す。
【図４】図１の実施形態の側面図を示す。
【図５】図１の実施形態の平面図を示す。
【図６】図１の実施形態の下面図を示す。
【図７】図１の実施形態の背面図を示す。
【図８】ミラーアセンブリの実施形態の分解組立図を示す。
【図９】取り外された反射面を伴うミラーアセンブリの実施形態の部分的に分解された後面斜視図を示す。
【図１０】取り外された反射面を伴うミラーアセンブリの実施形態の部分的に分解された前部斜視図を示す。
【図１１】ミラーアセンブリの実施形態の部分的に分解された投射正面図を示す。
【図１２】図１の実施形態の構成を示す。
【図１３】図１２の構成の側面図を示す。
【図１４Ａ】図１２の実施形態の断面平面図を示す。
【図１４Ｂ】図１２の実施形態の断面平面図を示す。
【図１４Ｃ】図１２の実施形態の断面平面図を示す。
【図１５】部分的に取り外された図１２の実施形態の図を示す。
【図１６】図１５の実施形態の正面図を示す。
【図１７】図１５の実施形態の分解組立図を示す。
【図１８】図１０の実施形態の拡大図を示す。
【図１９】図１の実施形態の部分的に分解された拡大図を示す。
【図２０】センサアセンブリの図を示す。
【図２１】取り除かれた反射面を伴うミラーアセンブリの実施形態の斜視図を示す。
【図２２】図１の実施形態の分割図を示す。
【図２３】図１の実施形態の分割図を示す。
【図２４Ａ】取り付けられた補助ミラーを有するミラーアセンブリの実施形態の図を示す。
【図２４Ｂ】取り付けられた補助ミラーを有するミラーアセンブリの実施形態の図を示す。
【図２４Ｃ】取り付けられた補助ミラーを有するミラーアセンブリの実施形態の図を示す。
【図２４Ｄ】取り付けられた補助ミラーを有するミラーアセンブリの実施形態の図を示す。
【発明を実施するための形態】
【００２７】
このコンテキストにおいて特定の有用性を有するように、ポータブルで且つ自立型のバニティミラーとの関連においてミラーアセンブリの一部の実施形態が開示される。但し、本開示の様々な態様は、壁掛け式のミラー、家具の上に取り付けられたミラー、自動車のバニティミラー（例えばサンバイザーに設置されるミラー）、および他のものなどの他の多くのコンテキストにおいて同様に用いられることができる。本明細書に記載される機能は、どれも必須でないし、または不可欠でもない。各種のバニティミラーは、２０１３年９月１２日に公開された米国特許出願公開第２０１３／０２３５６１０号明細書において提供され、その開示するものすべては参照によってその内容全体を本明細書に援用する。この明細書のいかなる場所で開示された、あらゆる機能、構造、またはステップは、米国特許出願公開第２０１３／０２３５６１０号明細書を含む、この明細書に別に開示された他の機能、構造、またはステップによって置換されることができるし若しくは組み合わされることができる。本明細書に開示されるあらゆる機能、構造、またはステップを、省略することができる。図示する例は、本明細書で用いられる数字によって示される機能を含むが、これらの機能は、すべての実施形態において存在する必要はない。さらに、本開示を概説する目的のために、本発明の一部の態様、有利性、および機能が本明細書に記載されている。但し、すべての実施形態が、それらの態様、有利性、および機能のいずれかまたはすべてを含む若しくは実現するとは限らない。
【００２８】
多くのバニティミラーは、例えば低品質の反射面、粗悪な光源、および／または光の不均等な分布のために、反射画像を歪める。さらに、従来のバニティミラーの光源は、典型的には非効率的なエネルギーである。さらに、従来のバニティミラーの光源は、調節可能でないか、または、効率的に調整するのが困難である。
【００２９】
本明細書に開示の一部の実施形態は、ミラーアセンブリ２に関する。図１〜図６に示されるように、ミラーシステムまたはアセンブリ２は、ミラー５０などの視覚画像反射面を含むことができる。一部の実施形態において、ミラーシステムまたはアセンブリ２は、筺体部１０を備える。図３および図４に示されるように、筺体部１０は、ヘッド部４０、シャフト部３０、および／またはベース部２０を含むことができる。いくつかの実施態様において、筺体部１０は、ヘッド部４０とシャフト部３０とを接続する旋回部３２を含むことができる。一部の実施形態において、ミラーシステムまたはアセンブリ２は、１つ以上の光源を備える。
【００３０】
いくつかの実施形態において、筺体部１０の一部の構成部品は、一体的に形成されるかまたは個別に形成され、筺体部を形成するために相互に接続することができる。筺体部１０は、プラスチック、金属（例えばステンレス鋼、アルミニウムなど）複合材、または他の適切な材料を備えることができる。
【００３１】
いくつかの実施形態において、ヘッド部４０は、ミラー５０を備える。一部の変形において、ヘッド部は、必要に応じてミラー面を備える単一のセクション／アセンブリまたは複数のセクション／アセンブリ（例えば、２、３、４、または５以上のセクション）を備える。図１〜図７にまとめて示されるように、いくつかの実施態様において、ヘッド部４０は、中央ミラー面５２と１以上の側面に位置する追加セクション（例えば二次セクション／二次アセンブリ）を備える中央セクション４２（例えば一次セクション／一次ミラーアセンブリ）を備える。いくつかの変形において、図１に示されるように、ヘッド部４０は、第１のサイドミラー面５４を備える左セクション４４（例えば第１の付加セクション）と、第２のサイドミラー面５６を備える右セクション４６（例えば第２の付加セクション）とを備えることができる。いくつかの実施形態において、図示されるように、中央ミラー面５２は、個々の第１のサイドミラー面５４または第２のサイドミラー面５６のいずれかよりも大きな表面領域（例えば、広大な）および／または、よりも大きな幅を有する。いくつかの実施形態において、図示されたように、中央ミラー面５２は、ミラーアセンブリ２を用いると予想される目標母集団の平均的な人間の顔と少なくとも同じくらい広い幅を有し、第１のサイドミラー面５４および第２のサイドミラー面５６の各々は、ミラーシステムまたはアセンブリ２を用いると予想される目標母集団の平均的な人間の顔の幅より小さい幅を有する。いくつかの実施形態において、中央ミラー面５２は、少なくとも約４インチ、約５インチ、約６インチ、約７インチ、または約８インチの幅を有する。いくつかの変形において、第１のサイドミラー面５４および第２のサイドミラー面５６は、少なくとも中央ミラー面５２の幅の約９０％、約８０％、約７０％、約６０％、約５０％、約４０％、約３０％、約２０％、または約１０％。の幅を別々に有する。図示されるように、いくつかの実施形態において、ミラーセクション（例えばミラー面５２、５４、５６）の各々の上下高さは、ほぼ同じになり得る。図１のミラーアセンブリ２が付加セクション４４、４６（例えばミラー面）の１つ以上に対して（またはその間に）横方向に隣接する中央セクション４２を備えるが、この構成は、単なる例証であり、他の構成およびセクション位置が可能であるということを認識するべきである。例えば、一部の変形において、中央セクションは、頂部、底部、側面、および／または対角線の方向に対して１つ以上のセクションを有することができる。いくつかの実施形態において、中央のミラーは必要ではなく、代替的な構成（例えば、並列および上下）も可能である。
【００３２】
図８において示されるように、セクションは、支持フレームおよび／またはバッキングをさらに備えることができる。例えば、中央セクション４２は、中央ミラー面５２、支持フレーム４１ａ、および支持バッキング４１ｂのうちの１つ以上を備えることができる。いくつかの変様において、左セクション４４は、ミラー面５４、支持フレーム４３ａ、および支持バッキング４３ｂのうちの１つ以上を備えることができる。一部の実施形態において、右セクション４６は、ミラー面５６、支持フレーム４５ａ、および支持バッキング４５ｂのうちの１つ以上を備えることができる。これらのフレームおよびバッキングは、個々のセクションおよびミラー面に対して、付加的な安定性および／または剛性を提供することができる。フレームおよびバッキングは、また、電子部品およびミラーアセンブリ２の他の装置（例えば光源）を支持し、且つ所定の位置にそれらを保持する母型を提供することができる。いくつかの実施形態において、フレーム４１ａ、４３ａ、４５ａ内の母型は、内部コンポーネントのための放熱器として動作する。一部の変形において、セクション４２、４４、４６は、フレームおよびバッキングを有しないミラー面を備える。一部の変形において、各セクションは、１つまたは複数のミラーを取り付けることができるプラットホームを備えることができる。いくつかの実施形態において、ヘッド部は、付加セクションを有しない単一のセクションを備えることができる。
【００３３】
いくつかの変形において、ヘッド部４０は、熱発生機能（例えば、光源、トランジスタ、メモリコンポーネント、電源など）からの熱エネルギーを能動的および／または受動的に放散する、移送する、または発散するための１つ以上のメカニズムを備える。いくつかの実施形態において、図８に示されるように、ミラーアセンブリは、ファン７２などの能動的な放熱器を備えることができる。いくつかの実施形態において、図８および図９に示されるように、ミラーアセンブリは、ベント７５などの受動的な放熱器を備えることができる。一部の実施態様において、図１０および１１において示されるように、ミラーアセンブリ２は、１つ以上の受動的に熱を放散する放熱構造７６（例えば、壁、リブ、ブレード、リッジなど）を備えてもよい。いくつかの実施態様において、放熱構造７６は、１つ以上のミラーアセンブリ機能に対する付加的な構造の支持体を備える。いくつかの実施形態において、放熱構造７６は、熱を効率的に導くとともに、ミラーアセンブリ２内の熱に弱い電子部品を避けるために薄い表面上に大きな表面領域を提供するために、１つの次元において概して比較的長く、別の次元において概して比較的広く、別の次元において概して比較的狭い１つ以上の構成部品を含むことができる。例えば、受動的な熱放散構造の長さ方向は、熱放散構造の幅よりも実質的に大きくすることができ、熱放散構造の幅は、その厚さよりも実質的に大きくすることができる。
【００３４】
熱放散構造は、熱発生機能によって発生されたミラーアセンブリから熱を取り除くのを支援するために、アルミニウムまたは鋼などの高熱伝導率の材料から形成されることができる。銅または黄銅などの他の多くの熱放散材料を用いることができる。能動的な熱放散のためには、プラスチックおよび他の非導電性の材料が適切である。
【００３５】
いくつかの実施形態において、ヘッド部４０は、熱放散構造（例えばファン７２）を受け入れるためのミラーアセンブリ２のヘッド部４０に配置される区画７０を含むことができる。
【００３６】
いくつかの実施形態において、放熱構造７６または放熱構造の一部は、電力を要するミラーアセンブリ２機能（例えば、光源、ファン、回路など）に対して電気を導通するように構成される。この電気導通は、必要な構成部品の総数を減少させる。いくつかの実施形態において、熱放散構造７２、７６は、導管７３ａ（例えばワイヤ）を介して電源７４（例えば、バッテリパック、電気コンセントなど）および／または回路基板に対して電気的に接続されることができる。いくつかの実施形態において、電源７４は、ファン７２に対して電力および信号を提供する。いくつかの実施形態において、他の電子部品は、導管を介して電源および／または制御システムに接続されることができる。例えば、一部の変形において、ミラーアセンブリ２のための光源６０は、導管７３ｂ（例えばワイヤ）を介して電気的に接続されることができるか、または電源７４（例えばバッテリパックなど）に対して機能（例えば、フレームまたはバッキングの導電性の部分）を導通することができる。いくつかの実施形態において、光源６０は、電力の他にも、光源６０に対して信号および／またはデータを提供する回路基板を介して電源に接続することができる。
【００３７】
いくつかの実施形態において、熱発生部品（例えば光源６０など）の温度は、熱放散構造を用いて、華氏約７０度以下になるように制御することができる。いくつかの実施形態において、光源６０の温度は、熱放散構造を用いて、華氏約５０度と６０度との間になるように制御することができる。一部の実施態様において、能動的な熱放散構造は、一定の温度（例えば、少なくとも華氏約７０度、８０度、９０度、１００度、１２０度、１４０度など）が一旦実現されれば、光源から熱を自動的に放散するように回路基板および処理装置によって制御することができる。いくつかの実施形態において、ファン７２は、一定の温度以上の熱を放散するように（例えば、アルゴリズム、制御装置などによって）制御される。
【００３８】
いくつかの実施形態において、セクションの１つ以上は、様々な開いた位置または閉じた位置などに、独立的に調節可能、または、他のセクションの１つ以上に対して、連結可能、もしくは、回転可能である。完全に開いた位置は、例えば、隣接するミラーセクションの１つ以上のミラー面が、約１８０度以上であるα角度（またはα’）を形成する所（例えば、隣接するミラー面の各々が実質的に同一平面上になるように、実質的に同一平面上の若しくは互いに鈍角を形成する隣接するミラー面）に存在することができる。部分的に開いた位置は、例えば、隣接するミラーセクションの１つ以上の表面が、約９０度以上で且つ約１８０度未満であるα角度を形成する所に存在することができる。部分的に閉じた位置は、例えば、隣接するミラーセクションの１つ以上の表面が、約１０度超で且つ約９０度未満であるα角度を生成する所に存在することができる。完全に閉じた位置は、例えば、格納モード、コンパクトモード、または走行モードなどにおいて、隣接するミラーセクションの１つ以上の表面が、約１０度以下であるα角度を生成する所に存在することができる。いくつかの実施形態において、ミラーアセンブリ２は、完全に開いた位置、部分的に開いた位置、部分的に閉じた位置、および／または完全に閉じた位置のうちのいずれか１つまたはいずれかの組み合わせにおいて、および／またはその間において、方向付けられる若しくは配置されるように備える若しくは構成することができる。「開かれた」位置は、「完全に開かれた」位置と「部分的に開かれた」位置の両方を包含し、「閉じた」位置は、「完全に閉じた」位置と「部分的に閉じた」位置の両方を包含する。いくつかの実施形態において、図示されるように、少なくとも２つのミラーセクションが互いに部分的に開いているか若しくは部分的に閉じている場合、ミラーアセンブリ２は、ユーザの頭部または顔の側部または後部（ユーザがミラーアセンブリ２の前方に直面している場合、実質的に平面的な方位若しくはミラーアセンブリ２の完全に開いた位置では通常は見えないであろう光景）をユーザが見ることを可能にするように構成される。一部の実施態様において、左セクション４４および右セクション４６は、閉じた位置または開いた位置に独立的にまたは協同的に配置されることができる。一部の実施形態において、図１および図１２に示されるように、ヘッド部４０のセクション４２、４４、４６は、独立的に調節可能である。いくつかの実施形態において、ヘッド部のセクションは、協同的に調節可能であり、例えば、中央セクションに対する角度αに左セクションが移動されるにつれて、右セクションは、ほぼその同一角度αに対して自動的に移動する。いくつかの実施形態において、セクション４２、４４、４６は、シャフト部３０、ベース部２０のうちの１つ以上に対して、および／または他のヘッド部セクションに対して、独立的に配置可能であり且つ移動可能である。
【００３９】
一部の変形において、図示されるように、セクション４２、４４、４６の２つ以上は、１つ以上の移動可能な取り付け機構（例えば、ヒンジ、ボールジョイント、入れ子式アーム、または同種のもの）を介して相互に接続される。例えば、図１４Ａ〜図１４Ｃに示されるように、中央セクション４２などの第１のセクションは、１つ以上のヒンジ９０を介して左側セクション４４などの第２のセクションに、および１つ以上の右側ヒンジ９０を介して右側セクション４６に接続されることができる。図１５〜図１７（ここで図１７は分解組立図である）は、取り外されたセクション４４を伴うミラーアセンブリ２の実施形態を示し、ヒンジ９０の一部の機能を図示する。いくつかの実施態様において、図１４Ａ〜図１７に示されるように、ヒンジ９０は、取り付け器具９１（例えば上面板など）を介して所定の位置に固定される（例えば、ねじ留めされる、ボルト締めされる、接着される、リベット締めされる）ことができる。一部の変形において、取り付け器具は、（例えば、支持体およびフレームの機能が存在しない実施形態においては）フレーム、支持バッキング、および／またはミラー面の１つ以上に対してヒンジを直接的に固定する。図１４〜図１７に示されるように、いくつかの実施形態において、ヒンジは、１つのセクションの支持フレーム、バッキング、またはミラーを係合することができるとともに、別のセクションの支持フレーム、バッキング、またはミラーに対してそれを接続することができる上面板９１を備える。
【００４０】
いくつかの実施形態において、図１５〜図１７に示されるように、補助的な支持器具５７（例えば、タブ、スイベルなど）は、側部セクション４４、４６に対して付加的な安定化機能を提供する。いくつかの実施形態において、支持器具５７は、ヒンジ上の負荷を低減することによってヒンジの寿命を延ばす。
【００４１】
いくつかのアセンブリにおいて、取り付け機構（例えば、１つ以上のヒンジ、支柱、スライダ、接合部など）および／または補助的なサポート要素は、セクション４２、４４、４６の互いの移動に対する（例えば、ゴム、プラスチックガスケット、歯、または他の方法によってもたらされる摩擦力および／または牽引力による）抵抗力を提供する。一部の変形において、この抵抗力（例えば剛性）は、１つ以上のサイドミラー面５４、５６または中央ミラー面５２をユーザが調整若しくは移動させた後、１つ以上のサイドミラー面５４、５６および／または中央ミラー面５２がそのまま留まるように、サイドミラー面５４、５６および中央ミラー面５２の１つ以上の位置決めのための微調整または移動をユーザが行なうことを可能にする。一部の実施態様において、ユーザの特定の特徴を見るために、ユーザは、ミラー面の１つ以上を所望の角度に配置することができる。この配置可能性は、ユーザが身繕いの間に見ることが難しい特徴を可視化することを可能にする。いくつかの実施形態において、ヒンジは、セクションの１つ以上の移動を防ぐために所定の位置に一時的にロックされることができる。いくつかの実施形態において、ヒンジは、複数のプリセット位置を有する。一部の実施態様において、取り付け機構の１以上は、ダンパを備えることができるか、またはダンパに機能的に接続することができる。いくつかの変形において、ダンパは、取り付け機構の移動を抑制する（例えば、速度を落とす、圧迫する、鈍化させる、など）。いくつかの変形において、ダンパは、ミラーセクションの１つ以上を、ゆっくりと、静かに、および／または制御された方法で１つ以上のプリセット位置（例えば、開いた位置、閉じた位置、および中間の位置）に移動することを可能にする。いくつかの実施形態において、ミラーセクションがプリセット位置の１つ以上に移動するか通り過ぎるとともに、可聴若しくは触知可能なクリックまたはバンプまたは瞬間の停止または移動に対する抵抗力の増加が生じる。一部の変形において、ダンパは、プリセット位置（例えば、開いた位置、閉じた位置など）にミラーセクションが不意に激突するのを防ぐ。いくつかの実施形態において、ミラーセクションがヒンジの軸のあたりで移動するにつれて、ダンパはミラーセクションの振動を減少させる。いくつかの実施態様において、ダンパは、中央ミラーとサイドミラーとを接続するシャフトの部分に沿って配置される。
【００４２】
一部の実施態様において、上述のように、隣接するミラーセクション（例えば５２と５４、または５２と５６）は、互いに角度αに独立的に調節可能である。例えば、ヘッド部の隣接するセクション（および／またはミラー面）は、開いた位置または１つ以上の閉じた位置に配置されることができる。例えば、図１は、開位置（例えば隣接するミラー面中央ミラー面５２が左のミラー面５４および右のミラー面５６に対して最大角αである場合）におけるミラーアセンブリの実施形態を示す。図１２は、部分的に閉じた位置（例えばミラーセクションの１つ以上が完全に開いた位置にある場合より小さいα角度を形成する場合）における図１のミラーアセンブリを示す。図１２は、中央のミラーセクション５２および右のミラーセクション５６が少なくとも部分的に閉じており、中央のミラーセクション５２および左のミラーセクション５４が開いた位置にある場合の図を示す。
【００４３】
一部の変形において、隣接するミラー面は、約１８０度、約１７０度、約１６０度、約１５０度、約１４０度、約１３０度、約１２０度、約１１０度、約１００度、約９０度、約８０度、約７０度、約６０度、前述の値の範囲、または他の値以下のα角度に配置されることができる。一部の実施形態において、開いた位置は、約１８０度を超える角度αになり得る。いくつかの変形において、隣接するミラーは、約４５度と約１８０度との間、約９０度と約１８０度との間、または１２０度と約１８０度との間の範囲内の角度αに、互いに配置されることができる。いくつかの変形において、隣接するミラーは、約４５度と約９０度との間、約９０度と約１２０度との間、約１２０度と約１３０度との間、約１３０度と約１４０度との間、約１４０度と約１５０度との間、約１５０度と約１６０度との間、約１６０度と約１７０度との間、または約１７０度と約１８０度との間の範囲内の角度αに、互いに配置されることができる。いくつかの実施形態において、異なる、離散的で、プリセットされたα角度の位置は、ユーザが１つのプリセット位置からのミラーを促すときにミラー面が次のプリセット位置に滑り込むように選択することができる。いくつかの実施形態において、ミラー面は複数（例えば、１、２、３、４、５、または６以上）のプリセット位置を有する。
【００４４】
例えば、図１４Ｂに示されるように、いくつかの変形において、ヒンジ９０は、また、隣接するミラーセクション間の非常に小さなギャップまたは実質的には存在しないギャップ距離を提供しながら「目に見えない」引っ込めて取り付けられた回転可能なヒンジを並行してまたは同時に提供する位置決めアセンブリまたはシステムを備える。例えば、図示されるように、位置決めアセンブリまたはシステムは、いくつかの実施形態においてカム９２を含む回転アセンブリと、いくつかの実施形態において１つ以上のミラーアセンブリの少なくとも２つの支持部品間の摺動関係を含む平行移動または直線移動アセンブリとを備えることができる。例えば図１および図２に示されたように、（例えば、ミラー面の背後に配置された）「目に見えない」または引っ込めて取り付けられたヒンジは、複数のミラーセクションを、それらの間に注意をそらす視覚的障害が極めて小さい若しくは実質的にないように、互いに隣接して配置することを可能にすることができる。対照的に、１つ以上のミラー面と同じ高さに若しくは同一平面上に若しくはその前にヒンジアセンブリが備えられる場合、またはいくつかの実施形態のように、正面視におけるヒンジアセンブリを露呈するためにミラー面の１つ以上に刻み目がつけられるか若しくはその他のものが成形される場合、ミラーシステムのユーザは、ヒンジアセンブリに対するミラーの観察面の一部を失うことになる。しかしながら、ヒンジアセンブリが引っ込めて取り付けられているか若しくはミラー面の背後に配置されるミラーシステムにおいて、隣接するミラー面間の著しく視覚的に注意をそらすギャップは、互いに回転する隣接するミラー面の１つ以上のエッジのためのクリアランスを提供するために通常必要となる。いくつかの実施形態は、図１４Ａ〜図１４Ｃに示されたように、同時に引っ込めて取り付けられているか若しくは「目に見えない」ヒンジと、隣接するミラーセクション間の極めて小さいか若しくは実質的には存在しないギャップとを備えるように構成することができる。いくつかの実施形態において、図示されるように、隣接するミラー面が傾斜若しくは回転の方位にある場合よりも、完全に開かれた場合（例えば、隣接するミラー面の２つ以上が約１８０度の角度を形成する場合）は、隣接するミラーセクション間のギャップは、さらに小さくなり得る。いくつかの実施形態において、図示されるように、完全に開かれた場合の隣接するミラーセクション間のギャップまたは継ぎ目は、ミラーセクションのいずれか若しくは両方の反射部の前後方向のほぼ厚さ以下になり得る。例えば図１４Ｂに示されるように、回転アセンブリおよび平行移動アセンブリ若しくは直線移動アセンブリの両方は、ミラーシステムの筺体内に配置されることができ、および／または近くに隣接して若しくは互いに隣接して配置されることができ、および／またはミラー面の背後に配置されることができ、および／または隣接するミラーセクションの方位の少なくとも１つ以上のステージの間に互いに直接接触して配置されることができる。いくつかの実施形態において、図示されるように、回転アセンブリの回転軸は、平行移動アセンブリまたは直線移動アセンブリの平行移動の方向に対して平行でないようにできるし、または概して垂直にすることができる。
【００４５】
一部の実施態様において、少なくとも回転アセンブリ（カム９２）の一部は、隣接するミラー面（例えば５２および５４）が、ヒンジ９０のオペレーション（例えばヒンジの開閉）の間に互いに近接して留まることを可能にする。例えば、図１４Ａ〜図１４Ｃに示されるように、ヒンジ９０が開かれる（例えば、小さな角度から大きな角度にされる）とき、カム９２は、回転のためのミラー面を適切に整列若しくは配置してミラー面９６間の距離を最小化して、中央ミラー面５２に対して平行移動アセンブリまたは直線移動アセンブリを介してサイドミラー面５４が横方向に内側または外側に移動することを可能にすることができる。逆に、ヒンジが閉じているとき（例えば、ミラー面が大きな角度から小さな角度にされる場合）、カム９２は、ミラー面が極小の継ぎ目９６（例えば極小のギャップ）を維持するように、中央ミラー面５２に対して近接に留まる（例えば密接に連結されて留まる）ようにサイドミラー面５４を促す。
【００４６】
いくつかの実施形態において、ミラーアセンブリ２が完全に開いた位置、および／または傾斜若しくは閉じた位置にある場合（例えば、サイドミラー面が中央ミラー面に対して１８０度より小さい角度の位置に配置された場合）、ユーザは、中央ミラー面５２と隣接するサイドミラー面５４、５６との間のギャップまたは継ぎ目９６を、即座に知覚することができない（例えば、見えないか、またはミラーシステムにおけるユーザの視界をそらす若しくはかなり遮る形で見えない）。図示されるように、いくつかの実施形態において、第１の位置におけるいずれか２つの隣接するミラー間の継ぎ目９６の幅βが、第２の位置における継ぎ目９６の幅β’とは異なる。例えば、実質的に完全に開かれたか若しくは実質的に平面的な位置にあるいずれか２つの隣接するミラー間の継ぎ目９６の幅βは、傾斜若しくは非平面的な位置にある継ぎ目９６の幅β’より小さくすることができる。いくつかの実施形態において、ミラーアセンブリが完全に開いた位置または閉じた位置（例えばβ＝β’）にある場合、サイドミラーと中央ミラーとの間の継ぎ目９６の幅は、同じである。いくつかの実施形態において、ミラー間の継ぎ目９６の幅βの間の差は、ミラーアセンブリが閉じた位置の継ぎ目９６の幅β’から完全に開いた位置にある場合、約１％、２％、５％、１０％、１５％、２５％、４０％、または５０％以下のレベルで異なる。図１４Ａ〜図１４Ｃは、ミラー面が、ミラー間の可視の継ぎ目９６の最狭幅β、β’で互いに近くに隣接して留まることを、カム９２の動作が可能にすることを示す。いくつかの実施形態において、継ぎ目９６の幅β、β’は、約４ｍｍ、約２ｍｍ、約１．５ｍｍ、約１．０ｍｍ、約０．５ｍｍ、または約０．２５ｍｍ以下である。いくつかの実施形態において、ユーザが中央のミラーから約１２インチ中央に位置する場合、継ぎ目９６は、ユーザによってミラー面間のギャップとして知覚されない。
【００４７】
いくつかの実施形態において、図１４Ｂに示されるように、ヒンジ９０の平行移動アセンブリまたは直線移動アセンブリは、バネ９４をさらに備える。一部の実施態様において、図示されるように、ヒンジの平行移動アセンブリまたは直線移動アセンブリのバネ荷重は、互いにに向かって隣接するミラーセクションを促し、および／またはカム９２を介してヒンジ９０の軸のあたりの移動の間に互いにに近接するミラー面および／またはセクションを保持する力を加えるのを支援する。一部の変形において、図示されるように、回転アセンブリのカムは、旋回する場合、平行移動アセンブリまたは直線移動アセンブリのバネ上に接触するか若しくは押圧し、バネは、継ぎ目に向かってサイドミラーを後方に偏向する。一部の実施態様において、バネ荷重は、互いに対するミラー面の移動に対するいくらかの抵抗力および反抗力を提供し、および／または表面の平滑な移動を可能にする。一部の実施態様において、バネ荷重は、次の利用可能なプリセットミラー位置にミラー面を容易に調整することを可能にする。
【００４８】
いくつかの実施形態において、カム９２は、ヒンジ９０の移動の間に互いに係合する、係合機能９３（例えば、歯、牽引器具など）を有する。一部の変形において、歯９３は、スリップのないヒンジ９０の平滑で且つ安定した移動を可能にする。いくらかの実施態様において、ヒンジ９０が歯９３とバネ９４の両方を備える場合、バネは、互いにセクション４２、４４、４６の移動に対する付加的な抵抗力を提供する。いくつかの実施形態において、この抵抗力は、スリップを伴わずに、確実に、円滑に、および／またはユーザからのわずかな作用力により、セクション４２、４４、４６が移動することを保証する。一部の実施形態において、ヒンジアセンブリは、ミラーセクションに対して、力が最初に加えられたときには重み感を与え、その後、セクションが移動し始めると、より自由な移動を与える。
【００４９】
一部の実施形態において、ヒンジは、プラスチック、ゴム、金属（例えば、ステンレス鋼、アルミニウムなど）、複合材、または他の適切な材料を備えることができる。
【００５０】
いくつかの実施形態において、図示されるように、ミラー面５２、５４、５６は、相互にまたは個々に、概して矩形または概して方形状を有することがきる。一部の変形において、ミラー面は、その代りに、概して正方形、概して円形、概して楕円体、概して菱形、および／または他の適切な形状の全体的な形状を有することができる。いくつかの実施形態において、存在する場合、所定のミラーアセンブリの異なるミラー面は、異なる形状を所有することができ、それらの形状を混合し、合致し、および取り付け機構などを介して相互に接続することができる。
【００５１】
一部の実施形態において、各ミラーは、幅および長さを有することができ、それらの寸法は独立的に選択することができる。高さは、ミラーアセンブリの底部から上方へ延伸する方向にほぼ沿うことができる。幅は、高さに対して略横方向に延伸する方向に沿うことができる。いくつかの実施形態において、ミラー面は、約１、２、４、６、８、１０、１２、１４、１６、２０、３０、前述の値によって形成された範囲、前述の値の間の値、または他の値以上である高さ（インチ）を有することができる。一部の実施形態において、ミラー面は、約１、２、４、６、８、１０、１２、１４、１６、２０、３０、前述の値によって形成された範囲、前述の値の間の値、または他の値以上である幅（インチ）を有することができる。一部の実施形態において、中央ミラー面の表面領域とサイドミラー面との間の比率は、少なくとも１０対１、５対１、１対１、１対５、１対１０、前述の比率間の比率、および他の比率である。いくつかの実施形態において、存在する場合には、一次ミラーまたは中央のミラーは、少なくとも約１０％、約２５％、約５０％、約１００％、前述の値の間の値、または他の値だけ二次サイドミラーよりも大きい。一部の実施態様において、各ミラーセクションは、ほぼ同一のサイズである。
【００５２】
矩形のミラーは、幅より大きい高さ（または高さより大きい幅）をもつ互いにほぼ直角で４つの辺を有するミラーを用いることによって選択することができる。他の形状は、湾曲したコーナおよび他の長さおよび幅寸法をもつミラーを選択することによって選択することができる。例えば、楕円体のミラーをもつ構成は、それらの高さより大きい幅（またはそれらの幅より大きい高さ）をもつ円形のミラーを用いることによって選択することができ、正方形および円形の寸法は、実質的に同一の高さおよび幅などを有するミラーを用いて実装することができる。
【００５３】
いくつかの実施形態において、ミラー５０の厚さは、少なくとも約２ｍｍおよび／または約３ｍｍ以下である。いくつかの実施形態において、厚さは、ミラー５０の所望の特性（例えば軽量化若しくはさらに大きな強度）に応じて、約２ミリメートル以下および／または約３ミリメートル以上である。いくつかの実施形態において、ミラー５０の表面領域は、ベース部４０の表面領域より実質的に大きい。他の実施形態において、ミラー５０の画像反射面の表面領域は、ベース２０の表面領域より大きい。
【００５４】
ミラー５０は、それは凸状または凹面になり得る概して平面または概して球面を含むことができる。曲率半径は、所望の光強度に依存することができる。いくつかの実施形態において、曲率半径は、少なくとも約１５インチおよび／または約３０インチ以下である。焦点距離は、曲率半径の半分にすることができる。例えば、焦点距離は、少なくとも約７．５インチおよび／または約１５インチ以下である。いくつかの実施形態において、曲率半径は、少なくとも約１８インチおよび／または約２４インチ以下である。いくつかの実施形態において、ミラー４は、約２０インチの曲率半径および約１０インチの焦点距離を含むことができる。いくつかの実施形態において、ミラー４は、焦点のカスタマイズを容易にすることができる非球面である。いくつかの実施形態において、ミラー面は、フレキシブルにすることができる。一部の実施態様において、フレキシブルなミラー面は、ユーザが所望であれば平面ミラーを放物線状／曲線状ミラーに変換することを可能にする。
【００５５】
いくつかの実施形態において、ミラー５０の曲率半径は、オブジェクトの倍率（光強度）が少なくとも約１．２５倍の大きさ、少なくとも約１．５倍の大きさ、少なくとも約２倍の大きさ、および／または約７倍以下の大きさになるように制御される。一部の実施形態において、オブジェクトの倍率は、約５倍の大きさである。いくつかの実施形態において、ミラーは、約１９インチおよび／または約７倍の曲率半径を有することができる。いくつかの実施形態において、ミラーは、約２４インチおよび／または約５倍の曲率半径を有することができる。
【００５６】
ミラー５０は、高反射性にすることができる（例えば、少なくとも約９０％の反射率を有する）。いくつかの実施形態において、ミラー５０は、約７０％以上の反射率および／または約９０％以下の反射率を有する。他の実施形態において、ミラー５０は、少なくとも約８０％の反射率および／または約１００％以下の反射率を有する。一部の実施形態において、ミラーは、約８７％の反射率を有する。ミラー５０は、ミラーエッジの歪みが低減または除去されるように、より大きなミラー素材からカットアウトまたはグラウンドオフ（ground off）されることができる。
【００５７】
反射光の１つ以上のパラメータを調整するために、１つ以上のフィルタをミラー上に備えることができる。いくつかの実施形態において、フィルタは、一定の帯域幅の電磁エネルギーの反射を吸収若しくは増強するフィルムおよび／またはコーティングを備える。いくつかの実施形態において、マクロロンフィルタなどのフィルタを調整する１つ以上の色を、可視スペクトルにおける所望の光の波長を減衰するためにミラーに対して塗布することができる。
【００５８】
ミラー５０は、高透過にすることができる（例えばほぼ１００％の透過率）。いくつかの実施形態において、透過率は、少なくとも約９０％である。いくつかの実施形態において、透過率は、少なくとも約９５％である。いくつかの実施形態において、透過率は、少なくとも約９９％である。ミラー５０は、光学等級にすることができるし、および／または、ガラスを備えることができる。例えば、ミラー５０は、超透明ガラスを含むことができる。あるいは、ミラー５０は、プラスチック、ポリアミド系合成繊維、アクリル樹脂、その組み合わせ、または他の適切な材料などの他の半透明材料および／または透明材料を含むことができる。ミラー５０は、また、反射性材料（例えば、アルミニウム、銀など）を備えるバッキング層を含むことができる。いくつかの実施形態において、バック層は、ミラーに対してわずかに着色したトーン（暖色トーンまたは寒色トーンなど）を与えることができる。いくつかの実施形態において、アルミニウムバッキングは、さびの発生を防ぎ、均一の色トーンを提供することができる。ミラー５０は、モールド成形を用いて、機械加工、摩砕、研磨、または他の技術によって製造することができる。
【００５９】
ミラーアセンブリ２は、光を発するように構成された１つ以上の光源６０を含むことができる。例えば、図１０および図１１に示されるように、ミラーアセンブリは、図示されるように、左の光源６０ａおよび右の光源６０ｂを含む複数（例えば、２、３、４、５、またはそれ以上）の光源６０を含むことができる。いくつかの実施形態において、図１０および図１１に示されるように、光源６０（複数可）は、中央支持体４２の一部内に配置される、および／または中央支持体４２によって支持されることができる。いくつかの実施形態において、光源６０は、ミラーの周囲のあたりに間隔を置いたインターバルにおいてミラー面に対して直接的に取り付けられる。例えば、光源６０は、ミラー５０の周囲のいくつかの、実質的にすべての、またはすべての周囲に配置されることができる。一部の実施形態において、光源６０は、ミラーアセンブリから分離され、ミラーアセンブリ２に接続しないことができる。
【００６０】
光源６０は、互いに、様々な方位に、例えば並列にまたは他の方法で配置されることができる。いくつかの実施形態において、図１１、図１８、および図１９に示されるように、光源６０は、略同一の方向に面する光エミッタ６４を配置することによって、同じ向きに光を発するように配置することができる。図１１において示されるように、一部の実施態様において、左の光源６０ａは、中央ミラー面５２の１つの外周側面において光を上方へ投射し、右の光源６０ｂは、左の光源６０ａの外周側面とは反対側の中央ミラー面５２の外周側面において略同一の方向に光を投射する。一部の実施形態において、光源は、対向方向（例えば、上方に対して下方など）に光を発するように配置されることができる。いくつかの実施形態において、光源は、他の光源に対して、光を直角に、平行に、または他の方向に伝送するように配置されることができる。一部の実施形態において、光源６０は、ミラーアセンブリ２の観察面に対して光を概して直角に発するように配置されることができる。一部の実施形態において、光源６０は、概してミラー面５２、５４、５６の面内の方向に（または面に対して平行な方向に）光を発するように配置されることができる。いくつかの実施形態において、光源は、ミラー面に沿って、下方に、上方に、またはこれらの方向の組み合わせの方に、光を対角線上に発するように配置されることができる。
【００６１】
様々な発光体６４を、光源６０に用いることができる。例えば、図１８および図１９に示されるように、光源６０は、１つまたは複数（例えば、２、３、４、５、６、７、８、またはそれ以上）の発光ダイオード（ＬＥＤ）６８を備えることができる。いくつかの実施形態において、他の発光体６４を用いることができる（例えば、蛍光光源、白熱光源、ハロゲン光源など）。ＬＥＤは、長寿命および高色調指数などの優れた効果を発揮することができる。いくつかの実施形態において、図１８および図１９に示されるように、各光源６０ａ、６０ｂは、複数（例えば、１、２、３、４、５、またはそれ以上）のＬＥＤ６８を備えることができる。いくつかの実施形態において、図１８に示されるように、左の光源６０ａは、４つのＬＥＤ６８を備えることができ、右の光源６０ｂは、４つのＬＥＤ６８を備えることができる。いくつかの実施形態において、単一の光源の１つ以上のＬＥＤは、同一にすることができるし、または異なるようにすることができる（例えば、同一のまたは異なる色または色温度を有することができる）。例えば、一部の変形において、ＬＥＤの対が同一である場合、４つのＬＥＤを備える光源は、２対のＬＥＤを備えることができる。他の実施形態において、単一の光源における各ＬＥＤが異なる。光源は、同一（例えば、各光源において、同一の色、温度、およびＬＥＤの数を有する）または異なる（例えば、異なる光源のＬＥＤとは異なる１つ以上のＬＥＤを有する）ＬＥＤを備えることができる。いくつかの実施形態において、ミラーアセンブリの異なる光源は、任意の所望の照明環境の達成を提供するように独立的に調節可能である。いくつかの実施形態において、ＬＥＤは、低い色温度または高い色温度の他のＬＥＤと対になることができる。一部の実施態様において、ＬＥＤは、低い波長または高い波長を有する色をもつ他のＬＥＤと対になることができる。
【００６２】
いくつかの実施形態において、図１１に示され、図１７および図１８における分解組立図のように、発光体６４を用いて光路を形成することができる。いくつかの実施形態において、光路は、ユーザによって知覚することができる光の経路である。例えば、図１１には複数（例えば２）の光路が存在し、複数の光路の各々は、ヘッド部４０の底部からヘッド部４０の頂部まで延び、各々は、中央セクション４２の反対側上に設置される。図示されるように、光路の１つ以上は、頂部から底部までほぼ直線の方向に延伸することができる。いくつかの実施形態において、光路は、光透過性の細長いチューブまたはストリップまたはカラムを備える。例えば、図１１において取り除かれたカバー６２ａとともに示されるように、発光体６４は、カラム６６（すなわち光カラムまたは光パイプ）を形成する空間に配置されることができる。いくつかの実施形態において、カラム６６は、カラム６６の方向に沿った照明光路を生成する。これらの光路は直線方向に投射するが、曲面ミラーが実装される場合は湾曲した光路を用いることができる。
【００６３】
一部の実施形態において、カラム６６は、光透過性のカバーを備える（図１０および図１１において、左のカラムは、左の透過性カバー６２ａを備え、右のカラムは、右の透過性カバー６２ｂを備える）。いくつかの実施形態において、透過性カバー６２ａ、６２ｂは、ヘッド部４０に対する取り付けによって（係合手段を介して、フレーム４１ａなどにはめることによって）所定の位置に固定される。
【００６４】
一部の実施態様において、図８、図１１、および図１７に示されるように、光カラム６６の後部は、高反射率を実現するために反射性材料を含むことができる。光カラム６６の後側面に沿うこの反射性基材６７は、光を反射し、ユーザに向けて光を投射することができる。いくつかの実施形態において、反射性材料は、少なくとも光の約９５％を反射することができる。いくつかの実施形態において、反射性材料は、光の約９８％を反射する。一部の実施態様において、反射性材料は、光学的な反射紙にすることができる。図１１に示されるように、ヘッド部４０は、カラム６６（例えば、光カラム６６の一部はリッジ７７に沿って配置することができる）の壁を備えることができる、または他の方法で光カラム６６を支持することができる、リッジ７７などの構造を含むことができる。いくつかの実施形態において、リッジ７７は、熱を放散するように構成される。
【００６５】
光源６０から光のいくつかまたはすべては、概して１つ以上の光カラム６６に向かって、または１つ以上の光カラム６６内に、伝送することができる。例えば、図１１に示されるように、光カラム６６は、近位端部６６ａ、６６ｂを含むことができ、発光体６４は、カラムが延びる方向における光カラム６６の近位端部６６ａ、６６ｂからカラム６６ｃ、６６ｄの遠位端部に対して光を発することができる。光源６０は、発光体６４の方向に対して直角に、および概してミラーアセンブリ２の観察面に面するユーザに向かって、光が発せられるように、配置されることができる。例えば、光源６０からの光のいくつかまたはすべては、ユーザと接触する前の別の構成部品に向かって発光し、および／または、そこから反射されることができる。
【００６６】
いくつかの実施形態において、カラム６６は、透明材料（例えば、気体、固体、または液体）で充填されることができる。いくつかの変形において、カラムは、真空にすることができる。一部の変形において、カラム６６は、光が光路の方向に沿って進むことを可能にするのに適した部分的な透明材料で充填されることができる。いくつかの実施形態において、光路は、光透過性の細長いチューブまたは光透過性ストリップ材料（例えば、多孔性または透明なプラスチック）を備える。
【００６７】
図１１に示されるように、光カラム６６は、成形された直角プリズムにすることができる。一部の実施形態において、光カラムは、実質的に円筒状に成形されることができる。いくつかの実施形態において、光カラムは、実質的に線形に成形されることができるし、または、前述のように、光カラム６６は非線形または円形状を有することができる。光カラムは、アクリル樹脂、ポリカーボネート、または他のクリアで高透過性の材料、または部分的な透過性材料を含むことができる。
【００６８】
以上に述べたように、光は、光カラム６６の一部を通過し、および／または光カラム６６の外表面（例えば、光透過性のカバー６２ａ、６２ｂ）を介して光カラム６６から発光することができる。いくつかの実施形態において、光カラム６６は、光源６０から発せられた光の少なくとも約９５％を伝送するように構成される。光源６０は、概してミラー５０の周囲またはミラー面５２、５４、５６の周囲のあたりに光を発するために、光カラム６６と組み合わせて構成することができる。光カラム６６は、光カラム６６を通じて光源６０からの光を分散するように構成されることができる。光源６０および光カラム６６は、外表面から発せられた光量が光カラム６６の長さ方向に沿って実質的に一定になるように構成されることができる。光カラム６６のあたりに伝達された光の実質的に一定の強度を実現する様々な方法を用いることができる。
【００６９】
ヘッド部４０および／または光カラム６６は、ミラーの周囲のあたりにおよび／または光カラム６６の長さ方向に沿って（例えば、光カラム６６の頂部から光カラム６６の底部まで）、光源６０によって発せられた光の均一若しくは一様の拡散、散乱、および／または反射を概して容易にする機能を含むことができる。例えば、ヘッド部４０および／または光カラム６６は、非平面および／または非平面的な方法で、エッチングされた表面で、粗面にされた表面で、塗装された表面で、および／または他の修正された表面でモールドされる（例えば透過性カバー６２ａ、６２ｂ上に）不規則な前面および／または後面を含むことができる。光散乱素子は、ミラー（例えば中央ミラー面５２）の周囲に沿って実質的に一定の光量を分散させるように構成されることができる。これらの機能は、ミラーの全体の周囲を照らすのに必要であり、ミラーアセンブリ２の動作する温度を低減する光源の総数を減少させて、高エネルギー効率を実現するのを支援することができる。
【００７０】
光カラム６６の光透過性のカバー６２ａ、６２ｂは、概して変化する分散度をもつ半透明材料を備えることができる。いくつかの実施形態において、最小量の散乱は、発光体６４に対して近位６６ａ、６６ｂの光カラム６６の領域において生じ、最大散乱は、発光体６４から最も遠く配置される光カラム６６の領域において（例えば、カラム６６ｃ、６６ｄの遠位端部において）生じる。光カラム６６は、可変および／または勾配方式で光を分散するように構成された領域を備えることができる。いくつかの実施形態において、光搬送経路または光カラム６６は、モールド成形、エッチング（例えばサンドブラスティング）、粗化ペインティング、コーティング、および／または他の方法などの任意の適切なプロセスから形成された、可変面、非定量面、前面、非平滑面、後面、および／または内面を備えることができる。いくつかの実施形態において、１つ以上の表面不規則性は、非常に小さなバンプ、突起部、および／または圧痕になり得る。
【００７１】
いくつかの実施形態において、光カラム６６を通過する光は、光カラム６６内の光の場所に依存して、複数の異なる強さのレベルで散乱することができる。例えば、光カラム６６上の第１の場所における光は、第１の強さのレベルで散乱することができ、光カラム６６上の第２の場所における光は、第２の強さのレベルで散乱することができ、光カラム６６上の第３の場所における光は、第３の強さのレベルで散乱することができ、第３の強さのレベルは、第２の強さのレベルより高く、第２の強さのレベルは、第１の強さのレベルよりも高い。多くの他のレベルの散乱、および散乱を空間的に増やす若しくは減らす多くの方法は、空間的変動するダイのレベルのまたは光カラム６６の材料内の結霜の影響などの、マクロの散乱素子を提供する代わりに、または提供することに加えて、または材料内に埋め込まれた空間的に変動する散乱粒子によって、または空間的に変動する材料の１つ以上の外面上の表面パターンによって、用いられることができる。いくつかの実施形態において、散乱素子の平滑な勾配は、所望の照明効果（例えば、定量光度発光または勾配光度発光）を実現するために用いられることができる。
【００７２】
光カラム６６（例えば透過性カバー６２ａ、６２ｂ）は、光散乱素子（例えばドットパターン）などの表面パターンを含むことができる。光散乱素子は、光カラム６６の外表面を出るために光カラム６６を通過する光の一部を促進するように構成することができ、それによって、概して均一の若しくは概して一様の方式で概してユーザを照らす。光散乱素子６４は、光カラム６６の外表面から発光された光度が光カラム６６の長さ方向の実質的な部分に沿って（または事実上全体に）実質的に一定になるように構成されることができる。したがって、ユーザは、ミラーの周囲のあたりに、概して一定の光量または強度を受け入れることができる。例えば、光散乱素子は、変動密度、不規則パターン、または変動サイズのうちの１つ以上を含むことができる。
【００７３】
光散乱素子は、光源６０の近くでは高密度にならず、光源６０から増加された距離に応じて漸増的に高密度になることができる。このような構成は、例えば、光量または光度（光源６０に近い光カラム６６の部分）を概して増やしたエリアにおいて散乱または反射される（したがって、外表面から出る）光量を減少させることができる。さらに、このような構成は、光源６０から離れて間隔をおいて配置される光カラム６６の部分などの概して減少させられた光量または強度を有するエリアにおいて付加的な散乱または反射を促進する（したがって外表面から出る量を増やす）ことができる。したがって、ミラーアセンブリ２は、ミラーの周囲のいくつかの部分における明るいエリア、および他の部分における暗いエリアを回避することができる。ミラーアセンブリ２は、ミラー面（複数可）の周囲のいくつか、実質的にすべて、またはすべてに沿って、実質的に一定の光量を発することができる。
【００７４】
光散乱素子は第１の領域内の光散乱パターンが第２の領域内の光散乱パターンと異なるように、不規則のパターンにおいて分散されることができる。第１の光散乱素子と第２の光散乱素子との間の距離は、第１の光散乱素子と第３の光散乱素子との間の距離とは異なることができる。
【００７５】
光散乱素子のサイズ（例えば径）は変更することができる。いくつかの変形において、光源６０の近くの光散乱素子は、光源６０から遠い光散乱素子と比較すると、より小さなサイズを有することができる。例えば、光散乱素子は、光源６０の近くでは小さな径を含み、光源６０から距離に応じて漸増的に大きくなることができる。このような構成は、外側表面６０に対する、実質的に均一の光の反射を可能にする。一部の実施形態において、各光散乱素子は、約１ミリメートル以下の径を有する。いくつかの実施形態において、光散乱素子は、各々、約１ミリメートル以上の径を有する。
【００７６】
いくつかの実施形態において、光散乱素子は、概して円形にすることができる。いくつかの実施形態において、光散乱素子は、概して正方形、概して矩形、概して五角形、概して六角形、概して八角形、概して楕円形、およびその他の形などの他の形状を有する。一部の実施形態において、光カラム６６内のパターンは、一連の線、曲線、スパイラル、または他のパターンである。一部の実施形態において、光散乱素子は白い。光散乱素子は、光カラム６６が霜で覆われたように見えるように分散されることができる。いくつかの実施形態において、光散乱素子は、ユーザにとって容易には見えない。例えば、光カラム６６は、表面パターンの出現を隠蔽するためにわずかに不透明にすることができる。いくつかの実施形態において、光散乱素子は、ユーザにとって目に見え、光カラム６６は、表面素子の一般色およびパターンを示すためにクリアにすることができる。
【００７７】
いくつかの実施形態において、光路は、ミラー５０によって隠蔽され、発光体６４が作動させられる場合にのみ目に見える。例えば、いくつかの実施形態において、ミラー５０は、光ストリップが延びる方向において、または、その方向に沿って、部分的に透明な少なくともいくつかの部分を有する。いくつかの実施形態において、光源は、それらが見えなくなるように、ミラー面の一部の背後に隠すことができる。例えば、図９に示されるように、部分的に透明なミラー面５３（例えばマジックミラーガラス）は、中央ミラー面５２の側部を形成することができる。ミラーの前部から見た場合、これらの部分的に透明な表面は、ミラー面の正常部分として反射して出現する。発光体または光源が作動させられるとき、光は、その後、マジックミラーを通じて伝送し、ユーザを照らすことができる。いくつかの実施形態において、照らされたときのみ、ミラーシステム上から目に見える光源である。いくつかの変形において、光ストリップは、観察面によって隠蔽されない。例えば、一部の実施態様において、非アクティブの場合であっても、ユーザがミラーの前に位置する場合は、光源（複数可）は見える。
【００７８】
いくつかの実施形態において、図１１に示されるように、光カラム６６の１つ以上は、中央ミラー面５２の側部に沿って配置されることができる。一部の実施形態において、図示されるように、光カラム６６は、左のサイドミラー面５４の横側面部分に沿って配置され、別の光カラム６６は、右側ミラー面５６の横側面部分（例えば、中央ミラー面５２に隣接する側、または中央ミラー面５２の反対側の右左のサイドミラーの側面上）に沿って配置される。図示されるように、いくつかの実施形態において、複数の光路またはカラムは、互いに分離しており、概してまたは実質的に垂直の方位にのみ配置されており、および／またはミラーアセンブリ２の全体の周囲のあたりには配置されない。いくつかの実施形態において、図示されるように、ミラーアセンブリ２の全体の頂部または底縁部に沿って、またはミラーアセンブリ２の離散断面の全体の頂部または底縁部に沿って、水平に配置される光路または光カラム６６はない。一部の実施形態において、光カラム６６は、少なくとも、１つ以上のミラー面の周囲の大部分のあたりに、１つ以上のミラー面の実質的に全体の周囲に、または１つ以上のミラー面の全体の周囲のあたりに、延伸する。
【００７９】
いくつかの実施形態において、光源６０は、ミラー５０の一部の背後に配置される（例えば、ミラー５０の逆光効果を生成する）。いくつかの実施形態において、光源は、鋭角などの角度で、光源から発せられた光がミラーアセンブリ２の観察面と接触するように（例えば傾くことによって）配置される。いくつかの実施形態において、光源は、光源から発せられた光がミラーアセンブリ２の観察面と鈍角で接触するように配置する。
【００８０】
支持部材４０上にインストールされると、光カラム６６は、（発光体から光が発せられた方向のみで測定された）長さ、（長さ方向に対して略横方向において、且つ観察面の略同一面に沿って測定された）幅、および（長さ方向に対して概して横の観察面に対して概して直交する方向において測定された）深さを有する。いくつかの変形は、深さ以上である幅を有する。いくつかの実施形態において、幅は、深さ未満である。一部の実施態様において、より詳細には以下に論じられるように、光カラム６６は、ミラー５０の反射面に対して適切なエリアを提供するとともに、光カラム６６から発せられる光のための十分なエリアを提供するように構成される。例えば、いくつかの実施形態において、ミラー（例えば中央ミラー面５２）の幅に対する光カラム６６の幅の比率は、約１／５、１／１５、１／３０、１／５０、それらの値の間の（それらの値の間の範囲、または他の値以下にすることができる。
【００８１】
一部の変形において、ミラーアセンブリは、また、ディフューザを含むことができる。ディフューザは、光カラムの表面上に、および／またはミラーの周囲のあたりに配置されることができる。例えば、ユーザの目の上ではそれほど快適ではないであろう集中させたシャープな光源ではなく、拡散され散乱された光源を提供するために、ディフューザは、光カラムとユーザとの間に配置されることができる。いくつかの実施形態において、ディフューザの透過率は、その長さに沿って実質的に一定である。一部の実施形態において、ディフューザは、光カラムまたは光路の長さを延長することができる。ディフューザは、少なくとも部分的に不透明の材料を含むことができる。例えば、ディフューザは、光学等級アクリル樹脂を含むことができる。
【００８２】
ディフューザは、エッチング、粗化、ペインティング、および／または表面改質の他の方法から形成された不規則な前面および／または後面を含むことができる。例えば、ディフューザは、本明細書に論じられた方法のいずれかを用いて生成された光散乱素子のパターンを含むことができる。光散乱素子は、光カラム６６に関して論じられた形状および／またはサイズのいずれかでも含むように改良されることができる。
【００８３】
光散乱素子は、光をさらに分散することによって柔らかな光を生成するように構成されることができる。例えば、光散乱素子は、同一の径または異なる径を有する複数のドットを含むことができる。いくつかの実施形態において、光散乱素子は、ディフューザにわたって均一に分散されることができる。他の実施形態において、光散乱素子は、ディフューザにわたってランダムに分散されることができる。いくつかの実施形態において、１つ以上のミラー面（例えば中央ミラー面５２）は、光散乱素子および／または拡散面部分を備える。例えば、一部の実施態様において、中央ミラー面５２の１つ以上の側部は、光拡散性または散乱を提供するためにモールド成形、スクラッピング、熱処理、粒子衝突（例えば「サンドブラスティング」）および／またはエッチングなどの薬剤処置などによって、任意の適切な方法において形成することができる半不透明、非平滑化（マイクロまたはマクロレベルにおける）、および／または非均一表面を備えることができる。いくつかの変形において、これらの光散乱素子および／またはミラー面の拡散する部分上に配置または隣接または他の方法で光源と光通信することができる。一部の実施態様において、これらの光散乱素子および／または拡散面は、本明細書の他で論じられるような光源からの光の特性を調整する。いくつかの実施形態において、これらの表面は、透過光カバーに加えて、または透過光カバーの代わりに用いることができる。いくつかの実施形態において、これらの拡散または他の光散乱部分は、光散乱領域を生成するミラー面の一部を変更または処理することなどによってミラー面と一体的に形成されることができる。
【００８４】
いくつかの実施形態において、各光源は、少なくとも約２ワットの電力および／または約３ワット以下の電力を消費する。一部の実施形態において、各光源６０は、約２ワットの電力を消費する。
【００８５】
一部の実施形態において、（ミラーアセンブリの幅に沿って概して横方向に測定された）各光源６０の幅は、約３０ｍｍ、約２０ｍｍ、約１０ｍｍ、約７．５ｍｍ、約６．５ｍｍ）、約５．０ｍｍ、約４．０ｍｍ、前述の値の間の値、または他の値以下にすることができる。
【００８６】
いくつかの実施態様において、ミラーから発せられた光の色と色温度のいずれか若しくは両方は、独立的に調節可能である。この調整性を用いると、光源６０から発せられた光は、異なる自然若しくは非自然光環境の１または複数に直面する光を模倣する若しくは密接に近似するように構成されることができる。例えば、いくつかの変様において、ミラーから発せられた光は、自然光（例えば、太陽、月、稲妻などからの周囲光）を模倣することができる。一部の実施態様において、レストラン（例えば、白熱光、キャンドルライトなど）オフィス（例えば、蛍光、白熱光、およびその組み合わせ）、異なる時間帯（夜明け、朝、正午、午後、日没、黄昏など）のアウトドア会場、異なる季節（春、夏、落下、冬）におけるアウトドア会場、異なる天候状況（晴天、空を覆う雲、晴れ、曇り、月明かり、星明かりなど）を有するアウトドア会場、スポーツのアリーナ、オペラハウス、ダンス会場、クラブ、講堂、バー、博物館、劇場、および同種のものと調和する（または密接に近似する）発光状態を、ミラーアセンブリを用いて実現することができる。いくつかの変形において、ミラーから発せられた光は、可視範囲における光の実質的にフルスペクトラムを備える。ミラーアセンブリは、１つ以上の光源からまたは遠隔源からミラーアセンブリ上に発せられた異なるタイプの光（例えば、色、温度、強度など）の中からユーザが選択することを可能にするように構成されることができるし、または、ミラーアセンブリは、１つ以上の光源から発せられた異なるタイプの光から自動的に選択するように構成されることができる。
【００８７】
いくつかの変形において、個々の光源（例えば、ＬＥＤまたはＬＥＤの組み合わせ）の強度は、独立的に調節可能である。一部の実施態様において、色温度における変化は、１つ以上の分離した色温度を有する１つ以上の異なるＬＥＤをもつ１つの色温度を有するＬＥＤを対にすることによって実現することができる。それらのＬＥＤからの光の相対強度は、その後、色温度を増加または減少させるために（例えば１つ以上のＬＥＤの輝度の調整によって）個々に調整することができる。いくつかの実施形態において、色の変化（例えば、色相、陰影、染色、トーン、色調など）は、異なる色を有する１つ以上のＬＥＤによる１つの色を有する１つ以上のＬＥＤを対にすることによって実現することができる。いくつかの実施形態において、異なる色のＬＥＤから発せられた光の強さは、色変化をもたらすために個々に調整することができる（例えば、個々のＬＥＤの色に対して、またはＬＥＤ−色混合から発せられた光の組み合わせを通じて実現された色に対して）。異なるＬＥＤの相対強度の調整は、光源によって発せられた光の色、光源によって発せられた光の色温度、光源によって発せられた光の輝度、またはその組み合わせをユーザが調整することを可能にすることができる。いくつかの実施形態において、個々のＬＥＤの強度を（プリセットされた光構成、ダウンロードされた光構成、またはアップロードされた構成を選択することによって）自動的に、または（例えば手動のユーザ調節による色、色調、輝度、強度、温度、または他のものの調整によって）手動的に調整することによって、任意の環境のための光条件を実現することができる。
【００８８】
例として、および本明細書の他に論じられるように、いくつかの実施形態において、所望の色および色温度を与えるために、発光体６４は、他の発光体と対になることができる。例えば、いくつかの実施形態において、１つの（例えば２７００Ｋの）色温度を有する（例えば、１、２、３、４またはそれ以上の）ＬＥＤは、単一の光源（例えば６０ａ）を形成するために異なる（例えば６５００Ｋの）色温度を有する（例えば、１、２、３、４またはそれ以上のＬＥＤ）と対になることができる。いくつかの変形において、第１の色（例えば、赤、オレンジ、黄色、緑、青、藍、バイオレット、および同種のもの）を有する１つ以上（例えば、１、２、３、４、またはそれ以上）のＬＥＤは、異なる色を有する１つ以上（例えば、１、２、３、４、またはそれ以上）のＬＥＤと対になることができる。
【００８９】
一部の変形において、光源（例えば６０ａ）は、白熱光の色温度を発光するＬＥＤ（例えば１つ以上のＬＥＤ）および日光の色温度を発光するＬＥＤ（例えば１つ以上のＬＥＤ）を用いて形成されることができる。一部の変形において、暖かい（例えば黄色−オレンジ）色温度を発光する１対のＬＥＤと、白色光（例えば、青味を帯びた白の色光）を発する１対のＬＥＤとが用いられる。
【００９０】
いくつかの実施形態において、少なくとも約１７００Ｋ、約１８００Ｋ、約１９００Ｋ、約２０００Ｋ、約２２００Ｋ、約２４００Ｋ、約２６００Ｋ、約２８００Ｋ、約３０００Ｋ、約３２００Ｋ、約３４００Ｋ、約３６００Ｋ、約３８００Ｋ、約４０００Ｋ、約４２００Ｋ、約４４００Ｋ、約４６００Ｋ、約４８００Ｋ、約５０００Ｋ、約５２００Ｋ、約５４００Ｋ、約５６００Ｋ、約５８００Ｋ、約６０００Ｋ、約６２００Ｋ、約６４００Ｋ、約６６００Ｋ、約６８００Ｋ、約７０００Ｋ、前述の値のうちの任意の２つのスパニング範囲、前述の値より大きい値、または他の値の色温度を有するＬＥＤは、ミラーアセンブリにおける使用のために選択されうる。いくつかの実施形態において、約１７００Ｋ〜約２５００Ｋ、約２５００Ｋ〜約３５００Ｋ、約３５００Ｋ〜約４５００Ｋ、約４５００Ｋ〜約５５００Ｋ、約５５００Ｋ〜約６５００Ｋ、または約６５００Ｋ〜約７０００Ｋの範囲内の色温度を有するＬＥＤは、これらの同一若しくは異なる範囲内の色温度を有するＬＥＤと独立的に対になることができる。いくつかの実施形態において、少なくとも約１７００Ｋ、約１８００Ｋ、約１９００Ｋ、約２０００Ｋ、約２２００Ｋ、約２４００Ｋ、約２６００Ｋ、約２８００Ｋ、約３０００Ｋ、約３２００Ｋ、約３４００Ｋ、約３６００Ｋ、約３８００Ｋ、約４０００Ｋ、約４２００Ｋ、約４４００Ｋ、約４６００Ｋ、約４８００Ｋ、約５０００Ｋ、約５２００Ｋ、約５４００Ｋ、約５６００Ｋ、約５８００Ｋ、約６０００Ｋ、約６２００Ｋ、約６４００Ｋ、約６６００Ｋ、約６８００Ｋ、約７０００Ｋ、前述の値のうちの任意の２つのスパニング範囲、前述の値より大きい値、または他の値の色温度をもつ光は、ミラーアセンブリを用いて実現することができる。
【００９１】
対にされたＬＥＤ光の強度を調整することによって、異なる色温度および強度（例えば、白熱電球若しくは螢光灯などの室内照明、自然光、キャンドルまたは暖炉からの直火、または他のものによって発せられた光に近似する色温度および強度）を実現することができる。ユーザは、メーキャップ色嗜好の選択を向上させて、最適な構成およびパターンのメーキャップをし、身繕いおよびメーキャップの成果を最適化する特定の光環境を複製または再現するために、これらの色温度および強度を選択することができる。例えば、ろうそくに照らされたレストランにおいて着用されるメーキャップを行なう人は、メーキャップを行なう場合に、その環境の色温度および光度と一致させたいかもしれない。日の射すピクニックにおいて着用されるメーキャップを行なう人は、メーキャップを行なう場合に、その環境の色温度および光度と調和させたいかもしれない。したがって、ユーザは、発光状態を再現するために光の特定の温度を選択することができる。
【００９２】
一部の実施形態において、異なる発光体（例えばＬＥＤ）を、光路の各端部に配置することができる。例えば、異なる発光特性をもつＬＥＤを、近位端部６６ａおよび遠位端部６６ｃの光路の両方に配置することができる。この構成は光源から発せられた光に対して最大の変動性を与える。例えば、異なるＬＥＤを、実現することができる色、色温度、および輝度設定の数を増やすために光路の各端部上に用いることができる。
【００９３】
一部の変形において、発光体は、一連の強度、色温度、および色嗜好を提供するために個々の発光体の強度を選択するアルゴリズムによって制御される。いくつかの実施形態において、光源６０は、約４５００Ｋ〜約６５００Ｋまで、約１７００Ｋから約６５００Ｋまでの範囲内の色温度を有するように調整されることができる。いくつかの実施形態において、光源６０は、約２４００Ｋン以上、および／または約６８００Ｋ以下の色温度を有する。いくつかの実施形態において、光源６０の色温度は、少なくとも約５５００Ｋ、および／または約３０００Ｋ以下である。一部の実施形態において、光源６０の色温度は、約２７００Ｋまたは約６５００Ｋである。
【００９４】
いくつかの実施形態において、光源６０は、少なくとも約４５、および／または約９５以下の色調指数を有する。１つ以上の発光体６４の一部の実施形態は、少なくとも約５０、および／または約１００以下の色調指数（ＣＲＩ）を有する。いくつかの実施形態において、発光体は、少なくとも約８７、および／または約９２以下の色調指数を有する。いくつかの実施形態において、発光体は、少なくとも約８０、および／または約８５以下の色調指数を有する。いくつかの実施形態において、発光体は、少なくとも約７０、および／または約７５以下の色調指数を有する。いくつかの実施形態において、発光体は、少なくとも約４５、および／または約５５以下の色調指数を有する。
【００９５】
いくつかの実施形態において、光束は、約１ルーメンから約１１０ルーメンまでの範囲内にすることができる。いくつかの実施形態において、光束は、約１ルーメン、約１０ルーメン、約２０ルーメン、約３０ルーメン、約４０ルーメン、約５０ルーメン、約６０ルーメン、約７０ルーメン、約８０ルーメン、約９０ルーメン、約１００ルーメン、約１１０ルーメン、約１４０ルーメン、約１６０ルーメン、約１７０ルーメン、約１８０ルーメン、前述の値の間の値、前述の値のスパニング範囲、または他の値以下になるように調整されることができる。いくつかの実施形態において、光束は、少なくとも約８０ルーメン、および／または約１１０ルーメン以下である。いくつかの実施形態において、光束は、少なくとも約９０ルーメン、および／または約１００ルーメン以下である。いくつかの実施形態において、光束は、約９５ルーメンである。
【００９６】
いくつかの実施形態において、各ＬＥＤ６８の順方向電圧は、少なくとも約２．４Ｖ、および／または約８．０Ｖ以下である。いくつかの実施形態において、順方向電圧は、少なくとも約５．５Ｖ、および／または約７．５Ｖ以下である。いくつかの実施形態において、順方向電圧は、約２．５〜約３．５Ｖである。
【００９７】
照度レベルは、ミラーの面に近い距離において高くすることができる。一部の変形において、センサ８０（および／またはミラー５０）から６インチの距離におけるルクスは、約６００ルクスである。一部の変形において、センサ８０（および／またはミラー５０）から６インチの距離におけるルクスは、少なくとも約１ルクス、少なくとも約１００ルクス、および／または約１１００ルクス未満、少なくとも約２００ルクス、および／または約１０００ルクス未満、少なくとも約３００ルクス、および／または約９００ルクス未満、少なくとも約４００ルクス、および／または約８００ルクス未満、少なくとも約５００ルクス、および／または約７００ルクス未満、前述の範囲を含む値間の範囲、または他の値である。いくつかの実施形態において、感知領域の外周における照度は、少なくとも約５００ルクス、および／または約１０００ルクス以下である。いくつかの実施形態において、感知領域の外周における照度は、約７００ルクスである。いくつかの実施形態において、感知領域の外周における照度は、約６００ルクスである。いくつかの実施形態において、感知領域の外周における照度は、少なくとも５×１０−５ルクス（ほぼ星明かりの照度）であり、および／または約１×１０５ルクス未満（ほぼ直射日光の照度）である。一部の変形において、感知領域の外周におけるルクスは、少なくとも約１×１０−４ルクス、および／または約１×１０４ルクス未満、少なくとも約１×１０−３ルクス、および／または約１×１０３ルクス未満、少なくとも約１×１０−２ルクス、および／または約１×１０３ルクス未満、少なくとも約１×１０−１ルクス、および／または約１×１０４ルクス未満、前述の値の間の範囲、または他の値である。
【００９８】
いくつかの実施形態において、感知領域は、ミラーの面から離れて約８、１０、１２、１６、１８、または２４インチ延長する。他の多くの感知領域も、また、利用することができ、それらのいくつかは本明細書に記載される。一部の変形において、ミラーアセンブリ２は、光の強度を調整する調光器を含むことができる。
【００９９】
いくつかの実施形態において、光源６０は、複数の光の色を提供するように、および／または変動する光の色を提供するように構成される。例えば、光源６０は、赤色光および黄色光などの２つ以上の認識可能な光の色を提供することができ、または一連の色（例えば。赤、緑、青、バイオレット、オレンジ、黄、および他の色）を提供することができる。一部の実施形態において、光源６０は、条件が満たされるか若しくは満たされようとする場合に、光の色または有無を変更するように構成される。例えば、一部の実施形態は、光が非アクティブ化されようとしていることをユーザに助言するために発光色を瞬間的に変更する。
【０１００】
一部の変形において、ボタンまたはセンサ（例えば、静電容量式タッチセンサ７１）などのアクチュエータは、ミラー面部分の背後に配置され、指定の場所におけるミラー面への接触によってアクティブ化させることができる。いくつかの実施形態において、静電容量式タッチセンサ７１は、コントローラモジュールに対して信号を送り、光カラムから方向性の指の移動を通じて、または静電容量式タッチセンサの特定エリアへの接触によって、発せられた光の１つ以上のアスペクトをユーザが制御することを可能にする。例えば、いくつかの実施形態において、ユーザは、色温度を増加させるために、静電容量式タッチセンサ７１上で１つの方向（すなわち、左、右、下方、上方、またはそれ以外）に指をスワイプ（またはドラッグ）することができる。そして、ユーザは、色温度を減少させるために、反対方向に指をスワイプすることができる。いくつかの変形において、ユーザは、発せられた光の輝度を増やすために光カラムから、および光を暗くするために反対方向に、静電容量式タッチセンサ７１上で異なる方向に指をドラッグすることができる。いくつかの実施形態において、発せられた光の色を調整することができる。いくつかの実施形態において、ユーザは、光の設定を適用するために静電容量式タッチセンサ部分をタップすることができる。いくつかの実施形態において、静電容量式タッチセンサがない。
【０１０１】
いくつかの実施形態において、静電容量式タッチセンサは、ハードワイヤードフィードバック制御回路、制御ルーチンを保存し実行するためのプロセッサおよびメモリ装置、または他のタイプの制御装置を提供することができる、制御装置および／または１つまたは複数のプリント回路基板（ＰＣＢ）に対して動作可能に（ワイヤまたは導管を介して）接続される。
【０１０２】
図１７〜図２１に示されるように、ミラーアセンブリ２は、センサアセンブリ８０を含むことができる。センサアセンブリ８０は、ミラーアセンブリ２の下部領域近くに、または他のところ（例えば、ミラーの頂部、底部、側面、またはそれ以外）に配置されることができる。代替え的に、センサアセンブリは、ミラーアセンブリ２の他の部分に沿って配置されることができる、またはミラーアセンブリ２上に配置されないことができる。例えば、センサアセンブリは、ミラーアセンブリ２が置かれる部屋内の任意の場所に配置されることができる。いくつかの実施形態において、センサアセンブリは、ユーザがそれに近接しているときにミラーアセンブリ２をアクティブ化させる電話または他の携帯型装置内に配置されることができる。
【０１０３】
一部の実施形態において、センサアセンブリ８０は、１つ以上の光送信器８２ａ、８２ｂおよび１つ以上の受信器８３を支持する筺体８７を備える。いくつかの実施態様において、筺体８７は、（例えば、射出成形された、またはそれ以外の）硬質若しくは剛性プラスチック、ゴム、合成高分子、金属、複合材、または別の同様の材料を備える。いくつかの実施形態において、筺体８７は、センサアセンブリ８０の本体８１から突き出る突出部８８（例えば、段（、口縁、高架プラットホームなど）を備える。いくつかの実施形態において、センサアセンブリ８０は、ガスケット８５をさらに備える。一部の変形において、センサアセンブリ８０は、カバースリップ８６をさらに備える。いくつかの実施形態において、カバースリップ８６は、筺体８７に接触する若しくは筺体８７内に接触するガスケット８５を保持し、ガスケット８５は、突出部８８を介して筺体８７によって所定の位置に保持される。いくつかの変形において、カバースリップは、ファスナ（例えば、スナップ、クリップ、ネジなど）を用いて筺体８７に固定される。一部の実施形態において、カバースリップ８６は、部分的にそれを圧縮し、および／または突出部８８を介してそれを筺体８７に対して同一平面上に保持する、ガスケット８５に対して調和した分布圧を提供する。いくつかの変形において、カバースリップ８６、ガスケット８５、筺体８７のアセンブリは、受信器８３信号から送信器８２ａ、８２ｂ信号の分離を再現性よく提供する。
【０１０４】
いくつかの実施形態において、センサアセンブリは、硬質プラスチック、半柔軟性ポリマー、および／または部分的に柔軟な材料を備えることができる。但し、装置内に固定されたとき、または経時的に、これらの材料は、反ったり湾曲したりする可能性がある。この反りおよび湾曲は、装置の設定を妨害する送信器から信号が受信器に直接的に流出することを可能にするかもしれない。いくつかの実施形態において、センサアセンブリ８０、ハウジング８７、ガスケット８５、およびカバースリップ８６の構成は、受信器から送信器への確実なシーリングを可能にすることができる。さらに、アセンブルされたセンサアセンブリ８０全体は、センサ開口部８９を通じて挿入されたファスナを介してミラーアセンブリのヘッド部４０に固定されることができる。この感覚的なアセンブリ８０は、送信器８２ａ、８２ｂから受信器８３への信号の流出（例えば、横方向への流出、さもなければセンサアセンブリの部分を通じて送信器から受信器への拡散）を有益的に最小化する。いくつかの実施形態において、この構成は、ミラーアセンブリ２内のセンサアセンブリの置換および固定を容易にすることができる。
【０１０５】
いくつかの実施形態において、ガスケット８５は、シリコン、ＰＴＦＥ、ゴム、ポリエチレン、ポリアミド系合成繊維、ポリプロピレン、複合材、および同種のもののうちの１つ以上から選択された材料などの柔軟、弾性、および／または可撓性の材料から構成される。
【０１０６】
センサアセンブリ８０は、近接センサまたは反射型センサを含むことができる。例えば、オブジェクト（例えば身体部分）が感知領域に移動されるときに、および／または感知領域内の移動が生じるときに、センサ８０をアクティブ化させることができる。センサアセンブリ８０は、１つ以上の送信器および受信器を含むことができる。いくつかの実施形態において、ミラーアセンブリ２は、２つの送信器８２ａ、８２ｂと、１つの受信器８３とを備える。送信器は、信号（例えば、赤外光などの電磁エネルギー）を生成するように構成されることができ、受信器は、その信号（例えば、赤外光などの電磁エネルギー）を受信するように構成されることができる。一部の実施形態において、図１および図２に示されるように、送信器の開口部８４は、ミラー５０を通じて送信器による信号透過率を容易にするために存在することができる。いくつかの実施形態において、受信器の開口部は、存在しない、若しくは必要でない。いくつかの実施形態において、これらの開口部は、ミラーの表面上で存在しないが、または、非常に小さいので、それらの開口部は、ユーザの目にとまらない。いくつかの実施形態において、開口部が存在しないときに、送信器は、ミラー面の双方向部分（例えば、ミラーの一方が照らされ、他方が暗いときに、照らされた側からではなく、暗くい側からミラーを通じて見ること（または透過）を可能にするミラーの部分的に透明で部分的に反射する部分）を通じて伝送する。発光部分８２ａ、８２ｂから発する光線は、感知領域を規定することができる。一部の変形において、送信器は、音波、電波、または他の信号などの他のタイプのエネルギーを発することができる。送信器および受信器は、同一のセンサに集積されることができし、または分離した構成部品として構成されることができる。
【０１０７】
いくつかの実施形態において、発光部分８２ａ、８２ｂは、概してミラーアセンブリの前面から垂線方向に光を発することができる。いくつかの実施形態において、発光部分８２ａ、８２ｂは、少なくとも約５度、および／または約４５度以下のミラーアセンブリの垂直面から前面に対する角度で光を発する。いくつかの実施形態において、発光部分８２ａ、８２ｂは、少なくとも約１５度、および／または約６０度以下のミラーアセンブリの垂直面から前面に対する角度で光を発する。一部の実施形態において、発光部分８２ａ、８２ａは、約１５度の下方への角度で光を発する。
【０１０８】
いくつかの実施形態において、センサアセンブリ８０は、感知領域内のオブジェクトを検出することができる。一部の実施形態において、感知領域は、センサアセンブリ８０から延伸する軸に対して、および／またはセンサアセンブリの前面に対して概して垂直に延伸する線に対して、および／またはミラーアセンブリの頂部からミラーの前面に対して概して垂直に且つユーザに向かって概して外側に延伸する線に対して、少なくとも約０度から約４５度以下まで下方および／または上方の範囲を有することができる。一部の実施形態において、感知領域は、これらの軸または線のいずれかに対して、少なくとも約０度から約２５度以下まで下方および／または上方の範囲を有することができる。一部の実施形態において、感知領域は、これらの軸または線のいずれかに対して、少なくとも約０度から約１５度以下まで下方および／または上方の範囲を有することができる。いくつかの実施形態において、感知領域は、ミラーシステムのミラー面から特定の距離を延伸し、その結果、このような距離内で検出された任意のオブジェクトがセンサアセンブリ８０をアクティブ化させ、１つ以上のミラー光またはミラーシステムの他のいくつかの機能を引き起こす。１つ以上の機能をアクティブ化させるのを支援する感知近接のための、またはセンサアセンブリの感度を増加させるための米国特許出願公開第２０１３／０２３５６１０号明細書に記載および／または図示された、あらゆる機能、構造、材料、またはステップは、他のすべての開示と同様に、この明細書の残りの部分において記載および／または図示されるあらゆる機能、構造、材料またはステップとともに若しくはそれらの代わりに用いることができる。
【０１０９】
いくつかの実施形態において、感知領域は、センサアセンブリ８０を傾いてマウントすることによって調整されることができる。一部の実施形態において、センサアセンブリ８０は、センサアセンブリ８０の前面がミラー５０の前面と概して平行または同一平面上になることができるように、マウントされることができる。一部の実施形態において、センサアセンブリ８０は、センサアセンブリ８０の前面がミラーの前面に対して傾くことができるように、マウントされることができる。
【０１１０】
一部の実施形態において、センサアセンブリ８０は、人間の眼には見えても良いし、見えなくても良い、低出力光線を生成するのに十分な電力のみを必要とする。さらに、センサアセンブリ８０は、パルセーティングモード（pulsating mode）で動作することができる。例えば、発光部８２には、任意の所望の期間に継続するショートバースト（ｓｈｏｒｔ  ｂｕｒｓｔｓ）などのために、任意の所望の頻度（例えば、０．５秒に１回、１秒に１回、または１０秒に１回）で、周期的（例えば、約０．０１秒以下、約０．１秒以下、または約１秒以下）に断続的に電力を供給することができる。サイクル動作は、センサアセンブリ８０に電力を供給することのための電力需要を大幅に減少させることができる。動作中、サイクル動作は、いくつかの実施形態において、概して検出信号が生成されるのに十分に長い光ビームの経路にユーザが留まるので、性能を劣化させない。
【０１１１】
受信部８３が発光部８２ａ、８２ｂから発せられた光線内のオブジェクトから（例えば閾値レベルを超えた）反射を検出すると、センサアセンブリ８０は、光源をアクティブ化させるために制御装置に対して信号を送る。いくつかの実施形態において、制御装置アセンブリは、ハードワイヤードフィードバック制御回路、制御ルーチンを保存し実行するためのプロセッサおよびメモリ装置、または他のタイプの制御装置を提供することができる、１つまたは複数のプリント回路基板（ＰＣＢ）に対して動作可能に（ワイヤまたは導管を介して）接続される。
【０１１２】
いくつかの実施形態において、センサアセンブリ８０は、受信器８３ａ、８３ｂの方に引き返して反射された光量に基づいて制御装置に対して異なる信号を送ることができる。例えば、一部の変形において、センサアセンブリ８０は、光源６０によって発せられた光量が受信された光量に比例するように構成され、それはミラー５０とユーザとの間の距離を示すことができる。一部の変形において、ユーザが第１の感知領域に存在していると、制御装置は、１つ以上の光源６０をオフ状態からアクティブ化させるか、または第１の光量を発光させる。ユーザが第２の感知領域に存在して（例えば、第１の感知領域よりさらにセンサアセンブリ８０から離れて）いると、制御装置は、１つ以上の光源６０に第２の光量（例えば第１の光量未満）を発光させる。
【０１１３】
一部の変形において、制御装置は、光源６０から少なくとも２つの異なるレベルの輝度（例えば、明るい光または薄い光）をアクティブ化させることができる。例えば、ユーザが第１の感知領域内のどこかに存在していれば、制御装置は、明るい光が発光されるように信号し、ユーザが第２の感知領域内のどこかに存在していれば、制御装置は、暗い光が発光されるように信号する。
【０１１４】
制御装置は、また、２つ以上の輝度レベルをアクティブ化させることができる。一部の実施態様において、発光のレベルは、センサからユーザに対する距離に（例えば、線形に、指数関数的に、またはそれ以外に）関連する。例えば、ユーザがセンサアセンブリ８０に対して接近すればするほど、１つ以上の光源６０は、さらに光を発光する。代替え的に、ミラーアセンブリ２は、ユーザがセンサアセンブリ８０からさらに離れると、さらに光を発光し、そしてユーザがセンサアセンブリ８０の近くに移動するにつれて光を少なくするように（ユーザ設定を用いて構成され得るように）構成することができる。いくつかの実施形態において、複数の感知領域は、ミラーアセンブリが、ミラーからのオブジェクトの距離を計算し、したがって、照明設定を調整することを可能にする。例えば、一部の実施態様において、アルゴリズムは、ミラーアセンブリからのオブジェクトの距離に基づいて、オブジェクトを照らすのに必要な照明の量を計算することができる。距離に基づいて、ある程度の光は、オブジェクトを照らすために光源から発光することができる。
【０１１５】
いくつかの実施形態において、センサアセンブリは、少なくとも２つの発光部を含むことができる。各送信器は、送信器上に適切なシールドまたはガイドを伴う光錐を発光することができ、それは（センサの公称範囲の影響下にある）センサの検出ゾーンを規定する。２つの光錐がオーバラップするエリアは、一次感知領域を生成し、２つの光錐が光を発光するがオーバラップしないエリアは、二次感知領域を生成する。ユーザが一次感知領域において検出されれば、センサアセンブリは、光源からの第１のレベルの光をアクティブ化させる適切な信号を、制御装置に対して送ることができる。ユーザが二次感知領域内で検出されれば、センサアセンブリは、光源からの第２のレベルの光をアクティブ化させる適切な信号を、制御装置に対して送る。いくつかの実施形態において、第１レベルの光は、第２のレベルの光より明るい。他の実施形態において、第２のレベルの光は、第１のレベルの光より明るい。いくつかの実施形態において、センサアセンブリは、２つ以上の感知領域を規定し、２つレベルを超える光をアクティブ化させる。
【０１１６】
いくつかの実施形態において、発光部８２ａ、８２ｂは、概して（例えば地上に対して）同一の水平面に沿って配置されることができる。センサアセンブリは、ユーザがセンサアセンブリ８０の直前の第１の感知領域内に存在しているときに、制御装置に対して、明るい光をアクティブ化させることができる適切な信号を発行することができる。ミラーアセンブリ２の周囲において、ユーザが第２の感知領域内で存在しているときに、センサアセンブリ８０は、暗い光をアクティブ化させることができる。
【０１１７】
センサアセンブリ８０は、センサ８０の公称範囲内で重複する検出光錐を生成しない２つ以上の発光部８２ａ、８２ｂを含むことができる。第１の光錐は、第１の感知領域を規定し、第２の光錐は、第２の感知領域を規定する。ユーザが第１の感知領域内にのみ若しくは第２の感知領域内にのみ検出されると、センサアセンブリ８０は、光源６０からの第１のレベルの光をアクティブ化させる信号を制御装置に送る。一部の変形において、ユーザが第１および第２の感知領域内に同時に検出されれば、センサアセンブリ８０は、光源６０からの第２のレベルの光をアクティブ化させるために制御装置に信号を送る。いくつかの実施形態において、第１レベルの光は、第２のレベルの光より明るい。他の実施形態において、第２のレベルの光は、第１のレベルの光より明るい。
【０１１８】
光源６０のアクティブ化または光源６０から発光された光量の調整は、感知領域内のユーザの有無以外のファクタに基づくことができる。例えば、光源６０から発光された光量は、センサ８０の検出ゾーンおよび公称範囲内の動きに基づいて調整されることができる。一部の実施態様は、ユーザがプリセット方向（例えば、上、下、左、右、対角線上に、など）に自身の手を移動させると、制御装置は、光源６０から発光された光のアスペクト（例えば、色温度変更、色、または光度）を変更するように構成される。ユーザが移動し、その後、自身の手を反対方向に移動すると、反対の照明効果が達成されることになる。
【０１１９】
一旦光源６０がアクティブ化すれば、センサアセンブリ８０が感知領域内のオブジェクトを検出する限り、光源６０をアクティブ化させ続けることができる。代替え的に、光源６０は、所定の期間、アクティブ化され続ける。例えば、光源６０をアクティブ化させると、タイマーをイニシャライズすることができる。タイマーが切れる前にセンサアセンブリ８０がオブジェクトを検出しないと、光源６０は非アクティブ化される。タイマーが切れる前にセンサアセンブリ８０がオブジェクトを検出すると、制御装置は、直ちにまたは切れる時刻の後にタイマーを再初期化する。
【０１２０】
いくつかの実施形態において、センサアセンブリ８０は、感知領域内でのオブジェクトの移動を検出することができる。一部の実施態様において、オブジェクトの移動が事実上十分である場合、ミラーアセンブリはアクティブ化されることになる。いくつかの変形において、オブジェクトの移動の十分な量は、移動オブジェクトがある一定の最小サイズであるか否か（例えば人間の大人若しくは子どもに関して）、オブジェクトの移動がある一定の最低速度（例えば平均的な歩行速度若しくは手を振る速度）であるか否か、および／または、オブジェクトの移動がミラーアセンブリからのある一定の最大距離（例えば、約１０、５、３、２、若しくは１フィート未満）であるか否かに基づく。
【０１２１】
一旦アクティブ化させられれば、光源６０は、所定の期間、アクティブ化させ続けることができる。例えば、前述のように、光源６０をアクティブ化させると、タイマーをイニシャライズすることができる。タイマーが切れる前にセンサアセンブリ８０がオブジェクトからの十分な移動を検出しないと、光源６０は停止される。但し、タイマーが切れる前にセンサアセンブリ８０が事実上十分な移動を検出すると、制御装置は、ミラーアセンブリを動作状態に保持して、タイマーを再初期化する。いくつかの実施形態において、タイマーを再初期化するのに必要な対象物の移動の量は、種類、速度、または頻度において、非アクティブのミラーアセンブリを初めにアクティブ化させるのに十分な移動の量と同じか若しくはそれより小さくすることができるし、または、ミラーアセンブリに対するオブジェクトの近接距離は、非アクティブのミラーシステムを初めにアクティブ化させるのに十分なミラーアセンブリに対するオブジェクトの近接距離と同じか若しくはそれより小さくすることができる。例えば、ある一定の実施形態において、ミラーアセンブリをまず第１にアクティブ化させるのに不十分な移動は、ミラーアセンブリを一旦動作状態に能動的に保持するのに十分になり得る。時間調整機能および向上した感度機能は、ミラーアセンブリが時期尚早に若しくは予想外に、またはまだ使用中である場合に、停止させられないことを保証するために用いられることができる。
【０１２２】
１つ以上の感知領域は、ユーザがミラーアセンブリ２のオペレーションのアスペクトを制御することを可能にする任意のタイプの構成において用いることができる。例えば、１つ以上の感知領域は、異なるレベルの光を発光し、変動する期間の間動作し、ミラーを旋回させるミラーアセンブリ２または他の適切なパラメータをアクティブ化させるために用いられることができる。
【０１２３】
例えばいくつかの実施形態において、ミラーアセンブリ２は、１つ以上の動作モード、例えば、オンモードおよびオフモードを有する。制御装置は、異なる感知領域から受信された信号、動き、または他のパラメータに基づいて異なるモードをアクティブ化させることができる。以下に記載されるモードのいかなるものも、個別にまたは互いに組み合わせて用いることができる。
【０１２４】
ミラーアセンブリ２は、タスクモードを含むことができる。タスクモードがアクティブ化されると、ミラーアセンブリ２は、アクティブ化され続けるかまたは所定の期間センサにハイパーモードを登録させるために光源６０を作動させることができる（例えば、その間にセンサは、ゾーン内の移動に対する感度を増加させるかまたは感度ゾーンを大きく若しくは広くする、または、いくつかの他の感度信号検出を増加させるように構成される）。例えば、いくつかの実施形態において、ユーザがミラーアセンブリ２の長期間の使用を意図する場合に、とりわけ、ユーザの体位が長期間実質的に静止している場合、ユーザが依然としてミラーを見ている間に断続的な照明のロスを回避するために、タスクモードは、特に有用になり得る。タスクモードは、ユーザが感知領域内で検出されなくても、所定の時間アクティブ化され続けるために光源６０を作動させることができる。所定の時間は、３分、５分、１０分、または他の適切な期間以下にすることができる。タイマーが切れる前にセンサアセンブリ８０がユーザを検出しなければ、ミラーアセンブリ２は、タスクモードを非アクティブ化する。一部の実施形態において、ユーザが非アクティブ化するために光源３０に信号を送るまで、ミラーアセンブリ２は、タスクモードのまま留まる。
【０１２５】
ミラーアセンブリ２は、パワーセーブモードを含むことができる。パワーセーブモードがアクティブ化されると、光源６０は、パワーセーブモードでない場合のミラーアセンブリ２より少ない光を発する。パワーセーブモードは、ユーザがアクティブ化することができ、相対的に長い期間のミラーの使用をユーザが意図するときに用いることができる。代替え的に、ミラーアセンブリ２は、オンモードとオフモードとの間を自動的に遷移するようにパワーセーブモードに入る。例えば、光源６０がアクティブ化するときに、制御装置は、タイマーをイニシャライズすることができる。タイマーが切れる前にセンサアセンブリ８０がユーザを検出しなければ、制御装置は、パワーセーブモードに入り、第２のタイマーをイニシャライズする。第２のタイマーが切れる前にセンサアセンブリ８０がユーザを検出しなければ、制御装置は、光源６０を非アクティブ化する。
【０１２６】
ミラーアセンブリ２は、ハイパーモードを含むことができる。上記のように、いくつかの実施形態において、ミラーアセンブリ２は、２つの発光部を有することができる。一部の実施態様において、制御装置は、センサアセンブリ８０が２つの光錐が交差する領域（例えば一次感知領域）内でオブジェクトを検出するときにアクティブ化するべき光源６０のみを作動させる。いくつかの実施形態において、光源６０がアクティブ化された後、ミラーアセンブリ２は、ハイパーモードに入る。制御装置は、センサアセンブリ２が光錐（二次または一次感知領域）の一方若しくは両方のいずれかにおいてユーザを検出する限り、アクティブ化された光源６０を維持することができる。二次感知領域は、一次感知領域とは異なるようにすることができる。例えば、二次感知領域は、一次感知領域より大きくすることができる。いくつかの実施形態において、これは、ユーザが移動し、光源６０をアクティブ化し続けることを可能にする。ハイパーモードは、また、ユーザがミラーアセンブリ２の周囲に接近しているときに、故意でないアクティベーションを防ぐことによって、電力を節約するのを支援することができる。
【０１２７】
ミラーアセンブリ２は、また、周囲光の感知能力を含むことができる。例えば、周囲光が相対的に低い場合、光源６０からの発光は、周囲光が相対的に明るい場合よりも明るくなる。光受信部８３は、周囲光および送信器８２から発せられた光の両方を検出することができるし、または、ミラーアセンブリ２は、周囲光を検出するための第２のセンサアセンブリを含むことができる。
【０１２８】
制御装置は、検出された周囲光の量に基づいて光源６０を作動させるのに必要な信号の量を調整することができる。例えば、光源６０をアクティブ化するのに必要な検出光の量は、周囲光に比例させることができる。このような構成は、周囲光のレベルが少なめである（例えば暗くなったバスルーム照明内の）場合でさえ、光源６０がアクティブ化されることを可能にすることができる。周囲光が第１のレベル以下である場合、第１のレベルの反射信号が検出されると、制御装置は、光源６０をアクティブ化する。周囲光が第１レベルより大きい場合、（例えば第１レベルより大きい）第２のレベルの反射信号が検出されると、制御装置は、光源６０をアクティブ化する。
【０１２９】
制御装置は、また、光源６０によって発せられる光量を周囲光に基づいて調整することができる。このような構成は、とりわけ、周囲環境が薄暗い場合のように、ユーザの目が予め低い光レベルに調整されていた場合、例えば、ユーザの目にとって不快な極めて明るい光の開始バースト（starting burst）を発しないようにすることができる。例えば、光源６０によって発せられた光量は、検出された周囲光の量に比例させることができる。
【０１３０】
光源６０がアクティブ化され、および／または光源６０が非アクティブ化されるときに光源６０から発せられた光量を段階的に減少させる場合、制御装置は、また、光源６０から発光のレベルを段階的に増加させることができる。このような構成は、光源６０がオンのときに、ユーザの目に対する不快を抑止することができる。
【０１３１】
ミラーアセンブリ２は、また、較正モードを含むことができる。例えば、較正モードは、ユーザによって所望のとおり異なる出力特性をもつ個別の感知領域を較正することができる。アルゴリズムは、異なる機能を実行するために複数の感知領域を利用するように構成されることができる。例えば、ユーザは、第１のレベルの光（例えば低輝度光）に対応する第１の感知領域を構成し、第２のレベルの光（例えば高輝度光）に対応する第２の感知領域を構成することができる。別の例において、ユーザは、感知領域のサイズ（例えば、幅または高さ）を調整することができる。ユーザは、第１のレベルの光に対応する第１の感知領域を指定し、第２のレベルの光に対応する第２の感知領域を指定することができる。この較正モードは、ボタンを押圧する、センサをアクティブ化する、または他の適切なメカニズムなどの、ユーザインジケータによって作動させることができる。
【０１３２】
いくつかの実施形態において、ユーザがミラーの外周内のユーザの顔を接近してフィットすることを可能にするミラーから離れた適切な垂直距離において、ユーザの顔の中央が概してミラー部分のほぼ中央に配置されるように、理想的な感知領域は設計される。概してミラーの底部領域に配置された近接センサは、水平上の（例えば、約１５度の上方向などの少なくとも約１０度の上方向）上方の角度に傾けることができ、ユーザの顔（または他のオブジェクト）がミラーの前面から垂直の順方向における所定範囲内の距離で検出されると、アルゴリズムは、ミラーに対するパワー変化を作動させることができる。例えば、いくつかの実施形態において、第１の領域は、ミラーの前面から少なくとも約１０インチおよび／または約１２インチ以下（例えば約１１インチ）の範囲内にすることができ、第２の領域は、ミラーの前面から少なくとも約７インチおよび／または約９インチ以下（例えば約８インチ）の範囲内にすることができる。
【０１３３】
アルゴリズムは、検出された信号に基づいて光源６０をアクティブ化するコマンドを送るように構成されることができる。アルゴリズムは、また、異なるレベルの光を発するか、または期間を変更するように構成されることができる。アルゴリズムは、また、以上に論じられたあらゆるモードを含む１つ以上のモードを作動させるコマンドを送るように構成されることができる。コマンドは、受信された信号に基づいて変化することができる。例えば、信号は、オブジェクトとセンサアセンブリ８０との間の距離および／または他のパラメータ（期間または動きの経路）に依存することができる。
【０１３４】
光源がアクティブ化されると、アルゴリズムは、タイマーをイニシャライズすることができる。タイマーは、少なくとも３０秒、および／または６０秒以下、若しくは他の時間の間動作することができる。いくつかの実施形態において、タイマーは、３０秒未満の間動作することができる。いくつかの実施形態において、タイマーは、約５秒間動作することができる。いくつかの実施形態において、時間切れになると、光源は直ちにオフになる。いくつかの実施形態において、時間切れになる前にセンサアセンブリ８０がオブジェクトを検出する限り、光は、アクティブ化され続けることになる。センサアセンブリ８０がオブジェクトを検出すると、タイマーは、直ちに再開するか、または時間切れになると再開することができる。時間切れになる前にセンサアセンブリ８０がオブジェクトを検出しなければ、光源はオフになる。
【０１３５】
アルゴリズムは、センサを非アクティブ化するのを、または光源６０が非アクティブ化になる直後に光源６０が光の発するのを防ぐ遅延を組み込むことができる。遅延は、１秒、５秒、または他の時間にすることができる。遅延は、ユーザが誤って光源６０を作動させるのを防止することを支援する。遅延期間の間は、オブジェクトが遅延期間の間に感知領域内にあっても、光源６０は光を発しないことになる。センサアセンブリ８０が遅延期間の後にオブジェクトを検出すると、光源６０は、再び光を発することができる。
【０１３６】
いくつかの実施形態において、光源６０から発せられた光のレベルは、ユーザが感知領域内に留まる時間の長さには依存しない。一部の他のパラメータ（例えばユーザが領域内で感知される時間の長さなど）が同じであっても、光源６０から発せられる光のレベルを、異なる感知領域内のユーザの場所に依存して異なるようにすることができる。
【０１３７】
いくつかの実施形態において、ミラーアセンブリ２は、バッテリ寿命のステージに依存して光源に対して供給される電源の電気的特性を調整する（例えば電流が減少させるにつれて電圧を増加させる、または電圧が減少させるにつれて電流を増加させる）ことによって、電池性能がその寿命の終端に近づいている（充電を必要とする）ときでも、概して一定レベルの光源（例えばＬＥＤ）輝度を維持するように構成されたアルゴリズムを含むことができる。
【０１３８】
いくつかの実施形態において、ミラーアセンブリ２は、偽のトリガなどによって若しくは無生物の有無によってミラーが不注意にアクティブ化されたか否かを検出するように構成されたアルゴリズムを含むことができる。例えば、センサがオブジェクトを検出すると、制御装置は、タイマーをイニシャライズすることができる。タイマーが切れる前にミラーアセンブリ２が移動を検出しなければ、光源はオフになる。ミラーアセンブリ２が移動を検出すると、タイマーは、再イニシャライズすることができる。
【０１３９】
上述のように、ミラーアセンブリ２は、様々なスキームおよびアルゴリズム、ミラーアセンブリ２の入出力特性、および機能によって、制御することができるプロセッサを含むことができる。いくつかの実施形態において、プロセッサは、センサアセンブリ８０および／または静電容量式タッチセンサ７１によって受信された信号に対して応答する。一部の実施形態において、プロセッサには、センサアセンブリ８０または静電容量式タッチセンサ７１が、ミラーアセンブリ２アルゴリズム（例えば、センサ領域、光源の輝度、光源の暖かさ、光の色、ＣＲＩなどに関するアルゴリズム）のいずれか１つ以上をコントロールすることを可能にする。
【０１４０】
ミラーアセンブリ２は、また、ミラーアセンブリ２の諸特性に関する一部の命令および／または設定に加えて、様々なユーザ設定、制御方式、およびアルゴリズムを保存するファームウェアなどのメモリを含むことができる。例えば、メモリは、感知領域のサイズ、センサの感度、出力光のレベル、様々なタイマーの長さ、およびそれ以外のものに関する命令および／または設定を含むことができる。
【０１４１】
ミラーアセンブリ２は、ソフトウェアを装備しているコンピュータ（例えば、スマートフォン、ラップトップなど）またはコンピュータおよび／またはミラーアセンブリが本明細書に記載されおよび／または図示された機能、タスク、および／またはステップのいずれかを実行することを可能にするように構成される「アプリ」に対して、ミラーアセンブリ２を接続するなどによって、ユーザがメモリを改良（例えば、更新、プログラム、またはそれ以外）することができるように構成されることができる。例えば、ミラー２は、（例えば、ＵＳＢ、ケーブルを用いて）ポート７８を介してコンピュータに通信的に接続することができる。データは、ポート７８を介してコンピュータとミラーアセンブリ２との間を伝送されることができる。ミラーアセンブリ２は、セルラ、Ｗｉ−Ｆｉ、またはＢｌｕｅｔｏｏｔｈ（登録商標）ネットワーク、赤外線、またはそれ以外のものなどによって、コンピュータまたはネットワークに無線で通信するように代替え的に構成することができる。
【０１４２】
いくつかの実施形態において、特定の環境のための光信号を含むデータベースは、（例えば、ユーザまたは第３者によって）アセンブルされ、ミラーアセンブリ２および／またはコンピュータ上のメモリ内に保存されることができる。このデータベースは、例えば、個々の環境（例えば、レストラン、異なる時間帯または季節における、または異なる天候状況を伴うアウトドア会場、スポーツのアリーナ、オペラハウス、ダンス会場、クラブ、講堂、オフィス、バーなど）のための特定の光パラメータ（例えば、色温度、光度、色相など）を含むことができる。一部の実施形態において、個々の外部の光環境は、例えば、晴天、空を覆う雲、晴れ、曇り、月明かり、星明かりなどを含むことができる。いくつかの実施形態において、ユーザは、（例えば、データベースにリストアップされた会場若しくは同様の会場に参加するための準備において）光と調和した身繕いおよびメーキャップを行なうために、ミラーアセンブリ２の光のパラメータの設定においてこのデータベースをアクセスすることができる。例えば、一部の変形において、ユーザは、装置（例えば、携帯型装置、タブレット、コンピュータ、サムドライブ、スマートフォン）に会場の光パラメータをダウンロードし、（例えば、導管およびポートを用いて、またはＢｌｕｅｔｏｏｔｈ（登録商標）若しくはＷｉ−Ｆｉを用いた無線で、ミラーアセンブリを装置に接続することによって）ミラーアセンブリ２に対してその情報を伝送することができる。（例えば、プロセッサ、または記憶装置ユニットに対して）一旦ダウンロードされれば、ミラーアセンブリは、データベースにおいて示唆された設定と調和するように光パラメータを自動的に設定することができる。いくつかの実施形態において、これらの光設定のいずれも、プリセットされることができるし、および／または、ミラーアセンブリの（例えば、データベースからのダウンロードの必要性がない）メモリ上に含まれることができる。いくつかの実施形態において、ユーザは、これらのプリセット設定（例えば、タッチスクリーン、静電容量式タッチセンサ、ボタン、無線装置、ｅｔｃ．を用いて）のいずれかを手動的に選択することができ、ユーザは、ユーザ自身の個人的調整から１つ以上の異なる設定を手動的に生成して保存することができる。個人的な（例えば手動の）調整は、光アセンブリから発せられた光の色調、色、色温度、輝度および光度のうちの１つ以上を操作することによって（例えば、タッチスクリーン、静電容量式タッチセンサ、ボタン、無線装置、などを用いて）実行することができる。
【０１４３】
いくつかの実施形態において、ミラーアセンブリ２は、情報源（例えば、インターネット、ホームシステムなど）からの環境情報（日付、時間、季節、天気など）にアクセスするように構成されることができる。いくつかの実施形態において、この情報は、ミラーアセンブリに対して無線でまたは有線接続を通じて伝送することができる。いくつかの実施形態において、ミラーアセンブリ２は、それらの条件と最良に調和する環境情報上に自動的に基づいた特定の光パラメータを選択するアルゴリズムをもつソフトウェアまたはハードウェアモジュールを含むことができる。いくつかの実施形態において、ミラーアセンブリは、学習装置を備えることができるし、および／または、このような装置（例えばＮＥＳＴ（登録商標）装置）と通信するために集積されることができる。いくつかの実施形態において、この機能は、ミラーアセンブリがユーザ活動度（例えば、ユーザが家にいるか、ベッドにいるか、バスルームにいるかなど）に基づいて、および／または集積装置（例えばＮＥＳＴ（登録商標）装置）によって採集された情報に基づいて機能するおよび／またはプログラミング若しくは自身を調整することを可能にする。いくつかの実施形態において、情報が受信された後、ミラーアセンブリは、例えば、外部の天気（例えば外部の発光状態）、周囲照明、在宅者の有無（例えば、電力節約）、時刻（例えば、アラーム、点滅点灯、ナイトライトなどを機能すること）、またはそれ以外のものに基づいて、照明設定を自動的に選択することができる。いくつかの実施形態において、上記の機能のいずれかは、ユーザからの入力に基づいて、オフにすることができるし、または優先させることができる。
【０１４４】
いくつかの実施形態において、ミラーアセンブリは、アラーム若しくはリマインダ、またはユーザに対する１つ以上の種類の情報のコンベアのように機能することができる。例えば、いくつかの実施形態において、ミラーアセンブリは、イベントのための時刻であることを示すことができるし、または、特定の時間が経過したか、若しくは特定の時刻に到達したことを示すことができる。一部の実施態様において、ミラーアセンブリアラーム機能は、時刻（例えば、起床する時刻、シャワーを浴びる時刻、メーキャップをする時刻、または下校する時刻、または作業または他のいくつかのイベントの時刻）に到達すると、ユーザに対して合図を提供することによって動作する。いくつかの実施形態において、アラームは、ユーザによって手動的に設定することができるし、および／または、自動的に設定することができる。例えば、ユーザは、平日の特定の繰り返される時刻および週末別の異なる時刻において、アラーム機能上をアクティブ化する（または非アクティブ化する）ように設定することができる。自動的にアクティブ化および非アクティブ化するように設定
すれば、ミラーアセンブリは、ユーザに関する特定の情報（例えば、ユーザの個人的な電子的カレンダー内の特定の記入事項）に基づいてアラームを設定することができる。一部の実施態様において、自動的なアラーム設定は、ユーザの過去の振る舞い、または公共のソース（例えばインターネット）から採集された情報に基づくことができる。
【０１４５】
いくつかの実施形態において、例えば、イベントのタイミングが遅れたり、イベントへの交通状況が変化したりした場合、ミラーアセンブリは、アラームのタイミングを自動的に調整することができる。ミラーアセンブリは、また、アラーム変更を行なう前にアラーム変更の示唆を表示することができ、示唆された変更の理由付けを（ＬＣＤスクリーンまたは同種のものに）表示することができる。同様に、いくつかの実施形態において、ミラーアセンブリは、変更された天気または他の光特性に基づいて異なる光設定を調整若しくは示唆することができる。
【０１４６】
いくつかの実施形態において、ユーザに対して提供されたアラーム合図は視覚的である。視覚的な合図は、光源のフラッシュ、光源の調光、ミラーアセンブリ（および光源）のパワーダウン、光源の光輝化、光源の色変化など（ユーザに対するアラーム色を断続的にフラッシュ）を含むことができるだろう。いくつかの変形において、ミラーアセンブリの他の機能または追加的な機能は、視覚的な合図を提供する。例えば、いくつかの実施形態において、ＬＥＤ（光バルブ、着色パネルなど）は、ミラー面またはミラーフレームのうちの１つ以上の周囲上に提供される。いくつかの実施形態において、アラームＬＥＤは、ユーザに対する他の視覚的な合図に光を当てる、視覚的な合図を明滅させる、または提供する。一部の実施形態において、アラームは、点灯したときに視覚的な合図およびアラームシステムがミラー面を通じてのみ見えるようになるようにマジックミラーとして機能するミラー面の部分の背後に隠すことができる。いくつかの実施形態において、ミラーアセンブリは、（本明細書の他の箇所で説明されたように）アラームとして機能することができる機能を含むディスプレイを備える。例えば、ディスプレイは、イベントの時刻（例えば開始時刻）であることを示すためにタイマー、クロック、減っていくバースケール、着色したインジケータ（例えば、緑から黄色に、さらに赤に変化する）、または同種のものを示すことができる。
【０１４７】
一部の変形において、合図は、聴覚性である。聴覚性合図は、ベル音、ビープ音、警告音、ブザー、音楽若しくはラジオ放送の電源オン、音楽若しくはラジオ放送の静音若しくは消音、音声によって生成された声明（例えば、「おはよう」、「出かける時間」、「おやすみ」などの表示）などの１つ以上を含む。聴覚の合図が音声である場合のいくつかの実施形態において、音声は、（例えば、ユーザによって）記録すされる、予め記録される（例えば、製造中にインストールされたプリセット）、コンピュータ化される、またはアプリケーションを用いてダウンロードされることができる。
【０１４８】
一部の実施態様において、ユーザに対して提供される合図は、いくつかの他の感覚的に知覚されたインジケータ（例えば、振動または他の物理的な合図）である。いくつかの実施形態において、１つ以上の合図（または合図タイプ）を併用して用いることができる。
【０１４９】
いくつかの実施形態において、（視覚的、聴覚的、物理的、またはその他の）アラームを提供する装置は、ミラーアセンブリのベース、シャフト、または頭部上に設置される。いくつかの実施形態において、例えば、合図は、ミラーアセンブリ、シャフト、ベース、またはそれ以外のものの後部、前部、側面、頂部、または底部上に設置することができるスピーカによって提供される。
【０１５０】
いくつかの実施形態において、ミラーアセンブリまたはコンピュータ内のソフトウェアまたはハードウェアモジュールは、ユーザが、ミラーアセンブリから特定の所望の設定（例えば、お気に入りの色温度、光度、色相など）をダウンロードするためにコンピューティング装置（例えば、コンピュータ、スマートフォン、または同種のもの）を用いて、ミラーアセンブリ２の特定のデフォルト設定を設定することを可能にするように構成されることができる。一部の変形において、ミラーアセンブリまたはコンピュータ内のソフトウェアまたはハードウェアモジュールは、（例えば、有線で、無線で、またはそれ以外のもので）コンピューティング装置から所望の設定をアップロードすることによって、ユーザがミラーアセンブリをそれらの所望の設定に後でリセットすることができることを可能にするように構成されることができる。一部の実施形態において、ユーザは、特定のミラーアセンブリ設定（例えば、照明設定、ミラー位置など）を設定し、それらの設定を保存／格納することができる。
【０１５１】
いくつかの実施形態において、特定の会場に参加する場合、ユーザは、特定の環境の光パラメータを検出するために（例えば、スマートフォン、他の移動性電子通信装置、または別のデータ収集装置上の）感知装置を用いることができる。一部の実施態様において、そして、ユーザは、感知装置を用いて、会場において光信号を取り込むことができる。ユーザは、その特定の環境と調和するミラーアセンブリ２を較正するために（またはミラーアセンブリのメモリ内に保存することができる新たなプリセット光環境を生成するために）、この光パラメータ情報を後で用いることができる。いくつかの実施形態において、アプリケーション（ソフトウェアなど）は、ユーザが特定の会場において光信号を取り込むことを可能にする感知装置上にロードされることができる。いくつかの変形において、例えば、光環境取り込みアプリケーション（アプリストアまたはオンラインにおいて入手可能）は、モバイル通信装置にダウンロードされ、アプリが開かれる場合、光信号は、装置上のボタンの作動によって、またはタッチスクリーンに係合して接触することによって、自動的に取り込むことができる。いくつかの実施形態において、ユーザは、感知装置を用いて画像または「自分の写真」を撮影するなどによって点灯情報を採集することができる。そして、一部の実施態様において、点灯情報または画像または「自分の写真」は、光環境情報をそこから取り込むためにソフトウェアまたはアプリケーションによって分析されることができる。
【０１５２】
いくつかの実施形態において、較正の実施は、特定の環境の光パラメータを検出するために用いられることができる。例えば、一部の実施態様において、較正カードを用いることができる。いくつかの変形において、較正カードは、様々な色をもつ様々な形状若しくは画像、または色の陰影を含むいくつかの実施形態において、感知装置が較正カードを観察すると（例えばカードに反射される周囲光が感知装置によって感知されると）、環境の光のパラメータが取り込まれる。
【０１５３】
ミラーシステム、モバイル装置とユーザとの間の（付加的または代替え的な）他のタイプの対話は、上記載のものに加えて可能である。例えば、ユーザは、データをミラーシステムに入力することができてもよいし、または他の装置（キーボード、マウス、またはリモートコントロール）を通じてミラーシステムを制御することができてもよい。いくつかの実施形態において、ミラーシステム設定は、１つ以上のコンピューティング装置（いくつかの相互に接続する装置）により実施することができる。したがって、ミラーシステムにおいて表される構成部品の各々は、様々な機能を実行するためのハードウェアおよび／またはソフトウェアを含むことができる。
【０１５４】
いくつかの実施形態において、ミラーシステムおよび／またはコンピューティング装置は、ミラーシステム若しくはアセンブリのためのコンピュータ実行可能命令を格納するための非一時的なコンピュータ読み取り可能媒体を備える。一部の実施形態において、コンピュータ実行可能命令を格納するコンピュータ読み取り可能媒体は、１つ以上のプロセッサによって実行されたときに１つ以上のプロセッサに、感知装置から光環境情報を受信するステップと、ミラーアセンブリ上の光設定と感知装置によって受信された光環境とを比較するステップと、ミラーアセンブリ上の光環境と光の設定との比較に少なくとも部分に基づいて光環境からの若しくは光環境に近接する偏差を示すステップと、光環境情報と調和若しくは近似するミラーアセンブリの光の設定を調整するステップとのうちの１つ以上を実行させる。
【０１５５】
一部の実施形態において、１つ以上のプロセッサは、光環境および／または光の設定の１つ以上のアスペクトの指標をディスプレイに表示させるように構成される。例えば、いくつかの実施形態において、ディスプレイは、光環境および光設定の間の偏差、光環境に関する情報（それが取り込まれたときの日時、時刻、季節、温度など）、（光環境情報と調和するために光の設定の１つ以上を変更したいか否かをユーザに質問する）プロンプトなどを表示する。
【０１５６】
いくつかの実施形態において、コンピュータ実行可能命令を格納する非一時的なコンピュータ読み取り可能媒体は、モバイル装置内に配置するか、またはモバイル装置上に（例えばインターネットを介してなど）ダウンロードされるように構成されたメディア内に配置される。いくつかの実施形態において、コンピュータ実行可能命令を格納する非一時的なコンピュータ読み取り可能媒体は、ミラーアセンブリ上に配置される。
【０１５７】
本明細書に別記されるように、いくつかの実施形態において、ミラーアセンブリおよびその構成部品は、１つ以上のコンピューティング装置によって作動させられるか、または１つ以上のコンピューティング装置を含む。例えば、いくつかの実施形態において、中央処理装置（ＣＰＵ）、入出力（Ｉ／Ｏ）コンポーネント、ストレージ、および／またはメモリを含む構成部品を有するコンピューティング装置（ミラーシステムの一部またはミラーシステムの遠隔の部分のいずれか）は、ミラーシステムのプロセスのいくつかまたはすべてを実行するために用いられてもよい。入出力コンポーネントは、ディスプレイ（例えば、タッチスクリーン）、ネットワークに対するネットワーク接続、コンピュータ読み取り可能なメディアドライブ、および他の入出力装置（例えば、キーボード、マウス、スピーカ、タッチスクリーンなど）を含むことができる。ソフトウェアおよび他のモジュールは、常駐して、サーバ、ワークステーション、パーソナルコンピュータ、コンピュータ化されたタブレット、ＰＤＡ、および本明細書に記載した目的に適する他のコンピューティング装置上で実行してもよい。ソフトウェアおよび他のモジュールは、ローカルメモリを介して、ネットワークを介して、ブラウザを介して、または本明細書に記載された目的に適する他の手段を介して、アクセス可能であってもよい。本明細書に記載されたデータ構造は、本明細書に記載した目的に適した、コンピュータファイル、変数、プログラミングアレイ、プログラミング構造、または任意の電子情報ストレージスキームまたは方法、またはその任意の組み合わせを備えてもよい。本明細書に記載されたユーザインタフェース構成要素は、グラフィカルユーザインタフェース、双方向音声応答、コマンドラインインタフェース、および他の適切なインタフェースからの構成要素を備えてもよい。いくつかの実施形態において、ミラーシステムは、以上に記載されたものとは異なって構成されてもよい。
【０１５８】
ミラーアセンブリの設定または本明細書に別記されるような他の情報の１つ以上は、コンピューティング装置のメモリ内に、および／または他のタイプの非一時的なコンピュータ読み取り可能な記憶媒体上に、１つ以上の実行可能プログラムモジュールとして格納することができ、ミラーシステムは、ネットワークまたは他の通信リンク上のコンピューティング資産と対話することができる。いくつかの実施形態において、ミラーシステムは、追加部品または以上に記載されたものよりも少数のコンポーネントを有してもよい。
【０１５９】
一部の実施態様において、この明細書内に別記されたプロセス、方法、およびアルゴリズムの各々は、１つ以上のコンピュータ、コンピュータプロセッサ、またはコンピュータ命令を実行するように構成されたマシンによって実行されるコードモジュール内に、完全に若しくは部分的に自動化されて具体化されてもよい。コードモジュールは、ハードディスク、ソリッドステートメモリ、光ディスク、および／またはその他同種のものなどの、あらゆるタイプの非一時的なコンピュータ読み取り可能記録媒体または有形的コンピュータ記憶装置上に格納されてもよい。プロセスおよびアルゴリズムは、特定用途向け回路内で部分的にまたは全体として実施されてもよい。開示されたプロセスおよび処理ステップの結果は、例えば揮発性若しくは不揮発性記憶装置などの任意のタイプの非一時的なコンピュータ記憶装置内に永続的にまたはそれ以外の方法で格納されてもよい。
【０１６０】
実施形態に依存して、本明細書に記載されたプロセス、またはアルゴリズムのいずれか一部の動作、イベント、または機能は、異なるシーケンスにおいて実行されることができる、または追加され、マージされ、いっしょくたに省略されることができる（例えば、記載されたすべてのオペレーションまたはイベントが、アルゴリズムの実行のために必要だとは限らない）。さらに、一部の実施形態において、オペレーションまたはイベントは、例えば、マルチスレッド処理、割込処理、または複数のプロセッサ若しくはプロセッサコアを通じて、または他のパラレルアーキテクチャー上で、シーケンシャルにではなく、同時に実行することができる。
【０１６１】
本明細書に開示の実施形態に関して記載された、様々な例証となる論理ブロック、モジュール、ルーチン、およびアルゴリズムステップは、電子ハードウェア、または電子ハードウェアと実行可能なソフトウェアとの組み合わせとして、実施することができる。この互換性を明らかに示すために、様々な例証となるコンポーネント、ブロック、モジュール、およびステップは、それらの機能の点から以上に概して記載されてきた。このような機能は、全体的なシステム上で課された特定の用途および設計制約条件に依存して、ハードウェア、またはハードウェア上で動作するソフトウェアとして実施される。記載された機能は、特定用途ごとに変動する方法で実施することができるが、但し、このような実施の決定は、本開示の範囲からの逸脱を引き起こすように解釈されるべきでない。
【０１６２】
さらに、本明細書に開示の実施形態に関して記載された様々な例証となる論理ブロックおよびモジュールは、プロセッサ装置、デジタル信号プロセッサ（ＤＳＰ）、特定用途向け集積回路（ＡＳＩＣ）、フィールドプログラマブルゲートアレイ（ＦＰＧＡ）、他のプログラマブルロジックデバイス）、ディスクリートゲート若しくはトランジスタロジック、ディスクリートハードウェアコンポーネント、または本明細書に記載された機能を実行するように設計された任意の組み合わせなどの、マシンによって実施若しくは実行することができる。プロセッサ装置は、マイクロプロセッサにすることができるが、代替案において、プロセッサ装置は、制御装置、マイクロコントローラまたはステートマシン、同一のまたは同種のものの組み合わせにすることができる。プロセッサ装置は、コンピュータ実行可能命令を処理するように構成された電気回路を含むことができる。別の実施形態において、プロセッサ装置は、コンピュータ実行可能命令を処理せずに、論理演算を実行するＦＰＧＡまたは他のプログラマブルデバイスを含む。プロセッサ装置は、また、例えばＤＳＰとマイクロプロセッサ、複数のマイクロプロセッサ、ＤＳＰコアと連動する１つ以上のマイクロプロセッサ、または他のこのような構成の組み合わせなど、コンピューティング装置の組み合わせとして実施することができる。主としてデジタル技術に関して本明細書に記載されたが、プロセッサ装置は、また、主としてアナログコンポーネントを含んでもよい。例えば、本明細書に記載された信号処理アルゴリズムのいくつかまたはすべては、アナログ回路または混合のアナログおよびデジタル回路において実施されてもよい。コンピュータ環境は、 いくつか挙げるとするなら、マイクロプロセッサ、メインフレームコンピュータ、デジタル信号プロセッサ、携帯コンピュータ装置、デバイスコントローラ、または機器内のコンピュータエンジンに基づくコンピュータシステムを限定されずに含む任意のタイプのコンピュータシステムを含むことができる。
【０１６３】
本明細書に開示の実施形態に関して記載された方法、プロセス、ルーチン、またはアルゴリズムの要素は、ハードウェア、プロセッサ装置によって実行されるソフトウェアモジュール、またはその２つの組み合わせによって、直接的に具体化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または他の形式の非一時的なコンピュータ読み取り可能記録媒体に常駐することができる。例示的な記憶媒体は、プロセッサ装置が記憶媒体から情報を読み取り、記憶媒体に情報を書き込むことができるように、プロセッサ装置に連結することができる。代替案において、記憶媒体は、プロセッサ装置に対して一体化されることができる。プロセッサ装置および記憶媒体は、ＡＳＩＣに常駐することができる。ＡＳＩＣは、ユーザ端末に常駐することができる。代替案において、プロセッサ装置および記憶媒体は、ディスクリート部品としてユーザ端末内に常駐することができる。
【０１６４】
ミラーアセンブリ２がコンピュータと電子的に通信する場合、ソフトウェアまたはハードウェアモジュール（例えば「アプリ」）は、コンピュータ上にコントロールパネルを表示し、および／または本明細書に図示されおよび／または記載されたタスク、ステップ、または機能のいずれかまたはすべてを実行するように構成することができる。コントロールパネルは、ミラーアセンブリ２に対して様々な入出力特性をユーザが調整することを可能にしてもよい。例えば、ユーザは、発光部分の出力および／または送信器の感度を調整するためにコントロールパネルを用いることができる。ユーザは、また、第１の感知領域および第２の感知領域に関連する光レベルを構成することができる。別の例において、ユーザは、１つ以上の感知領域のサイズ（例えば、深さ、幅、および／または高さ）を調整することができる。いくつかの実施態様において、ユーザは、時刻、周囲光のレベル、バッテリ電源の残量、およびそれ以外のものなどのある一定の条件に基づいて、光源６０のオペレーションおよび出力（例えば光の強度および／または色）を改善するためにコントロールパネルを用いることができる。一部の変形において、コントロールパネルをもつミラーアセンブリ２の操作上のパラメータを改善する能力は、ミラーアセンブリ２上の１つ以上の調整装置（例えば、ボタン、ノブ、スイッチ、または同種のもの）の必要性を減少若しくは回避することができ、それによって、ミラーアセンブリ２の概して一様な外表面を提供し（それは掃除を容易にすることができる）、（ミラーアセンブリ２を搬送する場合など）操作上のパラメータの故意でない調整の可能性を低減する。
【０１６５】
様々な実施形態において、コントロールパネル（および／または本明細書に別記された静電容量式タッチセンサ）の代わりに、またはそれに加えて、１つ以上の物理的なダイヤル（または、ノブ、スイッチ、スライドキー、ボタンなど）は、この明細書内に記載されおよび／または図示されたいずれかの機能を実行若しくは作動させるためにミラーアセンブリ上に提供されることができる。コントロールパネル（または静電容量式タッチセンサ）のようなこれらの物理構造は、本明細書に記載されたミラーアセンブリの各種設定（例えば、発光の品質、発音の量、アラームのタイミング、ディスプレイの輝度など）のいずれかを変更するために用いることができる。
【０１６６】
本明細書に記載された他の制御機構の代わりに、またはそれに加えて、一部の実施態様において、ディスプレイ（例えば、仮想ディスプレイ、タッチスクリーン、ＬＣＤ、ＯＬＥＤ、ＬＥＤ、または同種のもの）を、ミラーアセンブリ上に提供することができる。いくつかの実施形態において、ディスプレイは、視界から隠される（例えばミラーの後部上に）。いくつかの変形において、ディスプレイは、ミラーアセンブリのミラー面の１つ以上の部分の背後に（および／またはその内部に）ある。例えば、いくつかの実施形態において、ディスプレイは、ミラーアセンブリの表面のマジックミラー部分の背後に位置する。照明の際に、ディスプレイは、ユーザに対して見えるようになる。いくつかの変形において、非アクティブの場合、ディスプレイは、もはや見えず、ミラーのまさに別の部分であるように見える。一部の実施態様において、ディスプレイは、ユーザからの入力によって（例えば、ミラーまたはディスプレイ部分への接触によって、音声コマンドを明言することによって、ミラーが認識するようにプログラミングされた移動をすることによって、または本明細書に別記された他のアクティブ化方法のいずれかによって）アクティブ化される。
【０１６７】
いくつかの実施形態において、ディスプレイは、本明細書に図示されおよび／または記載されるタスク、ステップ、または機能のいずれか若しくはすべてを実行するように構成されることができる。例えば、一部の実施態様において、ディスプレイは、静電容量式タッチセンサ（例えば、タッチスクリーン）と電子的に通信する。アクティブなとき、ディスプレイは、いくつかのレベルの照明可変性（例えば、輝度、色温度など）を示すことができる。そして、静電容量式タッチセンサは、その可変性を変更するために、所定の指のスライド、タップ、または回転を通じて、ユーザからの入力を受信することができる。例えば、いくつかの実施形態において、ディスプレイは、光カラムから発せられた光の特質（例えば、光の輝度、色、または温度）を変更するために用いることができる、１つ以上の仮想ダイヤル、ノブ、またはスイッチを示す。
【０１６８】
いくつかの変形において、ディスプレイは、さらに（若しくは代替え的に）ユーザに対する情報を提供するために用いることができる。例えば、いくつかの実施形態において、ディスプレイは、時計、広告ブロック、（ユーザのスマートフォンによって受信されたテキストメッセージを表示する）テキストメッセージパネル、（ユーザの電子メールアドレスによって受信された電子メールメッセージを表示する）電子メールパネル、または同種のものとして機能することができる。いくつかの実施態様において、ディスプレイは、情報源（例えば、インターネット、ホームコンピュータなど）から情報を受信し、ユーザの過去の振る舞い（例えば購入、訪問されたウェブサイトなど）に基づいて、ユーザに対して関連情報を送信する。実例として、過去のメーキャップの購入に基づいて、ディスプレイは、同様のメーキャップ、販売、促進などに関する情報を提供してもよい。ユーザが参加した過去の会場に基づいて、ミラーは、他の同様のイベントを示唆してもよい。ディスプレイは、また、トラフィック状況または変更された会合時刻のような更新により（例えばアラーム）来るべきイベントに関する情報を提供してもよい。
【０１６９】
一部の変様において、ミラーアセンブリは、顔認識機能を備えてもよい。一部の実例では、いくつかの異なる対象物は、同一のミラーアセンブリを利用してもよい。顔認識は、ミラーアセンブリが特定のユーザを認識し、そのユーザに基づいて、ある一定のベースラインパラメータを選択することを可能にする。例えば、「ユーザ１」が平日に蛍光灯の下で動作すれば、ミラーアセンブリは、その「ユーザ１」が認識される平日朝に対応する光プロファイルをロードことができ得る。「ユーザ２」が主として週末（このときそのユーザは認識される）に白熱電球によって照明される環境において動作すれば、それらの光パラメータを選択することができ得る。いくつかの実施形態において、特定個人の電子メール、テキスト、または示唆されたプロモーションは、そのミラーに対する個々の近接に基づいて表示される。
【０１７０】
一部の実施態様において、顔認識機能は、ディスプレイが特定ユーザに対する特別仕立ての／対象とする（例えば、メーキャップなどのための）プロモーションを示すことを可能にする。実例のために、いくつかの実施形態において、ミラーは、ユーザの顔色、皮膚のトーン、または髪色を評価してもよい。いくつかの変形において、ディスプレイは、その後、ユーザが購入するべき製品を示唆することができる。いくつかの実施形態において、製品またはプロモーションが表示されると、ユーザは、特定エリア内の静電容量式タッチセンサ（例えば「購入」または「ブックマーク」ボタン）への接触によって、アイテムを購入するか若しくはブックマークをつけることができる。
【０１７１】
いくつかの実施態様において、ミラーアセンブリ２がコンピュータと通信にある場合、ミラーアセンブリ２からコンピュータに対してデータを伝送することができる。例えば、ミラーアセンブリ２は、電力消費量、推定された残存するバッテリ電源、光源６０のアクティブ化および／または非アクティブ化の数、（例えば、個々の事例の、および／または全体の）光源６０の使用長さ、およびそれ以外のものなどのデータを伝送することができる。平均を計算し、（例えば特定の期間中の）使用統計値を検討し、異常なアクティビティを認識および／または注目し、および使用統計値をグラフ上に表示するためになど、伝送データを分析するために、ソフトウェアを用いることができる。ミラーアセンブリ２からコンピュータに対して使用統計値を伝送することは、ユーザがモニタを利用することを可能にし、ユーザが（例えば、以前の利用およびパラメータに基づいて）ミラーアセンブリ２の異なる特性を較正することを可能にする。ミラーアセンブリ２からコンピュータに対してデータを伝送することは、さらに、ミラーアセンブリ自体の１つ以上の調整またはディスプレイ装置の必要性を減少若しくは回避することができる。
【０１７２】
ミラーアセンブリ２がコンピュータと通信にある場合、コンピュータは、また、ミラーアセンブリ２に対してデータを伝送することができる。さらに、ミラーアセンブリ２がコンピュータと通信にある場合、このような双方向データ転送の前に、その間、にまたはその後に、バッテリ７４に対して電位を提供することができる。
【０１７３】
ミラーアセンブリ２の後側面においては、ハウジング１０は、少なくとも部分的にミラーアセンブリ２の１つ以上のコンポーネントを包囲するように構成することができる中央支持体バッキング４１ｂを含むことができる。図７〜図９および図２１に示されるように、中央支持体バッキング４１ｂは、ヘッド部４０に係合するために、旋回部３２が延伸することができる開口部３６を含むことができる。中央支持体バッキング４１ｂは、また、温度をさらに低減するために１つ以上のベント７５を含むことができる。一部の変形において、ミラーアセンブリ２は、ヘッド部と支持バッキングとの間に配置されたガスケットを含むことができる。先に言及されたように、旋回部３２は、ヘッド部４０とシャフト部３０と接続することができる。
【０１７４】
一部の実施形態において、旋回部３２は、１つ以上の方向に（例えば、上に、下に、右に、左に、時計回りに、反時計回りになど）ミラー５０が旋回されることを可能にする。旋回部３２は、１つ以上のボールジョイント、１つ以上のヒンジ、またはそれ以外のものを含むことができる。図２１〜図２３に示されるように、旋回部３２は、（上下移動を可能にする）垂直のスイベルジョイント３４と、（右から左への移動を可能にする）横のスイベルジョイント３３を備えてもよい。いくつかの実施形態において、垂直のスイベルジョイント３４は、バネ３８によるバネ荷重がある。バネ３８（または方向性の抵抗力を引き起こす別の同様の機能）は、わずかな抵抗力により（垂直位置から図２２に示される垂直から離れた位置γに対して）ユーザがミラーを後方に容易に傾けることができるように、および、垂直位置に頭部４０を戻す場合にはさらなる抵抗力により、ヘッド部に重み感を持たせることができる。
【０１７５】
上述したように、旋回部３２の様々な機能は、ヘッド部４０に多方向性の移動能力を与える。例えば、ヘッド部４０は、ミラー５０の表面に対しておよび地上に対して概して平行な軸に沿って、および／またはミラー５０の表面に対して概して平行で、地上に対して垂直である軸に沿って、調節可能（例えば、摺動自在に移動可能および／または回転可能に）にすることができる。付加的に、シャフト部３０は、ミラー５０の表面に対して概して平行で且つ地上に対して垂直である軸に沿って調節可能（例えば、摺動自在に移動可能および／または回転可能に）にすることができる。筺体部１０は、さらに、シャフト部２０に沿うなどの、付加的な旋回部を含むことができる。
【０１７６】
ミラーアセンブリ２の高さを調整するために、シャフト部３０は、ミラーアセンブリ２がベース２０上に配置される場合に、地上に対して概して垂直に伸縮するおよび／または平行移動させるように構成することができる。いくつかの実施形態において、シャフト部３０の高さは、約４、約６、約８、約１０、約１５、約２０、約２５、約５０インチ、前述の値の間の収まる範囲、前述の値の間の値、またはそれ以外の値以下（ベース２０からヘッド部４０に対して測定された）の長さに調整することができる。いくつかの実施形態において、シャフト部３０の高さは、約４インチ以内で調整することができる。いくつかの実施形態において、シャフト部３０の高さは、約３インチ以内で調整することができる。
【０１７７】
シャフト部３０は、プラスチック、ステンレス鋼、アルミニウム、または他の適切な材料を備えることができる。いくつかの実施形態において、シャフト部３０は、少なくともその外側表面の一部上に、ゴム、ポリアミド系合成繊維、およびプラスチックなどの圧縮可能な材料を備えることができる。
【０１７８】
ヘッド部４０の一部は、シャフト部３０の縦軸から外部を片持ち梁で固定することができる。このような構成は、ミラーアセンブリ２上に、補償されなければ傾けに結びつくかもしれない力のモーメントを与える可能性がある。ベース部２０も、また、このようなモーメントを打ち消すように構成することができる。例えば、ベース部２０は、ミラーアセンブリ２の傾けの可能性を実質的に減少させるのに十分な重みを含むことができる。
【０１７９】
ベース２０および／またはミラーアセンブリ２の他の部分は、ミラーアセンブリ２の質量中心がシャフト３０の近くにおよび／またはベース２０の近くに概して配置されるように、概して質量分布においてバランスをとることができる。ベース部２０は、少なくとも約２ポンド、４ポンド、６ポンド、８ポンド、１０ポンド、その間の値、またはそれ以外の値の重さにすることができる。ベース部２０は、また、１つ以上の支持部を含むことができる、または半永続的に取り付け可能に（例えば、１つ以上のファスナをもつカウンタトップにマウントされるように）構成されることができる。
【０１８０】
いくつかの実施形態において、図示されるように、ベース部２０は、概して湾曲した外側表面を有することができる。例えば、ベースの水平の断面は、その高さに沿う複数の点において、概して円形にすることができるし、または概して楕円にすることができる。図示した実施形態において、ベース部２０は、概して円錐台形状などの概して円錐形である。ベースの外側表面は、図示されるように、概して平滑化され、概して先細りされ、および／または概して傾斜にされることができ、および／またはベース２０の周囲を概して囲む事実上全体的な連続面が存在することができる。ベース２０の頂部の水平横断面積または径は、シャフト部３０の底部の水平横断面積または径と概してほぼ同じにすることができる。ベース２０の水平横断面積は、ベース２０の頂部領域からベース２０の底部領域に対して概して継続的に増加することができる。例えば、ベース２０の底部領域における水平横断面積または径は、ベース２０の頂部領域における水平横断面積または径より実質的に大きく（例えば、少なくとも約２倍、または少なくとも約３倍大きく）なることができ、それはミラーの傾きに耐えるのを支援することができるベース２０の例である。いくつかの実施形態において、図示されるように、ミラー部分の底部からベース部の頂部までのシャフト部３０に沿う距離は、概してベース部２０の高さとほぼ同じにすることができる。いくつかの実施形態において、ベースは、ミラーアセンブリ２の傾きを防ぐのを支援するためのフットパッド２２を有する。いくつかの実施形態において、フットパッド２２はベース２０に対して付加的な牽引力を与えるいくつかの実施形態において、フットパッドは、ゴム、シリコン、または他のわずかに粘着性がある材料である。
【０１８１】
ミラーアセンブリには、電線用導管（例えばコード）を用いて電力を供給することができ、および／または電力は、（例えばミラーアセンブリがコードレス若しくは無線である実施形態においては）内部電源を用いて電力を供給することができる。さらに詳細には以下に論じられるように、ヘッド部４０（またはミラーアセンブリの他のいくつかの部分）は、電源７４（例えば、バッテリ、充電式電池、または電気コンセントにプラグ接続されるコード）を含むことができる。いくつかの実施形態において、ミラーアセンブリ（例えば充電式電池）の内部電源を充電するために、コードは、外部エネルギー源およびミラーアセンブリ内に直接的にプラグ接続される。一部の実施態様において、外部エネルギー源は、標準的な壁付コンセント、コンピュータ、またはポータブルバッテリである。一部の変形において、電線用導管は、マルチプロング電気プラグ、ＵＳＢポート、携帯電話アダプタ、または充電を受け取り装置に対してそれを供給するように構成された他のいくつかのポートを介して、外部エネルギー源またはミラーアセンブリに係合する。いくつかの実施形態において、コードおよび／または外部エネルギー源は、コードおよび外部エネルギー源を係合に誘導する、ガイド機能（例えば磁石）を有する。いくつかの実施形態において、電線用導管は、着脱可能、または引き込み可能である（例えば、ミラーアセンブリ内の見えない場所に収納される）。いくつかの実施形態において、コードおよび／またはミラーアセンブリは、コードおよびミラーアセンブリを係合に誘導するガイド機能（例えば磁石）を有する。いくつかの実施形態において、ミラーアセンブリは、充電パッドまたは充電マット上に、または充電パッドまたは充電マットと接触して、ミラーアセンブリを配置することによって充電することができる。いくつかの実施形態において、パッドまたはマットは、それ自身が無線／コードレスであってもよい。
【０１８２】
いくつかの変形において、充電式電池（例えば、リチウムイオン、ニッケルーカドミウム、ニッケル、金属水素化物、またはリチウムイオン重合体）によってコードレスのミラーアセンブリに電力が供給される。いくつかの実施態様において、ミラーアセンブリのバッテリは、ミラーアセンブリから取り除かれ、置換される（または充電ステーションにて充電される）ことができる。
【０１８３】
いくつかの実施形態において、バッテリ７４の重みおよび配置は、ミラー５０に対するバランスウェイトとして機能することによって、ミラーアセンブリ２の安定性を増加させることができる。いくつかの実施形態において、バッテリは、約３０日の間、１日当たり少なくとも約１０分間、光源に対して電力を供給することができる。図８内に示されるように、バッテリ７４は、ポート７８（例えば、ユニバーサルシリアルバス（ＵＳＢ）ポート、またはそれ以外のもの）を介して充電することができる。ポート７８は、ワイヤまたはケーブル（図示せず）により連結されたコネクタを永続的にまたは着脱可能に受け入れるように構成することができる。ポート７８は、また、コネクタを介して電源をもつバッテリ７４間を電位が通過することを可能にするように構成されることができる。ポート７８は、コンピュータに接続するときに、ミラー照明またはオブジェクト感知の異なるオペレーションをプログラミングまたは較正するために用いられてもよい。他の充電方法は、アウトレットに対して差し込まれる従来の電気アダプタなどを介して用いることができる。
【０１８４】
ミラーアセンブリ２は、ミラーアセンブリ２、ユーザ、および／またはミラーアセンブリ２とユーザとの間の関係の特徴に関して、ミラーアセンブリ２のユーザに対して、可視、可聴、または他のタイプの指標を発行するように構成されたインジケータ装置を含むことができる。例えば、インジケータは、オン／オフ状態、バッテリーレベル、差し迫った非アクティブ化、および／または一部のオペレーションモードを示すことができる。インジケータは、他の目的にも同様に用いることができる。
【０１８５】
一部の実施形態において、インジケータライトの色は、指標に依存して変化することができる。例えば、インジケータは、ミラーアセンブリが電源をオンにされると緑色光を発することができ、および／またはバッテリの残りが少なくなると赤色光を発することができる。インジケータは、トータルのバッテリ寿命を示す光バー（バッテリ寿命の減少とともに長さが減少する）を備えることができる。いくつかの実施形態において、インジケータは、シャフト部３０の一部のあたりにリング状で配置されることができる。インジケータは、他の形状とすることができ、ベース部２０に沿って、ミラーアセンブリ２上のヘッド部４０のあたりに（例えば、マジックミラーエリアの一部の背後に）、または他の場所の上に、配置されることができる。
【０１８６】
いくつかの実施形態において、図２４Ａ〜図２４Ｂに示されるように、補助的な（例えば付加的な）ミラーを提供することができる。この補助ミラー１００は、ユーザの補助的な視界を提供することによって、ミラー５２、５４、５６上に提供される画像を補完するために用いることができる。例えば、いくつかの実施形態において、ミラーアセンブリ２のミラー面５２、５４、５６は平面である場合、補助ミラー１００は、放物線状（例えば凹面）になることができるし、および／または、ユーザの拡大表示を提供することができる。一部の実施態様において、補助ミラーの放物形は、補助ミラー１００に近づく若しくは補助ミラー１００から離れるように移動することによって、ユーザが倍率を増加または減少させることを可能にすることができる。本明細書に別記されるように、補助ミラーの曲率半径および焦点距離は、変更することができる。いくつかの実施形態において、補助ミラーは、凸状であり、ユーザの小さな画像を提供する。このより小さな画像は、ユーザの後頭部へのユーザ注視をより容易に可能にするために、またはユーザの付加的な視野角を提供するために用いることができる。
【０１８７】
いくつかの実施形態において、複数（１、２、３、４、またはそれ以上）の補助ミラーが提供され、各補助ミラーは、ユーザに対して異なるタイプの画像を提供する（例えば、高い倍率若しくは低い倍率、色付けミラー、着色ミラー）。いくつかの実施形態において、単一の補助ミラーは、それ自体、複数の異なる画像を提供することができる。例えば、補助ミラーは、一方の側上に面を有することができ、反対の側上に別の異なる面を有することができる。補助ミラーの一方の面は、第１の倍率（例えば１０×）を提供する凹面にすることができ、ミラー（底面）の他方の側は、第１の倍率とは異なる、または第１の倍率より小さい若しくは大きい、第２の倍率（例えば２×）を提供する凹面にすることができる。他の第１および第２の異なる光学的機能は、そのそれぞれの両側上の補助的なミラーによって、またはミラーシステムの１つ以上のミラー面と比較して、提供することができる。例えば、補助的なミラーの表面のいずれか若しくは両方は、互いに比較して、またはミラーシステムの１つ以上のミラー面と比較して、異なる反射率レベルまたは異なる光フィルタリングまたは異なる倍率レベルを提供することができる。この構成において、一方の側から他方に対して補助ミラーを単純に指で弾くことによって、ミラーの倍率または別の機能を変更することができる。
【０１８８】
図２４Ａ〜図２４Ｂに示されるように、一部の実施態様において、補助ミラー１００は、ミラーアセンブリ２のミラー面に対して固定されることができる（付着される、粘着される、取り付けられるなど）。いくつかの実施態様において、ミラーは、磁石、吸着盤、接着剤またはシリコン粘着剤、粘着性パッド（複数可）、または同種のもの（図示せず）のうちの１つ以上から選択されたものなどの連結用具を用いて固定される。いくつかの実施形態において、補助ミラー１００は、ユーザによって、何回でも好きなだけ、およびミラーアセンブリ上の任意の位置に（例えば、ミラー面５２、５４、５６の任意の部分上に）、ミラーアセンブリ２に対して取り付け・取り外しすることができる。
【０１８９】
いくつかの変形において、補助ミラー１００は、ミラーアセンブリによって提供された画像の遮るものがない図を提供するためにミラーアセンブリ２から取り外すことができる。一部の実施態様において、補助ミラーが使用中でないとき、図２４Ｃ〜図２４Ｄに示されるように、補助ミラーは（例えば、ミラーアセンブリ２の後部上に）見えないように格納されることができる。図２４Ｃ〜図２４Ｄに示されるように、補助ミラーは、クランプ１０２を用いて、ミラーアセンブリ２の後部上に格納されることができる。他の変形において、補助ミラーは、例えばミラーアセンブリの一部に対して（例えば、ミラーアセンブリの後方／非ミラー面に対して）磁気的に取り付けることによって、ミラーアセンブリの後部または側面上に提供されるスロット（例えば、ミラーアセンブリ上に提供されるポケット、ポート、またはドロア）にそれをスライドすることによって、ミラーアセンブリからそれを吊るすことによって（例えば、補助ミラーの一部、またはミラーアセンブリから突き出る、引き込み可能若しくは静的なフック若しくはクリップを用いて）、またはそうでなければ、ミラーアセンブリに対して補助ミラーを取り付けることによって（例えば粘着剤などによって）、格納されることができる。補助ミラーがミラーの前部までのどこか（例えば、ミラーの頂部、側部、中間部の近くの上部、下部、または中央部分）に固定することができるのと全く同じように、いくつかの実施形態において、補助ミラーは、ミラーの後部上のどこか（例えば、ミラーの後部の頂部、側部、中間部の近くの上部、下部、または中央部分）に格納されることができる。
【０１９０】
いくつかの変形において、図２４Ａ〜図２４Ｄに示されるように、補助ミラー１００は円形である。他の実施形態において、補助ミラーは、別の形状（正方形、矩形、楕円形など）である。一部の実施態様において、補助ミラー１００は、直径（または幅または高さ）が少なくとも約２、３、４、または５インチである。いくつかの実施形態において、補助ミラーは、ミラーアセンブリに対して取り付けられないときに、携帯型で且つ簡単に操作されることができるように、ユーザの手のひらに容易に適合するように所定のサイズで作られる。
【０１９１】
一部の実施形態および具体例との関連においてバニティミラーを開示したが、本開示が特に開示した実施形態を超えて他の代替の実施形態まで拡張し、および／または発明の主題および明らかな改良およびその等価物を利用する、ということは当業者によって理解されるだろう。さらに、バニティミラーのいくつかの変様が詳細に記載されているが、他の改良（それらは本開示の範囲内である）は、この開示に基づく当業者にとって即座に明らかになる。さらに、実施形態の特定の機能および態様の様々な組み合わせまたは副次的な組み合わせは、本開示の範囲内で行なうことができ、また本開示の範囲内に収まり得る、ということが想定される。開示した実施形態の様々な機能および態様がバニティミラーの可変のモードを形成するために互いに組み合わされ、互いの代わりに用いられることができる、ということは理解されるべきである。したがって、本明細書に開示された発明の主題の範囲は、以上に記載された特定の開示された実施形態によって限定されるべきでない、ということが意図される。
【０１９２】
この明細書において開示されたバニティミラーの機能、構造、ステップ、またはプロセスのいずれかは、任意の実施形態に含むことができる。光源に概して隣接する領域内の光散乱素子は、光源から間隔をおいて、または光源の概して反対に、または光源から概して最も遠くに配置された領域における光散乱素子と比較して、さらに小さくなり得る。光源は、ミラーの上方部の近くに配置されることができる。光パイプは、ミラーの周囲の実質的にすべてに沿って配置されることができる。光源は、ミラーの標準的な視野方向に対して概して直交する方向に光を発することができる。光源は、第１の端部に光を発することができ、別の光源は、第２の端部に光を発することができる。いくつかの実施形態において、光散乱素子は、少なくとも光パイプの一部に沿って概して一様に分布することができる。
【０１９３】
この開示の一部の態様は、ミラーの周囲に配置された筺体部および１つ以上の光源により連結されたミラーを含むミラーアセンブリを対象とする。１つ以上の光源は、ミラーの一次視野方向に対して概して直交する方向に光を発するように構成されることができる。光パイプは、ミラーの周囲の実質的にすべてに沿った長さを有し、それに沿って配置されることができる。光パイプは、１つ以上の光源から光を受け入れ、光を長さ方向に沿って概して連続して分布させるように構成されることができ、それによって、ミラーの周囲に対して概して一定レベルの照明を提供する。
【０１９４】
この明細書において開示されたバニティミラーの機能、構造、ステップ、またはプロセスのいずれかは、任意の実施形態に含むことができる。１つ以上の光源は、ミラーの周囲のあたりの第１の方向に光を投射するように構成された第１の光源と、ミラーの周囲のあたりの第２の方向内に光を投射するように構成された第２の光源とを含むことができる。１つ以上の光源は、２つの光源にすることができる。光源の各々は、約３ワット以下の電力を用いることができる。１つ以上の光源は、少なくとも約９０の色調指数を有することができる。１つ以上の光源は、発光ダイオードを含むことができる。光パイプは、１つ以上の光源から発せられた光の少なくとも約９５％を伝送するように構成されることができる。
【０１９５】
この開示の一部の態様は、この明細書に開示したあらゆるミラーアセンブリなどのミラーアセンブリの製造の方法を対象とする。方法は、ミラーと筺体部とを結合するステップを含むことができる。方法は、ミラーの周囲に光源を配置するステップを含むことができる。方法は、少なくともミラーの周囲の一部のあたりに光パイプを配置するステップを含むことができる。方法は、光パイプの長さ方向に沿って複数の光散乱素子を配置するステップを含むことができる。一部の実施形態において、複数の光散乱素子はパターン密度を有することができる。光散乱素子は、光パイプの外に発せられる、光散乱素子に影響を与える光の一部を促進するように構成されることができる。パターン密度は、概して光源に隣接する領域においてはより低密度にすることができ、パターン密度は、ミラーの周囲に沿って光源の概して反対側の、間隔をおいた、または最も遠くの領域においてはより高密度にすることができ、それによって、光パイプの長さ方向に沿って発せられる実質的に一定量の光を容易にする。一部の実施形態において、方法は、ミラーの上方部の近くに光源を配置するステップを含むことができる。一部の実施形態において、方法は、ミラーのメインの視野方向に対して概して直交する方向に光を発するように光源を配置するステップを含むことができる。一部の実施形態において、方法は、光パイプの第１の端部に光を発するように光源を配置し、光パイプの第２の端部に光を発するように別の光源を配置するステップを含むことができる。一部の実施形態において、方法は、少なくとも光パイプの一部に沿って概して一様なパターンに光散乱素子を配置するステップを含むことができる。
【０１９６】
この開示の一部の態様は、筺体部、ミラー、１つ以上の光源、近接センサ、および電子プロセッサを有するミラーアセンブリを対象とする。ミラーは、筺体部に連結することができる。１つ以上の光源は、ミラーの周囲に配置することができる。近接センサは、感知領域内のオブジェクトを検出するように構成されることができる。近接センサは、オブジェクトと近接センサとの間の距離を示す信号を生成するように構成されることができる。電子プロセッサは、オブジェクトとセンサとの間の距離に依存して変化するレベルの光を発することために１つ以上の光源に対して電気信号を生成するように構成されることができる。
【０１９７】
この明細書において開示されたバニティミラーの機能、構造、ステップ、またはプロセスのいずれかは、任意の実施形態に含むことができる。例えば、近接センサは、ミラーの頂部領域の近くに概して配置することができる。電子プロセッサは、近接センサが所定の期間にオブジェクトの有無および／または移動を検出しなければ、非アクティブ化するべき１つ以上の光源に対して電気信号を生成するように構成されることができる。近接センサは、近接センサがオブジェクトを検出した後、（例えば、トリガゾーンの距離を増加させることによって、トリガゾーン内の移動に対する感度を増加させることによって、および／または非アクティブ化までの期間を増加させることによって）感度を増加させるように構成されることができる。ミラーアセンブリは、周囲光のレベルを検出するように構成された周囲光センサを含むことができる。いくつかの実施形態において、感知領域は近接センサから延伸する軸に対して下方に、約０度から約４５度まで延伸することができる。近接センサは、ミラーの観察面に対して傾いてマウントされることができる。ミラーアセンブリは、近接センサの近くに配置されたレンズカバーを含むことができる。一部の実施形態において、レンズカバーの前面は、近接センサに対して傾いて配置されることができる。ミラーアセンブリは、ミラーの周囲の実質的にすべてに沿った長さを有しており、それに沿って配置される光パイプを含むことができる。光パイプは、１つ以上の光源からの光を受け入れて、概して光を長さ方向に沿って連続して分布させるように構成されることができ、それによって、実質的にミラーの周囲に対して一定レベルの照明を提供する。
【０１９８】
この開示の一部の態様は、ミラーアセンブリを製造する様々な異なる方法を対象とする。方法は、ミラーを筺体部に結合するステップを含むことができる。方法は、ミラーの周囲に１つ以上の光源を配置するステップを含むことができる。方法は、オブジェクトと近接センサとの間の距離を示す信号を生成するために近接センサを構成するステップを含むことができる。方法は、オブジェクトとセンサとの間の距離に依存して変化するレベルの光を発することために１つ以上の光源に対して電気信号を生成する電子プロセッサを構成するステップを含むことができる。
【０１９９】
ミラーアセンブリを製造するいずれかの方法も、様々な異なるステップを含むことができる。例えば、いくつかの方法は、概してミラーの頂部領域の近くに近接センサを配置するステップを含むことができる。方法は、近接センサが一時期オブジェクトを検出しない場合、非アクティブ化するべき１つ以上の光源に対する電気信号を生成する電子プロセッサを構成するステップを含むことができる。方法は、近接センサがオブジェクトを検出した後に感度を増加させるために近接センサを構成するステップを含むことができる。方法は、周囲光のレベルを検出する周囲光センサを構成するステップを含むことができる。方法は、近接センサから延伸する軸に対して下方に約０度から約４５度に延伸する感知領域内のオブジェクトを検出する近接センサを構成するステップを含むことができる。方法は、ミラーの観察面に対して傾いて近接センサをマウントするステップを含むことができる。方法は、近接センサの近くにレンズカバーを配置するステップを含むことができる。一部の実施形態において、方法は、近接センサに対してレンズカバーの前面を傾いて配置するステップを含むことができる。方法は、ミラーの周囲の実質的にすべてに沿って光パイプを配置するステップを含むことができる。光パイプは、１つ以上の光源からの光を受け入れて、概して光を長さ方向に沿って連続して分布させるように構成されることができ、それによって、実質的にミラーの周囲に対して一定レベルの照明を提供する。
【０２００】
本開示を概説する目的のために、本発明の一部の態様、有利性、および機能が本明細書に記載されている。本明細書に開示した本発明のあらゆる特定の実施形態にしたがって、このような有利性のいずれかまたはすべてが必ずしも実現されない、ということを理解するべきである。この開示の態様は、必須でも不可欠でもない。多くの実施形態において、ミラーシステムは、図面または記述において本明細書に例証されたものと異なって構成されてもよい。例えば、例証されたモジュールによって提供された様々な機能性は、組み合わされる、再配置される、追加される、または削除されることができる。いくつかの実施形態において、付加的若しくは異なるプロセッサまたはモジュールは、記載されて図に示された例示的な実施形態を参照して記載された機能性のいくつかまたはすべてを実行してもよい。多くの実施態様の変形が可能である。
【図１】
2016179173.tif 000003
【図２】
2016179173.tif 000004
【図３】
2016179173.tif 000005
【図４】
2016179173.tif 000006
【図５】
2016179173.tif 000007
【図６】
2016179173.tif 000008
【図７】
2016179173.tif 000009
【図８】
2016179173.tif 000010
【図９】
2016179173.tif 000011
【図１０】
2016179173.tif 000012
【図１１】
2016179173.tif 000013
【図１２】
2016179173.tif 000014
【図１３】
2016179173.tif 000015
【図１４Ａ】
2016179173.tif 000016
【図１４Ｂ】
2016179173.tif 000017
【図１４Ｃ】
2016179173.tif 000018
【図１５】
2016179173.tif 000019
【図１６】
2016179173.tif 000020
【図１７】
2016179173.tif 000021
【図１８】
2016179173.tif 000022
【図１９】
2016179173.tif 000023
【図２０】
2016179173.tif 000024
【図２１】
2016179173.tif 000025
【図２２】
2016179173.tif 000026
【図２３】
2016179173.tif 000027
【図２４Ａ】
2016179173.tif 000028
【図２４Ｂ】
2016179173.tif 000029
【図２４Ｃ】
2016179173.tif 000030
【図２４Ｄ】
2016179173.tif 000031
【外国語明細書】
VANITY MIRROR
CROSS-REFERENCE to Related Applications
[0001]        This present application claims priority to U.S. Provisional Application No. 62/129,205, filed March 6, 2015, entitled “VANITY MIRROR,” which is hereby incorporated by reference in its entirety.
Background
Field
[0002]        The present disclosure relates to reflective devices, such as mirrors.
Description of the Related Art
[0003]        Vanity mirrors are mirrors that are typically used for reflecting an image of a user during personal grooming, primping, cosmetic care, or the like.  Vanity mirrors are available in different configurations, such as free-standing mirrors, hand-held mirrors, mirrors connected to vanity tables, wall mirrors, car mirrors, and/or mirrors attached to or produced by electronic screens or devices.
SUMMARY
[0004]        In some embodiments, a mirror system comprises a head comprising a first mirror assembly, at least a second mirror assembly disposed laterally adjacent to the first mirror assembly and in mechanical communication with the first mirror assembly via a pivoting member that is configured to allow movement of the second mirror assembly with respect to the first mirror assembly, such that a reflective face of the first mirror assembly and a reflective face of the second mirror assembly are configured to form a plurality of angles α relative to each another.  In some embodiments, the mirror system can comprise at least one light source disposed on or in a lateral side of the first mirror assembly, the light source comprising a plurality of light emitting sources (e.g., at least a first light emitting diode and a second light emitting diode) having different color temperatures and disposed to emit light in a general direction along a length of a first light path; and wherein the first light path is disposed so that the length of the first light path is adjacent to at least a portion of a periphery of the second mirror assembly; and a controller configured to adjust relative light intensities of the first light emitting diode and the second light emitting diode.
[0005]        In some embodiments, one or more electronic features or settings or characteristics of the mirror system, such as light brightness or light temperature or battery level, can be viewed, selected, and/or adjusted remotely by a mobile electronic device, such as by way of a wireless communication protocol and/or using a software module or app on the mobile electronic device.
[0006]        Some embodiments provide a mirror assembly or mirror system comprising a head.  In some embodiments, the head comprises a first mirror/first mirror assembly.  In some variants, the head further comprises a second mirror/second mirror assembly, disposed adjacent to the first mirror assembly.  In certain implementations, the second mirror is disposed laterally adjacent to the first mirror assembly.  In some variants, the first and second mirror assemblies are in mechanical communication with the first mirror via a hinge.  In some variants, the hinge is configured to allow movement of the second mirror assembly with respect to the first mirror assembly such that a reflective face of the first mirror assembly and a reflective face of the second mirror assembly are configured to form a plurality of angles (e.g., α) relative to each another.  In various embodiments, the angle α between the first and second mirror assemblies (or of reflective surfaces thereof) ranges from about 90° to about 180°.
[0007]        Any of the embodiments described above, or described elsewhere herein, can include one or more of the following features.
[0008]        Certain implementations of the mirror system further comprise a light source.  In some embodiments, the light source is disposed on a lateral side of the first mirror assembly.  In some variants, the light source comprises a light emitting diode.  In some embodiments, the light source comprises a first light emitting diode and a second light emitting diode disposed to emit light in a general direction along a length of a first light path.  In some variants, the first light path is disposed so that the length of the first light path is adjacent to at least a portion of a periphery of the second mirror assembly.  
[0009]        In some implementations, the mirror assembly/system comprises a controller configured to adjust relative light intensities of the first light emitting diode and the second light emitting diode to selectively simulate a plurality of different lighting environments including natural sunlight and indoor light.  In multiple variants, the first light emitting diode emits light of a first color temperature and the second light emitting diode emits light of second, different color temperature.  In certain embodiments, the first light emitting diode emits light of a first color and second light emitting diode emits light of second, different color.  
[0010]        In certain embodiments, the controller allows a user to control one or more of the color, brightness, or color temperature of light emitted from the light source.  In some variants, the controller allows a user to produce an emitted light from the light source having a color temperature in a range from about 2700 K to about 6500K.   
[0011]        In certain variants, the controller comprises a capacitive touch sensor in electronic communication with the light source and configured to transmit information sent by a user to the light source.  In some embodiments, the controller receives commands sent by a user.  In certain variants, the user can send information to the controller using one or more of a computer, a mobile device, or a NEST (Registered trademark) system.  In some embodiments, the computer, the mobile device, or the NEST (Registered trademark) system is in wireless communication with the controller.  In certain variants, the computer is a handheld device (e.g., a smartphone or the like).
[0012]        The some implementations, the mirror system/mirror assembly further comprises a sensor assembly comprising a transmitter.  In some embodiments, the mirror system/mirror assembly further comprises a sensor assembly comprising a receiver.  In some variants, the sensor is configured to relay information to the controller.
[0013]       In some implementations, the sensor assembly comprises one or more of a housing, a gasket, and a cover.  In some variants, the housing supports the transmitter and/or the receiver.  In certain embodiments, the gasket provides a seal between the cover and the housing.  In some variants, the gasket prevents signal (e.g., electromagnetic radiation) from bleeding from the transmitter to the receiver.  
[0014]        In some implementations, the mirror assembly or mirror system further comprises a third mirror/third mirror assembly.  In some embodiments, the third mirror assembly is laterally adjacent to the first mirror assembly or the second mirror assembly.  In some variants, the third mirror assembly is disposed on a side of the first mirror assembly opposite the second mirror assembly.  In some embodiments, the third mirror assembly is in communication with the first mirror assembly or the second mirror assembly via a hinge.  In some embodiments, the hinge is configured to allow movement of the third mirror assembly with respect to the first mirror such that a reflective face of the first mirror and a reflective face of the third mirror are able to form angles α’ relative to one another.  
[0015]        In some variants, the mirror system comprises a second light source.  In some implementations, the second light source is disposed to a side of the first mirror assembly and is configured to emit light in a general direction along a second light path.  In multiple variants, the second light path is disposed so that the length of the second light path is adjacent to at least a portion of a periphery of the third mirror assembly. 
[0016]        In some implementations, a first light source is disposed between the first mirror assembly and the second mirror assembly and a second light source is disposed between the first mirror assembly and the third mirror assembly.  
[0017]        In some variants, where a hinge is provided, the hinge comprises a cam.  In certain implementations, the hinge is configured reduce the distance between mirror assemblies during opening of the hinge.  
[0018]        In certain implementations, the mirror assembly further comprising a light scattering region disposed along the length of a light path.  In certain implementations, the light scattering region has a gradient of light scattering elements.  In some embodiments, the gradient has a lower density of light scattering elements nearer one or more light emitting diodes and a higher density of light scattering elements farther from the light emitting diodes.  In some embodiments, the light scattering elements are configured to encourage a portion of light contacting the light scattering region to be emitted out of the light path and toward a user of the mirror assembly.  In certain embodiments, this emission facilitates a substantially constant amount of light emitted along the length of the light path.  
[0019]        In various embodiments, the mirror assembly or mirror system further comprises a shaft portion connected to the head portion.  In some embodiments, the head portion and the shaft portion are connected by a joint that allows movement of the head with respect to the shaft.  In some embodiments, the joint is a pivoting joint.  
[0020]        In some embodiments, the mirror system further comprises a base portion.  In some implementations, the base portion is connected to the shaft portion at a distal side of the shaft with respect to the head portion.  In certain variants, the base portion is configured to support the mirror assemblies and to allow the mirror assembly to stand substantially upright on a surface.  
[0021]       In some variants, the mirror system comprises an additional mirror.  In some embodiments, the additional mirror is configured to reversibly adhere to one or more mirror assemblies to provide an additional view of a user.  In some embodiments, the mirror assembly has a storage slot, port, etc. that allows storage of the additional mirror out of sight of the user (when the additional mirror is not in use).  
[0022]        In certain embodiments, the mirror assembly comprises an alarm feature that provides a sensory cue to a user.  In some embodiments, the mirror assembly comprises an LCD screen disposed behind a portion of a reflective mirror surface.  In some implementations, the LCD is visible only when activated.  In multiple variants, the LCD screen provides visual information a user.  
[0023]        Certain embodiments provide a method of manufacturing a mirror assembly.  In some embodiments, the method comprises coupling a first mirror section to a second mirror section.  In some embodiments, the first mirror section and the second mirror section are connected using a hinge.  In some variants, the method comprises disposing a light source comprising a one or more light emitting diodes to a side of a mirror section.  In some embodiments, the method comprises disposing a controller within the mirror assembly, the controller configured to adjust one or more features of the mirror assembly (e.g., relative light intensities of a first light emitting diode and a second light emitting diode).  The controller can be configured to communicate wirelessly with a mobile communication device in a manner that permits the mobile communication device to provide one or more instructions to the controller regarding actuation of the plurality of different lighting states by the mirror assembly.
Brief Description of the Drawings
[0024]        The features of the mirror systems and assemblies disclosed herein are described below with reference to the drawings of certain embodiments.  The illustrated embodiments are intended to demonstrate, but not to limit, the present disclosure.  The proportions and relative dimensions and sizes of each component as shown in these drawings forms part of the supporting disclosure of this specification, but should not be limiting on the scope of this specification, except to the extent that such proportions, dimensions, or sizes are included in any individual claims.  The drawings contain the following Figures:
[0025]        Figure 1 illustrates a perspective view of an embodiment of a mirror assembly.
[0026]        Figure 2 illustrates a front view of the embodiment of Figure 1.
[0027]        Figures 3 and 4 illustrate side views of the embodiment of Figure 1.
[0028]        Figure 5 illustrates a top view of the embodiment of Figure 1.
[0029]        Figure 6 illustrates a bottom view of the embodiment of Figure 1.
[0030]        Figure 7 illustrates a rear view of the embodiment of Figure 1.
[0031]        Figure 8 illustrates an exploded view of an embodiment of the mirror assembly.
[0032]        Figure 9 illustrates a partially exploded rear perspective view of an embodiment of the mirror assembly with the reflective surfaces removed.
[0033]        Figure 10 illustrates a partially exploded front perspective view of an embodiment of the mirror assembly with the reflective surfaces removed.
[0034]        Figure 11 illustrates a partially exploded perspective front view of an embodiment of the mirror assembly.
[0035]        Figure 12 illustrates a configuration of the embodiment of Figure 1.
[0036]        Figure 13 illustrates a side view of the configuration of Figure 12.
[0037]        Figures 14A-C illustrate cross-sectional top views of the embodiment of Figure 12.  
[0038]        Figure 15 illustrates a view of the embodiment of Figure 12 that is partially disassembled.   
[0039]        Figure 16 illustrates a front view of the embodiment of Figure 15.
[0040]        Figure 17 illustrates an exploded view of the embodiment of Figure 15.
[0041]        Figure 18 illustrates an enlarged view the embodiment of Figure 10.
[0042]        Figure 19 illustrates an enlarged, partially exploded view of the embodiment of Figure 1.
[0043]        Figure 20 illustrates a view of a sensor assembly.  
[0044]        Figure 21 illustrates a perspective view of an embodiment of the mirror assembly with a reflective surface removed 
[0045]        Figures 22 and 23 illustrate bisected views of the embodiment of Figure 1.  
[0046]        Figures 24A-D illustrate views of an embodiment of a mirror assembly with an additional mirror attached thereto.
Detailed Description of CERTAIN EmbodimentS
[0047]        Certain embodiments of a mirror assembly are disclosed in the context of a portable, freestanding vanity mirror, as it has particular utility in this context.  However, the various aspects of the present disclosure can be used in many other contexts as well, such as wall-mounted mirrors, mirrors mounted on articles of furniture, automobile vanity mirrors (e.g., mirrors located in sun-visors), and otherwise.  None of the features described herein are essential or indispensable.  Various types of vanity mirrors are provided in U.S. Patent Application Publication No. 2013/0235610, published on September 12, 2013, which is incorporated herein by reference for all that it discloses.  Any feature, structure, or step disclosed anywhere in this specification can be replaced with, or combined with any other feature, structure, or step disclosed elsewhere in this specification, including in U.S. Patent Application Publication No. 2013/0235610.  Any features, structure, or step disclosed herein can be omitted.  While the illustrated examples include features designated by numbers used herein, these features need not be present in all embodiments.  Further, for purposes of summarizing the disclosure, certain aspects, advantages, and features of the inventions have been described herein.  However, not all embodiments include or achieve any or all of those aspects, advantages, and features.  
[0048]        Many vanity mirrors distort the reflected image because of, for example, poor quality reflective surfaces, harsh light sources, and/or uneven distribution of light.  Additionally, the light sources of conventional vanity mirrors are typically energy inefficient.  Further, the light sources of conventional vanity mirrors are not adjustable or are difficult to effectively adjust.
[0049]        Certain embodiments disclosed herein pertain to a mirror assembly 2.  As shown in Figures 1-6, the mirror system or assembly 2 can include a visual image reflective surface, such as a mirror 50.  In certain embodiments, the mirror system or assembly 2 comprises a housing portion 10.  As shown in Figures 3 and 4, the housing portion 10 can include a head portion 40, a shaft portion 30, and/or a base portion 20.  In some implementations, the housing portion 10 can include a pivot portion 32 connecting the head portion 40 and the shaft portion 30.  In certain embodiments, the mirror system or assembly 2 comprises one or more light sources.  
[0050]        In some embodiments, certain components of the housing portion 10 can be integrally formed or separately formed and connected together to form the housing portion.  The housing portion 10 can comprise plastic, metal (e.g., stainless steel, aluminum, etc.) composite, or other suitable materials.
[0051]        In some embodiments, the head portion 40 comprises a mirror 50.  In certain variants, the head portion comprises a single section/assembly or a plurality of sections/assemblies (e.g., two, three, four, five, or more sections) optionally comprising mirrored surfaces.  As shown collectively in Figures 1-7, in some implementations, the head portion 40 comprises a central section 42 (e.g., a primary section/primary mirror assembly) comprising a central mirror surface 52 and one or more flanking additional sections (e.g., secondary sections/secondary assemblies).  In some variants, as shown in Figure 1, the head portion 40 can comprise a left section 44 (e.g., a first additional section) comprising a first side mirror surface 54 and a right section 46 (e.g., a second additional section) comprising a second side mirror surface 56.  In some embodiments, as illustrated, the central mirror surface 52 has a greater surface area (e.g., is larger) and/or a greater width than either of the individual first or second side mirror surfaces 54, 56.  In some embodiments, as illustrated, the central mirror surface 52 has a width that is at least as wide as an average human face of the target population that is expected to use the mirror assembly 2, and each of the first and second side mirror surfaces 54, 56 has a width that is smaller than the width of an average human face of the target population that is expected to use the mirror system or assembly 2.  In some embodiments, the central mirror surface 52 has a width that is at least: about 4”, about 5”, about 6”, about 7”, or about 8”.  In some variants, the first and second side mirror surfaces 54, 56 independently have widths that are at least: about 90%, about 80%, about 70%, about 60%, about 50%,  about 40%, about 30%, about 20%, or about 10% of the width of the central mirror surface 52.  As shown, in some embodiments, the vertical height of each of the mirror sections (e.g., mirror surfaces 52, 54, 56) can be approximately the same.  While the mirror assembly 2 of Figure 1 comprises a central section 42 laterally adjacent to (or in between) one or more of additional sections 44, 46 (e.g., mirrored surfaces), this configuration is merely illustrative and it should be appreciated that other configurations and section positions are possible.  For instance, in certain variants, the central section can have one or more sections to the top, bottom, sides, and/or diagonal directions.  In some embodiments, a central mirror is not required and alternative configurations (e.g., side-by-side and top-bottom) are possible.    
[0052]        As shown in Figure 8, the sections can further comprise support frames and/or backings.  For instance, the central section 42 can comprise one or more of a central mirrored surface 52, a support frame 41a, and a support backing 41b.  In some variations, the left section 44 can comprise one or more of a mirrored surface 54, a support frame 43a, and a support backing 43b.  In certain embodiments, the right section 46 can comprise one or more of a mirrored surface 56, a support frame 45a, and a support backing 45b.  These frames and backings can provide additional stability and/or rigidity to the individual sections and to the mirrored surfaces.  The frames and backings can also provide a matrix to support electronic components and other devices (e.g., light sources) of the mirrored assembly 2, holding them in place.  In some embodiments, the matrices within the frames 41a, 43a, 45a act as heat dissipaters for internal components.  In certain variants, the sections 42, 44, 46 comprise mirrored surfaces without frames and backings.  In certain variants, each section can provide a platform on which one or a plurality of mirrors can be attached.  In some embodiments, the head portion can comprise a single section without additional sections.  
[0053]        In some variants, the head portion 40 comprises one or more mechanisms to actively and/or passively dissipate, transfer, or radiate heat energy away from heat-producing features (e.g., a light source, transistors, memory components, power sources, etc.).  In some embodiments, as shown in Figure 8, the mirror assembly can comprise an active heat dissipater such as a fan 72.  In some embodiments, as shown in Figures 8 and 9, the mirror assembly can comprise passive heat dissipaters such as vents 75.  In certain implementations, as shown in Figures 10 and 11, the mirror assembly 2 may comprise one or more passive heat dissipating radiating structures 76 (e.g., walls, ribs, blades, ridges, etc.).  In some implementations, the radiating structures 76 provide additional structural support to one or more mirror assembly features.  In some embodiments, the radiating structures 76 can include one or more components that are generally comparatively long in one dimension, generally comparatively wide in another dimension, and generally comparatively narrow in another dimension, to provide a large surface area over a thin surface to conduct heat efficiently and away from heat-sensitive electronic components in the mirror assembly 2.  For example, the length of a passive heat dissipating structure can be substantially greater than the width of the heat dissipating structure, and the width of the heat dissipating structure can be substantially greater than the thickness.
[0054]        The heat dissipating structures can be formed of materials with a high rate of heat conduction, such as aluminum or steel, to help remove heat generated by heat-producing features from the mirror assembly.  Many other heat-dissipating materials, such as copper or brass, can be used.  For active heat dissipation, plastics and other non-conductive materials are suitable.  
[0055]        In some embodiments, the head portion 40 can include a compartment 70 located in the head portion 40 of the mirror assembly 2 for receiving a heat dissipating structures (e.g., a fan 72).  
[0056]        In some embodiments, the radiating structures 76 or portions of the radiating structures are configured to conduct electricity to mirror assembly 2 features requiring power (e.g., light sources, fans, circuitry, etc.).  This electrical conduction reduces the total number of necessary components.  In some embodiments, the heat dissipating structures 72, 76 can be electrically connected via conduits 73a (e.g., wires) to a power source 74 (e.g., batteries packs, electrical outlets etc.) and/or circuit boards.  In some embodiments, the power source 74 provides electric power and signals to the fan 72.  In some embodiment, other electronic components can be connected to power sources and/or control systems via conduits.  For example, in certain variants, light sources 60 for the mirror assembly 2 can be electrically connected via conduits 73b (e.g., wires) or conducting features (e.g., conductive portions of the frame or backing) to a power source 74 (e.g. batteries packs, etc.).  In some embodiments, light sources 60 can be connected to power sources via circuit boards that provide, in addition to electric power, signals and/or data to the light sources 60.  
[0057]        In some embodiments, the temperature of heat generating components (e.g., light sources 60, etc.) can be controlled to be less than or equal to about 70° F using the heat dissipating structures.  In some embodiments, the temperature of the light sources 60 can be controlled to be between about 50° F and 60° F using heat-dissipating structures.  In certain implementations, the active heat dissipating structures can be controlled by circuit boards and processing units to automatically dissipate heat from the light sources once a certain temperature is achieved (e.g., at least about 70° F, 80° F, 90° F, 100° F, 120° F, 140° F, etc.).  In some embodiments, the fan 72 is controlled (e.g., by an algorithm, a controller, etc.) to dissipate heat above a certain temperature. 
[0058]        In some embodiments, one or more of the sections are independently adjustable or articulatable or rotatable with respect to one or more of the other sections, such as in various opened or closed positions.  A fully opened position can exist, for example, where one or more mirrored surfaces of adjacent mirrored sections form an α angle (or α’) that is equal to or greater than about 180° (e.g., adjacent mirrored surfaces that are essentially flush or form obtuse angles with respect to each other, such that each of the adjacent mirrored surfaces are essentially co-planar).  A partially opened position can exist, for example, where one or more surfaces of adjacent mirrored sections form an α angle that is equal to or greater than about 90° and less than about 180°.  A partially closed position can exist, for example, where one or more surfaces of adjacent mirrored sections creates an angle α that is less than about 90° and greater than about 10°.  A fully closed position can exist, for example, where one or more surfaces of adjacent mirrored sections create an angle α that is less than or equal to about 10°, such as in a storage or compact or travel mode.  In some embodiments, the mirror assembly 2 can comprise or can be configured to be oriented or positioned in and/or between any one or any combination of the following positions: fully opened, partially opened, partially closed, and/or fully closed.  An “opened” position encompasses both a “fully opened” and a “partially opened” position; and a “closed” position encompasses both a “fully closed” and a “partially closed” position.  In some embodiments, as shown, when at least two mirror sections are partially open or partially closed with respect to each other, the mirror assembly 2 is configured to enable a user to view a side or rear portion of the user’s head or face, when the user is facing forward into the mirror assembly 2, a view that would not normally be visible in an essentially planar orientation or fully open position of the mirror assembly 2.  In certain implementations, the left section 44 and right section 46 can be independently or cooperatively placed in closed positions or opened positions.  In certain embodiments, as shown in Figures 1 and 12, the sections 42, 44, 46 of the head portion 40 are independently adjustable.  In some embodiments, the sections of the head portion are cooperatively adjustable and as, for example, the left section is moved to an angle α with respect to the central section, the right section automatically moves to approximately that same angle α.  In some embodiments, the sections 42, 44, 46 are independently positionable and movable with respect to one or more of the shaft portion 30, the base portion 20, and/or with respect to other head portion sections.  
[0059]        In certain variants, as illustrated, two or more of the sections 42, 44, 46 are interconnected via one or more moveable attachment features (e.g., hinges, ball joints, telescoping arms, or the like).  For instance, as shown in Figures 14A-C, a first section, such as the central section 42, can be connected to a second section, such as the left side section 44, via one or more hinges 90 and to the right side section 46 via one or more right side hinges 90.  Figures 15-17 (where Figure 17 is an exploded view) show an embodiment of the mirror assembly 2 with section 44 removed and illustrate certain features of the hinges 90.  In some implementations, as shown in Figures 14A-17, the hinges 90 can be fastened (e.g., screwed, bolted, glued, riveted, etc.) into place via an attachment implement 91 (e.g., a surface plate, etc.).  In certain variants, the attachment implement secures the hinge to one or more of the frame, the support backing, and/or the mirrored surface directly (e.g., in embodiments where the support and frame features are not present).  As shown in Figures 14-17, in some embodiments, the hinges comprise surface plates 91 that can engage the support frame, backing, or mirror of one section and connect it to the support frame, backing, or mirror of another section.  
[0060]        In some embodiments, as shown in Figures 15-17, supplemental support implements 57 (e.g., tabs, swivels, etc.) provide an additional stabilizing feature for the side sections 44, 46.  In some embodiments, the support implements 57 prolong the life of the hinges by reducing the load on the hinges.     
[0061]        In some assemblies, the attachment features (e.g., one or more hinges, struts, sliders, joints, etc.) and/or the supplemental support elements provide resistance (e.g., with friction and/or traction caused by rubber or plastic gaskets, teeth, or otherwise) to the movement of the sections 42, 44, 46 relative to one another.  In certain variants, this resistance (e.g., stiffness) allows a user to make fine adjustments or movements to the positioning of one or more of the side mirror surfaces 54, 56 and central mirror surface 52, such that the one or more side mirror surfaces 54, 56 and/or central mirror surface 52 remain in place after the user has adjusted or moved the one or more side mirror surfaces 54, 56 or central mirror surface 52.  In certain implementations, the user is able to position one or more of the mirrored surfaces at desired angles to view particular features of the user.  This positionability allows the user to visualize hard-to-see features during grooming.  In some embodiments, the hinges can be temporarily locked in place to prevent movement of one or more of the sections.  In some embodiments, the hinges have a plurality of preset positions.  In certain implementations, one or more of the attachment features can comprise or can be functionally connected with a damper.  In some variants, the damper restrains (e.g., slows down, depresses, deadens, etc.) the movement of the attachment feature.  In some variants, the damper allows one or more of the mirrored sections to move slowly, softly, and/or in a controlled manner, into one or more preset positions (e.g., the opened position, the closed position, and positions in between).  In some embodiments, an audible or tactile click or bump or momentary stop or increase in resistance to movement occurs as a mirrored section moves into or past one or more of the preset positions.  In certain variants, the damper prevents mirrored sections from abruptly slamming into a preset position (e.g., the opened position, the closed position, etc.).  In some embodiments, the damper reduces vibration of the mirrored sections as they move about the axis of the hinge.  In some implementations, the damper is positioned along a portion of a shaft connecting the central and side mirrors.    
[0062]        In certain implementations, as mentioned above, adjacent mirror sections (e.g., 52 and 54 or 52 and 56) are independently adjustable to angles α relative to each other.   For example, adjacent sections (and/or mirrored surfaces) of the head portion can be placed in an opened position or in one or more closed positions.  For example, Figure 1 shows an embodiment of the mirror assembly in an open position (e.g., where adjacent mirrored surfaces central mirrored surface 52 is at a maximum angle α to the left mirror surface 54 and the right mirror surface 56).  Figure 12 shows the mirror assembly of Figure 1 in a partially closed position (e.g., where one or more of the mirrored sections form an α angle that is smaller than when in the fully open position).  Figure 12 shows a view where the central mirror section 52 and right mirror section 56 are at least partially closed and where the central mirror section 52 and the left mirror section 54 are in an opened position.  
[0063]        In certain variants, adjacent mirrored surfaces can be positioned at α angles equal to or less than about 180°, about 170°, about 160°, about 150°, about 140°, about 130°, about 120°, about 110°, about 100°, about 90°, about 80°, about 70°, about 60°, values between the aforementioned values, or otherwise.  In certain embodiments, the opened position can have an angle α greater than about 180°.  In some variants, adjacent mirrors can be positioned with respect to one another at angles α in a range between about 45° and about 180°, about 90° and about 180°, or about 120° and about 180°.  In some variants, adjacent mirrors can be positioned with respect to one another at angles α in a range between about 45° and about 90°, about 90° and about 120°, about 120° and about 130°, about 130° and about 140°, about 140° and about 150°, about 150° and about 160°, about 160° and about 170°, or about 170° and about 180°.  In some embodiments, different, discrete, preset α angle positions can be selected so that when the user urges the mirror out of one preset position, the mirrored surface slips into the next preset position.  In some embodiments, the mirrored surfaces have a plurality (e.g., 1, 2, 3, 4, 5, 6, or more) of preset positions.  
[0064]        As shown, for example, in Figure 14B, in some variants, the hinge 90 comprises a positioning assembly or system that concurrently or simultaneously provides an “invisible” or recessed rotatable hinge while also providing a very small gap or virtually no gap distance between adjacent mirror sections.  For example, as illustrated, the positioning assembly or system can comprise a rotational assembly that in some embodiments includes a cam 92, and a translational or linear movement assembly that in some embodiments includes a sliding relationship between at least two supporting components of one or more mirror assemblies.  As illustrated, for example, in Figures 1 and 2, an “invisible” or recessed hinge (e.g., positioned behind the mirrored surface) can permit multiple mirror sections to be positioned adjacent to each other with a very small or essentially no distracting visible interruption between them.  In contrast, if a hinge assembly is provided that is even or flush with or in front of one or more of the mirrored surfaces, or if one or more of the mirrored surfaces are notched or otherwise shaped to expose a hinge assembly in the front view, as in some embodiments, then the user of the mirror system will lose a portion of the mirrored viewing surface to the hinge assembly.  However, in a mirror system where the hinge assembly is recessed or positioned behind the mirrored surface, a significant, visually distracting gap between the adjacent mirror surfaces would ordinarily be needed to provide clearance for one or more of the edges of the adjacent mirror surfaces to rotate with respect to each other.  Some embodiments, as illustrated in Figures 14A-14C, can be configured to simultaneously provide a recessed or “invisible” hinge and a very small or virtually non-existent gap between adjacent mirror sections.  In some embodiments, as illustrated, the gap between adjacent mirror sections can be smaller when fully opened (e.g., when two or more of the adjacent mirrored surfaces form an angle of approximately 180 degrees) than when the adjacent mirrored surfaces are in an angled or rotating orientation.  In some embodiments, as shown, the gap or seam between adjacent mirror sections when fully opened can be approximately equal to or less than the front-to-back thickness of the reflective portion of either or both of the mirror sections.  As shown, for example in Figure 14B, both the rotational assembly and the translational or linear movement assembly can be positioned within the housing of the mirror system,  and/or can be positioned in close proximity or adjacent to each other, and/or can be positioned behind the mirror surface, and/or can be positioned in direct contact with each other during at least one or more stages of orientation of the adjacent mirror sections.  In some embodiments, as shown, the axis of rotation of the rotational assembly can be non-parallel or generally perpendicular to the direction of translation of the translational or linear movement assembly.
[0065]        In certain implementations, at least a portion of the rotational assembly, such as the cam 92, allows adjacent mirrored surfaces (e.g., 52 and 54) to remain in close proximity to one another during operation of the hinge 90 (e.g., opening and closing of the hinge).  For instance, as the hinge 90 is opened (e.g., brought from an smaller angle to a larger angle), as shown in Figures 14A-C, the cam 92 can allow the side mirror surface 54 to move laterally inward or outward by way of the translational or linear movement assembly relative to the central mirror surface 52, better aligning or positioning the mirrored surfaces for rotation and minimizing the distance between mirrored surfaces 96.  Conversely, as the hinge is closed (e.g., where the mirrored surfaces are brought from a larger angle to a smaller angle), the cam 92 urges the side mirror surface 54 to stay in proximity to (e.g., stays tightly associated to) the central mirror surface 52 so that the mirrored surfaces maintain a minimal seam 96 (e.g., a minimal gap).  
[0066]        In some embodiments, the gap or seam 96 between the central mirror surface 52 and an adjacent side mirror surface 54, 56 cannot be readily perceived by a user (e.g., is not visible or not visible in a manner that distracts from or appreciably obstructs the user’s view in the mirror system) when the mirror assembly 2 is in the fully open position and/or in an angled or closed position (e.g., when a side mirror surface has been placed in a position that is at an angle smaller than 180° with respect to the central mirror surface).  As illustrated, in some embodiments, the width β of the seam 96 between any two adjacent mirrors in a first position is different from the width β’ of the seam 96 in a second position.  For example, the width β of the seam 96 between any two adjacent mirrors in an essentially fully opened or essentially planar position can be smaller than the width β’ of the seam 96 in an angled or non-planar position.  In some embodiments, the width of the seam 96 between a side mirror and the central mirror is the same when the mirror assembly is in the fully opened position or a closed position (e.g., β = β’).  In some embodiments, the difference between the width β of the seam 96 between mirrors when the mirror assembly is in the fully opened position from the width β’ of the seam 96 a closed position differs by less than or equal to about: 1%, 2%, 5%, 10%, 15%, 25%, 40%, or 50%.  Figures 14A-C illustrate that the action of the cam 92 allows the mirror surfaces to remain in close proximity to each other with minimal width β, β’ of the visible seam 96 between the mirrors.  In some embodiments, the widths β, β’ of the seam 96 are less than or equal to: about 4 mm, about 2 mm, about 1.5 mm, about 1.0 mm, about 0.5 mm, or about 0.25 mm.  In some embodiments, when a user is centrally positioned about 12 inches from the central mirror, the seam 96 is not perceived as a gap between the mirrored surfaces by the user.    
[0067]        In some embodiments, as shown in Figure 14B, the translational or linear movement assembly of the hinge 90 further comprises a spring 94.  In certain implementations, as shown, the spring loading of the translational or linear movement assembly of the hinge helps to exert a force that urges adjacent mirror sections toward each other, and/or that holds the mirrored surfaces and/or sections in proximity to one another during movement about the axis of the hinge 90 via the cam 92.    In certain variants, as shown, the cam of the rotational assembly contacts or presses on the spring of the translational or linear movement assembly when pivoting and the spring biases the side mirror back toward the seam.  In certain implementations, the spring loading provides some resistance and oppositional force to movement of the mirrored surfaces with respect to one another and/or allows smooth movement of the surfaces.  In certain implementations, the spring loading allows the mirrored surfaces to easily adjust into the next available preset mirror position.
[0068]        In some embodiments, the cam 92 has engaging features 93 (e.g., teeth, traction implements, etc.) that engage one another during movement of the hinge 90.  In certain variants, the teeth 93 allow smooth and steady movement of the hinges 90 without slippage.  In some implementations, where the hinge 90 comprises both teeth 93 and a spring 94, the spring provides additional resistance to the movement of the sections 42, 44, 46 with respect to one another.  In some embodiments, this resistance ensures that the sections 42, 44, 46 move without slippage, reliably, smoothly, and/or with little applied force from the user. In certain embodiments, the hinge assembly gives the mirrored section a weighted feel when force is first applied and then freer movement as the section begins to move. 
[0069]        In certain embodiments, the hinges can comprise plastic, rubber, metal (e.g., stainless steel, aluminum, etc.), composite, or other suitable materials.  
[0070]        In some embodiments, as illustrated, the mirrored surfaces 52, 54, 56, together or individually, can have a generally rectangular or generally square shape.  In certain variants, the mirrored surface can instead have an overall shape that is generally square, generally circular, generally ellipsoidal, generally rhomboidal, and/or any other suitable shape.  In some embodiments, when present, the different mirrored surfaces of a given mirror assembly can have different shapes and those shapes can be mixed and matched and interconnected via attachment features, etc.  
[0071]        In certain embodiments, each mirror can have a width and a length, the dimensions of which can be independently selected.  The height can be along the general direction extending from a bottom portion of the mirror assembly upwardly.  The width can be along the general direction extending transversely with respect to the height.  In some embodiments, a mirrored surface can have a height (in inches) that is greater than or equal to about: 1, 2, 4, 6, 8, 10, 12, 14, 16, 20, 30, ranges formed by the aforementioned values, values between the aforementioned values, or otherwise.  In certain implementations, a mirrored surface can have a width (in inches) that is greater than or equal to about: 1, 2, 4, 6, 8, 10, 12, 14, 16, 20, 30, ranges formed by the aforementioned values, values between the aforementioned values, or otherwise.  In certain embodiments, the ratio between the surface area of central mirrored surface and a side mirrored surface is at least about: 10:1, 5:1, 1:1, 1:5, 1:10, ratios between the aforementioned ratios, and otherwise.  In some embodiments, where present, the primary or central mirror is larger than a secondary side mirror by at least about 10%, about 25%, about 50%, about 100%, values between the aforementioned values, or otherwise.  In certain implementations, each mirror section is approximately the same size.
[0072]        Rectangular mirrors can be selected by using a mirror having four sides at approximately right angles to one another with a height that is greater than the width (or a width that is greater than the height).  Other shapes can be selected by selecting mirrors with curved corners and other length and width dimensions.  For instance, configurations with ellipsoidal mirrors can be selected by using rounded mirrors with widths greater than their heights (or heights greater than their widths), square and circular dimensions can be implemented using mirrors having substantially the same height and width, etc.  
[0073]        In some embodiments, the mirror 50 can have a thickness of at least about 2 mm and/or less than or equal to about 3 mm.  In some embodiments, the thickness is less than or equal to about two millimeters and/or greater than or equal to about three millimeters, depending on the desired properties of the mirror 50 (e.g., reduced weight or greater strength).  In some embodiments, the surface area of the mirror 50 is substantially greater than the surface area of the base portion 40.  In other embodiments, the surface area of the image-reflecting surface of the mirror 50 is greater than the surface area of the base 20.
[0074]        The mirror 50 can include a generally flat or generally spherical surface, which can be convex or concave. The radius of curvature can depend on the desired optical power.  In some embodiments, the radius of curvature can be at least about 15 inches and/or less than or equal to about 30 inches.  The focal length can be half of the radius of curvature.  For example, the focal length can be at least about 7.5 inches and/or less than or equal to about 15 inches.  In some embodiments, the radius of curvature can be at least about 18 inches and/or less than or equal to about 24 inches.  In some embodiments, the mirror 4 can include a radius of curvature of about 20 inches and a focal length of about 10 inches.  In some embodiments, the mirror 4 is aspherical, which can facilitate customization of the focal points.  In some embodiments, the mirrored surface can be flexible.  In certain implementations, the flexible mirror surface allows a user to transform a flat mirror into a parabolic/curved mirror when desired.  
[0075]        In some embodiments, the radius of curvature of the mirror 50 is controlled such that the magnification (optical power) of the object is at least about 1.25 times larger, at least about 1.5 times larger, at least about 2 times larger and/or less than or equal to about 7 times larger.  In certain embodiments, the magnification of the object is about 5 times larger.  In some embodiments, the mirror can have a radius of curvature of about 19 inches and/or about 7 times magnification.  In some embodiments, the mirror can have a radius of curvature of about 24 inches and/or about 5 times magnification.
[0076]        The mirror 50 can be highly reflective (e.g., has at least about 90% reflectivity).  In some embodiments, the mirror 50 has greater than about 70% reflectivity and/or less than or equal to about 90% reflectivity.  In other embodiments, the mirror 50 has at least about 80% reflectivity and/or less than or equal to about 100% reflectivity.  In certain embodiments, the mirror has about 87% reflectivity.  The mirror 50 can be cut out or ground off from a larger mirror blank so that mirror edge distortions are diminished or eliminated.  
[0077]        One or more filters can be provided on the mirror to adjust one or more parameters of the reflected light.  In some embodiments, the filter comprises a film and/or a coating that absorbs or enhances the reflection of certain bandwidths of electromagnetic energy.  In some embodiments, one or more color adjusting filters, such as a Makrolon filter, can be applied to the mirror to attenuate desired wavelengths of light in the visible spectrum.
[0078]        The mirror 50 can be highly transmissive (e.g., nearly 100% transmission).  In some embodiments, transmission can be at least about 90%.  In some embodiments, transmission can be at least about 95%.  In some embodiments, transmission can be at least about 99%.  The mirror 50 can be optical grade and/or comprise glass.  For example, the mirror 50 can include ultra-clear glass.  Alternatively, the mirror 50 can include other translucent and/or transparent materials, such as plastic, nylon, acrylic, combinations thereof or other suitable materials.  The mirror 50 can also include a backing layer comprising a reflective material (e.g., aluminum, silver, etc.).  In some embodiments, the backing layer can impart a slightly colored tone to the mirror (such as a warm or cool color tone).  In some embodiments, an aluminum backing can prevent rust formation and provide an even color tone.  The mirror 50 can be manufactured using molding, machining, grinding, polishing, or other techniques.
[0079]        The mirror assembly 2 can include one or more light sources 60 configured to emit light.  For example, as shown in Figures 10 and 11, the mirror assembly can include a plurality (e.g., two, three, four, five, or more) of light sources 60 including, as shown, a left light source 60a and a right light source 60b.  In some embodiments, as shown in Figures 10 and 11, the light source(s) 60 can be positioned within a portion and/or supported by the central support 42.  In some embodiments, the light sources 60 are directly mounted to the mirror surfaces at spaced-apart intervals around the periphery of the mirror.  For example, the light sources 60 can be positioned around some, substantially all, or all of the periphery of the mirror 50.  In certain embodiments, the light source 60 can be separate from and not connected with the mirror assembly 2.
[0080]        The light sources 60 can be positioned in various orientations in relation to each other, such as side-by-side, or otherwise.  In some embodiments, as shown in Figures 11, 18, and 19, the light sources 60 can be positioned to emit light in the same direction by placing light emitters 64 facing in the same general direction.  As shown in Figure 11, in certain implementations, a left light source 60a projects light upwardly at one peripheral side of the central mirrored surface 52 and a right light source 60b projects light in the same general direction at a peripheral side of the central mirrored surface 52 opposite that of the left light source 60a.  In certain embodiments, the light sources can be positioned to emit light in opposing directions (e.g., up versus down, etc.).  In some embodiments, the light sources can be positioned to transmit light parallel, orthogonally, or otherwise with respect to other light sources.  In certain embodiments, the light sources 60 can be positioned to emit light generally orthogonally to the viewing surface of the mirror assembly 2.  In certain embodiments, the light sources 60 can be positioned to emit light in a direction generally within the plane (or in a direction parallel to the plane) of a mirror surface 52, 54, 56.  In some embodiments, the light sources can be positioned to emit light diagonally along the mirrored surface, downwardly, upwardly, or at combinations of these directions.   
[0081]        Various light emitters 64 can be used in the light sources 60.  For example, as shown in Figures 18 and 19, the light sources 60 can comprise one or a plurality of (e.g., 2, 3, 4, 5, 6, 7, 8, or more) light emitting diodes (LEDs) 68.  In some embodiments, other light emitters 64 can be used (e.g., fluorescent light sources, incandescent light sources, halogen light sources, etc.).  LEDs may offer advantages such as longer lifetimes and higher color rendering indices.  In some embodiments, as shown in Figures 18 and 19, each light source 60a, 60b can comprise a plurality (e.g., one, two, three, four, five, or more) of LEDs 68.  In some embodiments, as shown in Figure 18, the left light source 60a can comprise four LEDs 68 and the right light source 60b can comprise four LEDs 68.  In some embodiments, one or more LEDs of a single light source can be the same or different (e.g., have the same or a different color or color temperature).  For example, in certain variants, a light source comprising four LEDs can comprise two pairs of LEDs where the LEDs in a pair are identical.  In other embodiments, each LED in a single light source is different.  In some embodiments, when multiple light sources are present, the light sources can comprise LEDs that are the same (e.g., having the same color, temperature, and number of LEDs in an each light source) or different (e.g., having one or more LED that is different from an LED of different light source).  In some embodiments, different light sources of the mirror assembly are independently adjustable to provide accomplish any lighting environment desired.  In some embodiments, LEDs can be paired with other LEDs of lower or higher color temperatures.  In certain implementations, LEDs can be paired with other LEDs of with colors that have lower or higher wavelengths.  
[0082]        In some embodiments, as shown Figure 11 and as exploded views in Figures 17 and 18, a light path can be formed using the light emitters 64.  In some embodiments, the light path is path of light that can be perceived by a user.  For instance, a plurality (e.g., two) light paths are present in Figure 11, each running from the bottom of the head portion 40 to the top of the head portion 40 and each located on an opposite side of the central section 42.  As shown, one or more of the light paths can extend in an approximately straight direction from a top portion to a bottom portion.  In some embodiments, a light path comprises a light transmissive elongate tube, strip, or column.  For instance, the light emitters 64 can be positioned in a space that forms a column 66 (i.e., a light column or light pipe), as shown with the cover 62a removed in Figure 11.  In some embodiments, the column 66 creates an illuminated light path along the direction of the column 66.  While these light paths project straightwardly, where curved mirrors are implemented, curved light paths can be used.  
[0083]        In certain embodiments, the column 66 comprises a light transmissive cover (in Figures 10 and 11, the left column comprises a left transmissive cover 62a and the right column comprises a right transmissive cover 62b).  In some embodiments, the transmissive covers 62a, 62b are fixed in place by attachment to the head portion 40 (via an engagement means, by snapping into the frame 41a, etc.).  
[0084]        In certain implementations, as shown in Figures 8, 11, and 17, the backside of the light column 66 can include a reflective material to achieve high reflectivity.  This reflective backing material 67 along the rear side of the light column 66 can reflect light and project it towards the user.  In some embodiments, the reflective material can reflect at least about 95% of light.  In some embodiments, the reflective material reflects about 98% of light.  In certain implementations, the reflective material can be optically reflective paper.  As shown in Figure 11, the head portion 40 can include a structure, such as a ridge 77, which can comprise a wall of the column 66 (e.g., a portion of the light column 66 can be disposed along the ridge 77) or otherwise support the light column 66.  In some embodiments, the ridge 77 is configured to dissipate heat.
[0085]        Some or all of the light from the light sources 60 can be transmitted generally toward, or into, the one or more light columns 66.  For example, as shown in Figure 11, the light column 66 can include proximal ends 66a and 66b, and the light emitters 64 can emit light from the proximal ends 66a, 66b of the light column 66 in the general direction of the column to distal ends of the column 66c, 66d.  The light sources 60 can be positioned such that light is emitted orthogonally with respect to the direction of the light emitter 64 and generally toward a user facing the viewing surface of the mirror assembly 2.  For example, some or all of the light from the light sources 60 can be emitted toward, and/or reflected off of, another component before contacting the user.  
[0086]        In some embodiments, the column 66 can be filled with a transparent material (e.g., a gas, a solid, or a liquid).  In some variants, the column can be evacuated.  In certain variants, the column 66 can be filled with a partially transparent material suitable for allowing light to travel along the direction of the light path.  In some embodiments, the light path comprises a light transmissive elongate tube or a light transmissive strip of material (e.g., porous or clear plastic).  
[0087]        As shown in Figure 11, the light column 66 can be rectangular prism shaped.  In certain embodiments, the light column can be substantially cylindrically shaped.  In some embodiments, the light column can be substantially linearly shaped, or, as discussed above, the light column 66 can have a non-linear or circular shape.  The light column can include acrylic, polycarbonate, or any other clear, highly transmissive, or partially transmissive material.  
[0088]        As stated above, light can pass along and through a portion of the light column 66 and/or emit from the light column 66 via an outer face (e.g., a light transmissive cover 62a, 62b) of the light column 66.  In some embodiments, the light column 66 is configured to transmit at least about 95% of the light emitted from the light sources 60.  The light sources 60 can be configured, in combination with light column 66, to emit light generally around the periphery of the mirror 50 or the periphery of a mirrored surface 52, 54, 56.  The light column 66 can be configured to disperse light from the light sources 60 through the light column 66.  The light sources 60 and the light column 66 can be configured such that the amount of light emitted from the outer face is substantially constant along the length of the light column 66.  Many different ways of achieving a substantially constant intensity of conveyed light around the light column 66 can be used.
[0089]        The head portion 40 and/or the light column 66 can include features to facilitate generally even or uniform diffusion, scattering, and/or reflection of the light emitted by the light sources 60 around the periphery of the mirror, and/or along a length of the light column 66 (e.g., from a top portion of the light column 66 to a bottom portion of the light column 66).  For example, the head portion 40 and/or light column 66 can include an irregular anterior and/or posterior surface (e.g., on a transmissive cover 62a, 62b) that is molded in a non-flat and/or non-planar way, etched, roughened, painted, and/or otherwise surface modified.  The light scattering elements can be configured to disperse a substantially constant amount of light along the periphery of the mirror (e.g., the central mirrored surface 52).  These features can help achieve high energy-efficiency, reducing the total number of light sources necessary to light substantially the entire periphery of the mirror and reducing the running temperature of the mirror assembly 2.
[0090]        The light transmissive covers 62a, 62b of the light column 66 can comprise a generally translucent material with varying degrees of scattering.  In some embodiments, the minimum amount of scattering occurs in a region of the light column 66 proximal 66a, 66b to the light emitters 64 and the maximum scattering occurs in a region of the light column 66 that is located farthest from the light emitters 64 (e.g., at the distal ends of the column 66c, 66d).  The light column 66 can comprise a region configured to scatter light in a varying and/or gradient manner.  In some embodiments, the light conveying pathway or light column 66 can comprise a varying, non-constant, non-smooth anterior, posterior, and/or interior surface formed from any suitable process, such as molding, etching (e.g., sand blasting), roughening painting, coating, and/or other methods.  In some embodiments, one or more surface irregularities can be very small bumps, protrusions, and/or indentations.
[0091]        In some embodiments, light passing through the light column 66 can be scattered at a plurality of different intensity levels, depending on the location of the light within the light column 66.  For example, light at a first location on the light column 66 can be scattered at a first intensity level, light at a second location on the light column 66 can be scattered at a second intensity level, and light at a third location on the light column 66 can be scattered at a third intensity level, with the third intensity level being more than the second intensity level, and the second intensity level being more than the first intensity level., etc.  Many other levels of scattering and many ways of spatially increasing or decreasing scattering can be used instead of or in addition to providing macro scattering elements, such as spatially varying a level of die or a frosting effect within the material of the light column 66, or by spatially varying scattering particles embedded within the material, or by spatially varying a surface pattern on one or more outside surfaces of the material.  In some embodiments, a smooth gradient of scattering elements can be used to achieve the desired lighting effect (e.g., constant light intensity emission or gradient light intensity emission).  
[0092]        The light column 66 (e.g., the transmissive cover 62a, 62b) can include a surface pattern, such as light scattering elements (e.g., a dot pattern).  The light scattering elements can be configured to encourage a portion of the light passing through the light column 66 to exit the outer face of the light column 66, thereby generally illuminating the user in a generally even or generally uniform manner.  The light scattering elements 64 can be configured such that the light intensity emitted from the outer face of the light column 66 is substantially constant along a substantial portion of, or virtually the entirety of, the length of the light column 66.  Accordingly, the user can receive generally constant light volume or intensity around the periphery of the mirror.  For example, the light scattering elements can include one or more of varied density, irregular patterns, or varied sizes.
[0093]        The light scattering elements can be less dense near the light sources 60, and become increasingly dense as a function of increased distance from the light sources 60.  Such a configuration can, for example, reduce the amount of light that is scattered or reflected (and thus exits the outer face) in areas having generally increased light volume or light intensity, such as portions of the light column 66 that are near the light sources 60.  Further, such a configuration can encourage additional scattering or reflection (and thus increase the amount that exits the outer face) in areas having generally decreased light volume or intensity, such as portions of the light column 66 that are spaced away from the light sources 60.  Accordingly, the mirror assembly 2 can avoid bright areas at some portions of the periphery of the mirror and dark areas at other portions.  The mirror assembly 2 can have a substantially constant amount of light emitted along some, substantially all, or all of the periphery of the mirror surface(s).
[0094]        The light scattering elements can be dispersed in an irregular pattern, such that the light scattering pattern in a first region is different than a light scattering pattern in a second region.  A distance between a first light scattering element and a second light scattering element can be different than a distance between a first light scattering element and a third light scattering element.
[0095]        The sizes (e.g., the diameter) of the light scattering elements can be varied.  In some variants, the light scattering elements near the light sources 60 can have a smaller size when compared to light scattering elements that are farther from the light sources 60.  For example, the light scattering elements can include a smaller diameter near the light sources 60 and become increasingly larger as a function of distance from the light sources 60.  Such a configuration allows substantially even reflection of light to the outer surface 60.  In certain embodiments, each light scattering element has a diameter of less than or equal to about one millimeter.  In some embodiments, the light scattering elements each have a diameter greater than or equal to about one millimeter.
[0096]        In some embodiments, the light scattering elements can be generally circular.  In some embodiments, the light scattering elements have other shapes, such as generally square, generally rectangular, generally pentagonal, generally hexagonal, generally octagonal, generally oval, and otherwise.  In certain embodiments, the pattern in the light column 66 is a series of lines, curves, spirals, or any other pattern.  In certain embodiments, the light scattering elements are white.  The light scattering elements can be dispersed such that the light column 66 appears frosted.  In some embodiments, the light scattering elements are not easily visible to the user.  For example, the light column 66 can be slightly opaque to conceal the appearance of the surface pattern.  In some embodiments, the light scattering elements are visible to the user, the light column 66 can be clear to show the general color and pattern of the surface elements.
[0097]        In some embodiments, the light path is concealed by the mirror 50 and only visible when the light emitters 64 are activated.  For instance, in some embodiments, the mirror 50 has at least some portion that is partially transparent at or along the general direction of the light strip.  In some embodiments, the light sources can be hidden behind a portion of mirrored surface so that they are out of sight.  For instance, as shown in Figure 9, partially transparent mirrored surfaces 53 (e.g., two-way mirrored glass) can form the side portions of the central mirrored surface 52.  When viewed from the front of the mirror, these partially transparent surfaces are reflective and appear as a normal part of the mirrored surface.  As a light emitter or a light source is activated, light can then transmit through the two-way mirror and illuminate the user.  In some embodiments, only when illuminated are the light sources visible from the on the mirror system.  In some variants, the light strip is not concealed by the viewing surface.  For instance, in certain implementations, even when inactive, the light source(s) are visible when a user is positioned in front of the mirror. 
[0098]        In some embodiments, as shown in Figure 11, one or more of light columns 66 can be positioned along the side portions of the central mirrored surface 52.  In certain embodiments, as illustrated, a light column 66 is positioned along a lateral side portion of the left side mirror surface 54 and another light column 66 is positioned along a lateral side portion of the right side mirror surface 56 (e.g., sides adjacent to the central mirrored surface 52 or on a side of the right and left side mirrors opposite the central mirrored surface 52).  As illustrated, in some embodiments, the plurality of light paths or columns are separate from each other; are positioned only in generally or substantially vertical orientations; and/or are not positioned around the entire periphery of the mirror assembly 2.  In some embodiments, as shown, there is no light path or light column 66 positioned horizontally along the entire top or bottom edges of the mirror assembly 2 or along the entire top or bottom edges of discrete sections of the mirror assembly 2.  In certain embodiments, the light column 66 extends around at least majority of the periphery of one or more of the mirrored surfaces, substantially the entire periphery of one or more of the mirrored surfaces, or around the entire periphery of one or more of the mirrored surfaces.    
[0099]        In some embodiments, the light sources 60 are positioned behind a portion of the mirror 50 (e.g., creating a backlighting effect of the mirror 50).  In some embodiments, the light sources are positioned (e.g., by tilting) such that light emitted from the light sources contacts the viewing surface of the mirror assembly 2 at an angle, such as an acute angle.  In some embodiments, the light sources are positioned such that light emitted from the light sources contacts the viewing surface of the mirror assembly 2 at an obtuse angle.  
[0100]        When installed on the support member 40, the light column 66 has a length (measured alone the general direction of light emitted from the light emitter) a width (measured in a general direction transverse to the length and the along the same general plane of the viewing surface) and an depth (measured in a direction generally transverse to the length and generally orthogonal to the viewing surface).  Some variants have a width that is greater than or equal to than the depth.  In some embodiments, the width is less than the depth.  In certain implementations, the light column 66 is configured to provide adequate area for the reflecting surface of the mirror 50 and to provide sufficient area for light to be emitted from the light column 66, as will be discussed in more detail below.  For example, in some embodiments, the ratio of the width of the light column 66 to the width of the mirror (e.g., the central mirrored surface 52) can be less than or equal to about: 1/5, 1/15, 1/30, 1/50, values in between those values, ranges between those values, or otherwise.
[0101]        In certain variants, the mirror assembly can also include a diffuser.  The diffuser can be positioned on the surface of the light column and/or around the periphery of the mirror.  For example, the diffuser can be positioned between the light column and the user to provide a diffuse, scattered light source, not a focused, sharp light source, which would be less comfortable on the user’s eyes.  In some embodiments, the transmissivity of the diffuser is substantially constant along its length.  In certain embodiments, the diffuser can extend the length of light column or light path.  The diffuser can include an at least partially opaque material.  For example, the diffuser can include optical grade acrylic.
[0102]        The diffuser can include an irregular anterior and/or posterior surface formed from etching, roughening, painting, and/or other methods of surface modification.  For example, the diffuser can include a pattern of light scattering elements created using any of the methods discussed herein.  The light scattering elements can be modified to include any of the shapes and/or sizes discussed in connection with the light column 66.
[0103]        The light scattering elements can be configured to create soft light by further scattering the light.   For example, the light scattering elements can include a plurality of dots having the same diameter or different diameters.  In some embodiments, the light scattering elements can be evenly dispersed across the diffuser.  In other embodiments, the light scattering elements can be randomly dispersed across the diffuser.  In some embodiments, one or more of the mirrored surfaces (e.g., the central mirrored surface 52) comprises light scattering elements and/or diffusing surface portions.  For instance, in certain implementations, one or more side portions of the central mirrored surface 52 can comprise a semi-opaque, non-smooth (at a micro or macro level), and/or non-uniform surface that can be formed in any suitable manner, such as by molding, scraping, thermal treatment, particle bombardment (e.g., “sand blasting”), and/or chemical treatment, such as etching, to provide light diffusion or scattering.  In some variants, these light scattering elements and/or diffusing portions of the mirrored surface can be positioned over or adjacent to or otherwise in light communication with the light sources.  In certain implementations, these light scattering elements and/or diffusing surfaces adjust the light properties from the light sources as discussed elsewhere herein.  In some embodiments, these surfaces can be used in addition to, or instead of the transmissive light covers.  In some embodiments, these diffusing or otherwise light scattering portions can be integrally formed with a mirrored surface, such as by changing or treating a portion of the mirrored surface to produce a light scattering region.    
[0104]        In some embodiments, each light source consumes at least about 2 watts of power and/or less than or equal to about 3 watts of power.  In certain embodiments, each light source 60 consumes about 2 watts of power.  
[0105]        In certain embodiments, the width of each light source 60 (measured generally laterally along the width of the mirror assembly) can be less than or equal to about 30 mm, about 20 mm, about 10 mm, about 7.5 mm, about 6.5 mm, about 5.0 mm, about 4.0 mm, values between the aforementioned values, or otherwise.  
[0106]        In some implementations, either or both the color and the color temperature of the light emitted from the mirror is independently adjustable.  Using this adjustability, the light emitted from the light sources 60 can be configured to mimic or closely approximate light encountered in one or a plurality of different natural or non-natural light environments.  For example, in some variations, the light emitted from the mirror can mimic natural light (e.g., ambient light from the sun, moon, lightning, etc.).  In certain implementations, lighting conditions that match (or closely approximate) restaurants (e.g., incandescent lights, candlelight, etc.), offices (e.g., fluorescent lights, incandescent lights, and combinations thereof), outdoor venues at different times of day (dawn, morning, noon, afternoon, sunset, dusk, etc.), outdoor venues at different seasons (spring, summer, fall, winter), outdoor venues having different weather conditions (sunny, overcast, partly cloudy, cloudy, moonlit, starlit, etc.), sporting arenas, opera houses, dance venues, clubs, auditoriums, bars, museums, theatres, and the like can be achieved using the mirror assembly.  In some variants, the light emitted from the mirror comprises a substantially full spectrum of light in the visible range.  The mirror assembly can be configured to permit a user to select among the different types of light (e.g., color, temperature, intensity, etc.) emitted from the one or more light sources, either on the mirror assembly or from a remote source, or the mirror assembly can be configured to automatically select among the different types of light emitted from the one or more light sources.
[0107]        In some variants, the intensity of individual light sources (e.g., LEDs or combinations of LEDs) is independently adjustable.  In certain implementations, changes in color temperatures can be achieved by pairing LEDs having one color temperature with one or more different LEDs having one or more separate color temperatures.  The relative intensity of light from those LEDs can then be individually adjusted (e.g., by adjusting the brightness of one or more LEDs) to increase or decrease the color temperature.  In some embodiments, changes in colors (e.g., hues, shades, tints, tones, tinges, etc.) can be achieved by pairing one or more LEDs having one color with one or more LEDs having a different color.  In some embodiments, the intensity of light emitted from different colored LEDs can be individually adjusted to cause a color change (e.g., to a color an individual LED or to colors achieved through combinations of the light emitted from the LEDs - color mixing).  Adjusting the relative intensity of different LEDs can allow the user to adjust the color of the light emitted by the light sources, the color temperature of the light emitted by the light sources, the brightness of the light emitted by the light sources, or combinations thereof.  In some embodiments, by adjusting the intensity of individual LEDs automatically (by selecting a preset light configuration, a downloaded light configuration, or an uploaded configuration) or manually (e.g., by adjusting color, tint, brightness, intensity, temperature, or others with manual user adjustments), the light conditions for any environment can be achieved.
[0108]        As an example and as discussed elsewhere herein, in some embodiments, light emitters 64 can be paired with other light emitters to give desired colors and color temperatures.  For instance, in some embodiments, LEDs (e.g., 1, 2, 3, 4 or more) having one color temperature (e.g., of 2700K) can be paired with LEDs (e.g., 1, 2, 3, 4 or more) having a different color temperature (e.g., of 6500K) to form a single light source (e.g., 60a).  In some variants, one or more LEDs (e.g., 1, 2, 3, 4 or more) having a first color (e.g., red, orange, yellow, green, blue, indigo, violet, and the like) can be paired with one or more LEDs (e.g., 1, 2, 3, 4 or more) having a different color.
[0109]        In certain variants, a light source (e.g., 60a) can be formed using LEDs (e.g., one or more LEDs) that emit incandescent light color temperatures and LEDs (e.g., one or more LEDs) that emit sunlight color temperatures.  In certain variants, a pair of LEDs that emit warm (e.g., yellow-orange) color temperatures and a pair of LEDs that emit white light (e.g., cool white light) are used.      
[0110]        In some embodiments, LEDs having color temperatures of at least: about 1700K, about 1800 K, about 1900K, about 2000 K, about 2200 K, about 2400K, about 2600K, about 2800 K, about 3000 K, about 3200 K, about 3400 K, about 3600 K, about 3800 K, about 4000 K, about 4200 K, about 4400 K, about 4600 K, about 4800 K, about 5000 K, about 5200 K, about 5400 K, about 5600 K, about 5800 K, about 6000 K, about 6200 K, about 6400 K, about 6600 K, about 6800 K, about 7000 K, ranges spanning any two of the aforementioned values, values greater than the aforementioned values, or otherwise can be selected for use in the mirror assembly.  In some embodiments, LEDs having color temperatures in the range from about 1700 K to about 2500 K, from about 2500K to about 3500 K, from about 3500 K to about 4500 K, from about 4500K to about 5500 K, from about 5500 K to about 6500K or from about 6500K to about 7000K can be independently paired with LEDs having colors temperatures within these same or different ranges.  In some embodiments, light with color temperatures of at least: about 1700K, about 1800 K, about 1900K, about 2000 K, about 2200 K, about 2400K, about 2600K, about 2800 K, about 3000 K, about 3200 K, about 3400 K, about 3600 K, about 3800 K, about 4000 K, about 4200 K, about 4400 K, about 4600 K, about 4800 K, about 5000 K, about 5200 K, about 5400 K, about 5600 K, about 5800 K, about 6000 K, about 6200 K, about 6400 K, about 6600 K, about 6800 K, about 7000 K, ranges spanning any two of the aforementioned values, values greater than the aforementioned values, or otherwise can be achieved using mirror assembly.  
[0111]        By adjusting the intensity of paired LED lights, different color temperatures and intensities can be achieved (e.g., a color temperatures and intensities that approximate the light emitted by indoor lighting, such as an incandescent bulb or a fluorescent bulb, natural sunlight, an open flame from a candle or fireplace, or others).  These color temperatures and intensities can be selected by a user to duplicate or replicate particular light environments to improve the selection of make-up color palates, to apply make-up in optimal configurations and patterns, and to optimize grooming and make-up application outcomes.  For instance, a person applying make-up to be worn at a candlelit restaurant may wish to match the color temperature and light intensity of that environment when applying make-up.  A person who is applying make-up to be worn at a sunlit picnic may wish to match the color temperature and light intensity of that environment when applying make-up.  Thus, a user can select particular temperatures of light to replicate lighting conditions.  
[0112]        In certain embodiments, differing light emitters (e.g., LEDs) can be positioned at each end of a light path.  For instance, LEDs with different emission characteristics can be positioned both at the proximal end 66a and the distal end 66c of a light path.  This configuration gives maximal variability for light emitted from the light sources.  For example, different LEDs can be used on each end of the light path to increase the number of color, color temperatures, and brightness settings that can be achieved.  
[0113]        In certain variants, the light emitters are controlled by an algorithm that selects individual light emitter intensities to provide an array of intensities, color temperatures, and color palates.  In some embodiments, the light sources 60 can be adjusted to have a color temperature in the range from about 1700 K to about 6500 K from about 4500K to about 6500 K.  In some embodiments, the light sources 60 have a color temperature of greater than or equal to about 2400 K and/or less than or equal to about 6800 K.  In some embodiments, the color temperature of the light sources 60 is at least about 5500 K and/or less than or equal to about 3000 K.  In certain embodiments, the color temperature of the light sources 60 is about 2700 K or about 6500K.    
[0114]        In some embodiments, the light sources 60 have a color rendering index of at least about 45 and/or less than or equal to about 95.  Certain embodiments of the one or more light emitters 64 have a color rendering index (CRI) of at least about 50 and/or less than or equal to about 100.  In some embodiments, the light emitters have a color rendering index of at least about 87 and/or less than or equal to about 92.  In some embodiments, the light emitters have a color rendering index of at least about 80 and/or less than or equal to about 85.  In some embodiments, the light emitters have a color rendering index of at least about 70 and/or less than or equal to about 75.  In some embodiments, the light emitters have a color rendering index of at least about 45 and/or less than or equal to about 55.    
[0115]        In some embodiments, the luminous flux can be in a range from about 1 lm to about 110 lm.  In some embodiments, the luminous flux can be adjusted to be less than or equal to about 1 lm, about 10 lm, about 20 lm, about 30 lm, about 40 lm, about 50 lm, about 60 lm, about 70 lm, about 80 lm, about 90 lm, about 100 lm, about 110 lm, about 140 lm, about 160 lm, about 170 lm, about 180 lm, values between the aforementioned values, ranges spanning the aforementioned values, or otherwise. In some embodiments, the luminous flux can be at least about 80 lm and/or less than or equal to about 110 lm.  In some embodiments, the luminous flux can be at least about 90 lm and/or less than or equal to about 100 lm.  In some embodiments, the luminous flux can be about 95 lm.  
[0116]        In some embodiments, the forward voltage of each LED 68 can be at least about 2.4 V and/or less than or equal to about 8.0 V.  In some embodiments, the forward voltage can be at least about 5.5 V and/or less than or equal to about 7.5 V.  In some embodiments, the forward voltage is about 2.5 to about 3.5 V.  
[0117]        The illuminance level can be higher at a distance closer to the face of the mirror.  In certain variants, the lux at a distance of 6 inches from the sensor 80 (and/or the mirror 50) is about 600 lux.  In certain variants, the lux at a distance of 6 inches from the sensor 80 (and/or the mirror 50) is at least about 1 lux and/or less than about 1400 lux, at least about 100 lux and/or less than about 1100 lux, at least about 200 lux and/or less than about 1000 lux, at least about 300 lux and/or less than about 900 lux, at least about 400 lux and/or less than about 800 lux, at least about 500 lux and/or less than about 700 lux, ranges between the values comprising the aforementioned ranges, or otherwise.  In some embodiments, the illuminance at an outer periphery of the sensing region is at least about 500 lux and/or less than or equal to about 1000 lux.  In some embodiments, the illuminance at an outer periphery of the sensing region is about 700 lux.  In some embodiments, the illuminance at an outer periphery of the sensing region is about 600 lux.  In some embodiments, the illuminance at an outer periphery of the sensing region is at least about 5×10-5 lux (about the illuminance of starlight) and/or less than about 1×105 lux (about the illuminance of direct sunlight).  In certain variants, the lux at the outer periphery of the sensing region is at least about 1×10-4 lux and/or less than about 1×104 lux, at least about 1×10-3 lux and/or less than about 1×103 lux, at least about 1×10-2 lux and/or less than about 1×103 lux, at least about 1×10-1 lux and/or less than about 1×104 lux, ranges between the aforementioned values, or otherwise.  
[0118]        In some embodiments, the sensing region extends about 8, 10, 12, 16, 18, or 24 inches away from the face of the mirror.  Many other sensing regions can also be utilized, some of which are described herein.  In certain variants, the mirror assembly 2 can include a dimmer to adjust the intensity of the light.    
[0119]        In some embodiments, the light sources 60 are configured to provide multiple colors of light and/or to provide varying colors of light.  For example, the light sources 60 can provide two or more discernable colors of light, such as red light and yellow light, or provide an array of colors (e.g., red, green, blue, violet, orange, yellow, and otherwise).  In certain embodiments, the light sources 60 are configured to change the color or presence of the light when a condition is met or is about to be met.  For example, certain embodiments momentarily change the color of the emitted light to advise the user that the light is about to be deactivated.
[0120]        In certain variants, an actuator, such as a button or a sensor (e.g., a capacitive touch sensor 71) is located behind a portion of a mirrored surface and can be activated by touching the mirrored surface in designated locations.  In some embodiments, the capacitive touch sensor 71 sends signals to a controller module and allows the user to control one or more aspects of the light emitted from the light columns through directional finger movements or by touching specific areas of the capacitive touch sensor.  For instance, in some embodiments, a user can swipe (or drag) a finger in one direction (i.e., left, right, down, up, or otherwise) over the capacitive touch sensor 71 to increase the color temperature.  The user can then swipe a finger in an opposite direction to decrease the color temperature.  In some variants, the user can drag a finger in a different direction over the capacitive touch sensor 71 to increase the brightness of the light emitted from the light columns and in an opposite direction to dim the light.  In some embodiments, the color of the light emitted can be adjusted.  In some embodiments, the user can tap a portion of the capacitive touch sensor to apply a light setting.  In some embodiments, a capacitive touch sensor is not present.  
[0121]        In some embodiments, the capacitive touch sensor is operably connected (via a wire or a conduit) to the controller and/or one or a plurality of printed circuit boards (PCBs), which can provide hard wired feedback control circuits, a processor and memory devices for storing and performing control routines, or any other type of controller.  
[0122]        The mirror assembly 2 can include a sensor assembly 80, as shown in Figures 17-21.  The sensor assembly 80 can be positioned near a lower region of the mirror assembly 2 or elsewhere (e.g., the top of the mirror, the bottom, a side, or otherwise).  Alternatively, the sensor assembly can disposed along any other portion of the mirror assembly 2 or not positioned on the mirror assembly 2.  For example, the sensor assembly can be positioned in any location in a room in which the mirror assembly 2 sits.  In some embodiments, the sensor assembly can be located in a phone or other handheld device that activates the mirror assembly 2 when the user is in proximity to it.  
[0123]        In certain embodiments, the sensor assembly 80 comprises a housing 87 that supports one or more light transmitters 82a, 82b and one or more receivers 83.  In some implementations, the housing 87 comprises hard or rigid plastic (e.g., injection molded or otherwise), rubber, synthetic polymer, metal, composite, or another similar material.  In some embodiments, the housing 87 comprises a projection 88 (e.g., a step, lip, elevated platform, etc.) that projects from the main body 81 of the sensor assembly 80.  In some embodiments, the sensor assembly 80 further comprises a gasket 85.  In certain variants, the sensor assembly 80 further comprises a coverslip 86.  In some embodiments, the coverslip 86 holds the gasket 85 in contact with or within the housing 87 and the gasket 85 is held in place by the housing 87 via the projection 88.  In some variants, the coverslip fastens into the housing 87 using a fastener (e.g., a snap, clip, screw, etc.).  In certain embodiments, the coverslip 86 provides consistent distributed pressure against the gasket 85 partially compressing it and/or holding it flush against the housing 87 via the projection 88.  In some variants, the coverslip 86, the gasket 85, housing 87 assembly reproducibly provides a separation of the transmitter 82a, 82b signal from the receiver 83 signal.  
[0124]        In some embodiments, sensor assemblies can comprise hard plastics, semi-soft polymer, and/or partially pliable materials.  However, these materials can warp and bend when affixed in a device or over time.  This warping and bending may allow a signal from the transmitter to bleed directly into the receiver disrupting the settings of a device.  In some embodiments, the sensor assembly 80, housing 87, gasket 85, and coverslip 86 configuration can allow reliable sealing of the transmitter from the receiver.  Furthermore, the entire assembled sensor assembly 80 can be affixed to the head portion 40 of the mirror assembly via fasteners inserted through a sensor aperture 89.  This sensory assembly 80 beneficially minimizes bleeding of signal from the transmitters 82a, 82b to the receiver 83 (e.g., laterally escaping or otherwise diffusing from the transmitters to the receiver through a portion of the sensor assembly).  In some embodiments, this configuration can facilitate replacement and fixation of the sensor assembly in the mirror assembly 2.
[0125]        In some embodiments, the gasket 85 is composed of a soft, resilient, and/or flexible material, such as a material selected from one or more of the following: silicone, PTFE, rubber, polyethylene, nylon, polypropylene, composite, and the like.  
[0126]        The sensor assembly 80 can include a proximity sensor or a reflective-type sensor.  For example, the sensor 80 can be triggered when an object (e.g., a body part) is moved into, and/or produces movement within, a sensing region.  The sensor assembly 80 can include one or more transmitters and receivers.  In some embodiments, the mirror assembly 2 comprises two transmitters 82a, 82b and a receiver 83.  The transmitters can be configured to produce a signal (e.g., electromagnetic energy such as infrared light), and the receiver can be configured to receive that signal (e.g., electromagnetic energy such as infrared light).  In certain embodiments, as shown in Figures 1 and 2, transmitter apertures 84 can be present to facilitate signal transmission by the transmitters through the mirror 50.  In some embodiments, the receiver apertures are not present or necessary.  In some embodiments, these apertures are not present on the surface of the mirror or are so small that they are not noticeable to the user.  In some embodiments, when the apertures are not present, the transmitters transmit through a two-way portion of the mirror surface (e.g., a partially transparent and partially reflective portion of the mirror where, when one side of the mirror is lit and the other is dark, it allows viewing - or transmission - through the mirror from the darkened side but not from the lit side).  The beam of light emitting from the light emitting portions 82a, 82b can define a sensing region.  In certain variants, the transmitter can emit other types of energy, such as sound waves, radio waves, or any other signals.  The transmitter and receiver can be integrated into the same sensor or configured as separate components.  
[0127]        In some embodiments, the light emitting portions 82a, 82b can emit light in a generally perpendicular direction from the front face of the mirror assembly.  In some embodiments, the light emitting portions 82a, 82b emit light at an angle from a perpendicular to the front face of the mirror assembly by at least about 5 degrees and/or less than or equal to about 45 degrees.  In some embodiments, the light emitting portions 82a, 82b emit light at an angle from a perpendicular to the front face of the mirror assembly by at least about 15 degrees and/or less than or equal to about 60 degrees.  In certain embodiments, the light emitting portions 82a, 82a emit light at a downward angle of about 15 degrees.
[0128]        In some embodiments, the sensor assembly 80 can detect an object within a sensing region.  In certain embodiments, the sensing region can have a range from at least about 0 degrees to less than or equal to about 45 degrees downward and/or upward relative to an axis extending from the sensor assembly 80, and/or relative to a line extending generally perpendicular to a front surface of the sensor assembly, and/or relative to a line extending generally perpendicular to the front face of the mirror and generally outwardly toward the user from the top of the mirror assembly.  In certain embodiments, the sensing region can have a range from at least about 0 degrees to less than or equal to about 25 degrees downward and/or upward relative to any of these axes or lines.  In certain embodiments, the sensing region can have a range from at least about 0 degrees to less than or equal to about 15 degrees downward relative to any of these axes or lines.  In some embodiments, the sensing region extends a particular distance away from a mirrored surface of the mirror system, such that any objected detected within such distance will cause the sensor assembly 80 to trigger, causing the one or more mirror lights, or some other functionality of the mirror system, to actuate.  Any feature, structure, material, or step that is described and/or illustrated in U.S. Patent Application Publication No. No. 2013/0235610 for sensing proximity to assist in actuating one or more functions, or for increasing the sensitivity of a sensor assembly, can be used with or instead of any feature, structure, material, or step that is described and/or illustrated in the rest of this specification, as with all other disclosure.
[0129]        In some embodiments, the sensing region can be adjusted by mounting the sensor assembly 80 at an angle.  In certain embodiments, the sensor assembly 80 can be mounted such that the front surface of the sensing assembly 80 can be generally parallel or coplanar with a front surface of mirror 50.  In certain embodiments, the sensor assembly 80 can be mounted such that the front surface of the sensing assembly 80 can be at an angle relative to the front surface of the mirror.  
[0130]        In certain embodiments, the sensor assembly 80 requires only enough power to generate a low power beam of light, which may or may not be visible to the human eye.  Additionally, the sensor assembly 80 can operate in a pulsating mode.  For example, the light emitting portion 82 can be powered on and off in a cycle such as, for example, for short bursts lasting for any desired period of time (e.g., less than or equal to about 0.01 second, less than or equal to about 0.1 second, or less than or equal to about 1 second) at any desired frequency (e.g., once per half second, once per second, once per ten seconds).  Cycling can greatly reduce the power demand for powering the sensor assembly 80.  In operation, cycling does not degrade performance in some embodiments because the user generally remains in the path of the light beam long enough for a detection signal to be generated.
[0131]        If the receiving portion 83 detects reflections (e.g., above a threshold level) from an object within the beam of light emitted from the light emitting portions 82a, 82b, the sensor assembly 80 send a signal to the controller to activate a light source.  In some embodiments, the controller assembly is operably connected (via a wire or a conduit) to one or a plurality of printed circuit boards (PCBs), which can provide hard wired feedback control circuits, a processor and memory devices for storing and performing control routines, or any other type of controller.  
[0132]        In some embodiments, the sensor assembly 80 can send different signals to a controller based on the amount of light reflected back toward the receiver 83a, 83b.  For example, in certain variants, the sensor assembly 80 is configured so that the amount of light emitted by the light sources 60 is proportional to the amount of received light, which can indicate the distance between the mirror 50 and the user.  In certain variants, if the user is in a first sensing region, then the controller causes the one or more light sources 60 to activate from an off state or to emit a first amount of light.  If the user is in a second sensing region (e.g., further away from the sensor assembly 80 than the first sensing region), then the controller causes the one or more light sources 60 to emit a second amount of light (e.g., less than the first amount of light).
[0133]        In certain variants, the controller can trigger at least two different levels of brightness from the light sources 60, such as brighter light or dimmer light.  For example, if the user is anywhere in a first sensing region, then the controller signals for bright light to be emitted; if the user is anywhere in a second sensing region, then the controller signals for dim light to be emitted.
[0134]        The controller can also trigger more than two brightness levels.  In certain implementations, the level of emitted light is related (e.g., linearly, exponentially, or otherwise) to the distance from the sensor to the user.  For example, as the user gets closer to the sensor assembly 80, the one or more light sources 60 emit more light.  Alternatively, the mirror assembly 2 can be configured to emit more light when the user is further away from the sensor assembly 80, and less light as the user moves closer to the sensor assembly 80 (as may be configured using user settings).  In some embodiments, the multiple sensing regions allow the mirror assembly to calculate the distance an object is from the mirror and to adjust lighting settings accordingly.  For instance, in certain implementations, based on the distance the object is from the mirror assembly, an algorithm can calculate the amount of illumination necessary to illuminate the object.  Based on the distance, more or less light can be emitted from the light source to illuminate the object.
[0135]        In some embodiments, the sensor assembly can include at least two light emitting portions.  Each transmitter can emit a cone of light with proper shielding or guiding on the transmitters, which defines the detection zones of the sensors (subject to the nominal range of the sensors).  The area in which the two cones overlap creates a primary sensing region, and areas in which the two cones emit light but do not overlap create a secondary sensing region.  If a user is detected in the primary sensing region, then the sensor assembly can send an appropriate signal to the controller, which triggers a first level of light from the light sources.  If a user is detected in the secondary sensing region, then the sensor assembly sends an appropriate signal to the controller, which activates a second level of light from the light sources.  In some embodiments, the first level of light is brighter than the second level of light.  In other embodiments, the second level of light is brighter than the first level of light.  In some embodiments, the sensor assembly defines more than two sensing regions and triggers more than two levels of light.  
[0136]        In some embodiments, the light emitting portions 82a, 82b can be positioned generally along the same horizontal plane (e.g., relative to the ground).  The sensor assembly can issue an appropriate signal to the controller, which can trigger brighter light when the user is within a first sensing region, directly in front of the sensor assembly 80.  The sensor assembly 80 can trigger dimmer light when the user is within a second sensing region, in the periphery of the mirror assembly 2.  
[0137]        The sensor assembly 80 can include two or more light emitting portions 82a, 82b that do not create overlapping detection cones within the nominal range of the sensors 80.  A first cone of light defines a first sensing region and a second cone of light defines a second sensing region.  If a user is detected in the first sensing region alone or the second sensing region alone, then the sensor assembly 80 signals the controller, which activates a first level of light from the light sources 60.  In certain variants, if a user is concurrently detected in the first and second sensing regions, then the sensor assembly 80 signals the controller to activate a second level of light from the light sources 60.  In some embodiments, the first level of light is brighter than the second level of light.  In other embodiments, the second level of light is brighter than the first level of light.
[0138]        Activation of the light sources 60 or adjusting the amount of light emitted from the light sources 60 can be based on factors other than the presence of a user within a sensing region.  For example, the amount of light emitted from the light sources 60 can adjust based on motion within the detection zone and nominal range of the sensor 80.  Certain implementations are configured such that, if a user moves his/her hand in an preset direction (e.g., up, down, left, right, diagonally, etc.), then the controller changes an aspect of the light emitted from the light source 60 (e.g., color temperature change, color, or light intensity).  If the user moves then moves his/her hand in a in the opposite direction, the opposite light effect will be accomplished.  
[0139]        Once a light source 60 activates, the light source 60 can remain activated so long as the sensor assembly 80 detects an object in a sensing region.  Alternatively, the light source 60 remains activated for a pre-determined period of time.  For example, activating the light source 60 can initialize a timer.  If the sensor assembly 80 does not detect an object before the timer runs out, then the light source 60 is deactivated.  If the sensor assembly 80 detects an object before the timer runs out, then the controller reinitializes the timer, either immediately or after the time runs out.  
[0140]        In some embodiments, the sensor assembly 80 can detect an object’s movement in a sensing region.  In certain implementations, when the object’s movement is sufficient in nature, the mirror assembly will activate.  In some variants, the sufficiency of an object’s movement is based on whether the moving object is of a certain minimum size (e.g., about that of a human adult or child), whether the movement of the object is of a certain minimum speed (e.g., an average walking speed, or the speed of waving hand), and/or whether the movement of the object is of a certain maximum distance from the mirror assembly (e.g., less than about 10, 5, 3, 2, or 1 foot).  
[0141]        Once activated, the light source 60 can remain activated for a pre-determined period of time.  For example, as discussed above, activating the light source 60 can initialize a timer.  If the sensor assembly 80 does not detect sufficient movement from the object before the timer runs out, then the light source 60 deactivates.  However, if the sensor assembly 80 detects movement sufficient in nature before the timer runs out, then the controller reinitializes the timer, keeping the mirror assembly in an active state.  In some embodiments, the amount of object movement required to reinitialize the timer can be the same as or smaller in kind, speed, or frequency than the amount of movement sufficient to initially activate a mirror assembly that is inactive, or the proximity distance of the object to the mirror assembly can be the same as or greater than the proximity distance of the object to the mirror assembly sufficient to initially activate the mirror system that is inactive.  For instance, in certain embodiments, a movement that is insufficient to activate the mirror assembly in the first place can be sufficient to keep the mirror assembly active once in the active state.  The timing and increased sensitivity features can be used to ensure that the mirror assembly does not deactivate prematurely or unexpectedly or at a time when it is still in use.  
[0142]        The one or more sensing regions can be used in any type of configuration that allows the user to control an aspect of the operation of the mirror assembly 2.  For example, the one or more sensing regions can be used to trigger the mirror assembly 2 to emit different levels of light, operate for varying durations of time, pivot the mirror, or any other appropriate parameter.  
[0143]        In several embodiments, the mirror assembly 2 has one or more modes of operation, for example, an on mode and an off mode.  A controller can activate different modes based on signals received from different sensing regions, motions, or any other parameter.  Any of the modes described below can be used separately or in combination with each other.
[0144]        The mirror assembly 2 can include a task mode.  When the task mode is activated, the mirror assembly 2 can trigger a light source 60 to remain activated or cause the sensor to enter a hyper mode (e.g., during which the sensor is configured to have increased sensitivity to movement within a zone, or to have a larger or wider sensitivity zone, or to have some other increased sensitivity signal detection) for a pre-determined period of time.  For example, in some embodiments, the task mode can be especially useful when the user plans to use the mirror assembly 2 for an extended period of time, especially if the user’s body position is substantially still for an extended period, to avoid intermittent loss of lighting while the user is still looking into the mirror.  The task mode can trigger a light source 60 to remain activated for a predetermined amount of time, even if the user is not detected within a sensing region.  The pre-determined amount of time can be less than or equal to about: 3 minutes, 5 minutes, 10 minutes, or any other suitable period of time.  If the sensor assembly 80 does not detect a user before the timer runs out, then the mirror assembly 2 deactivates task mode.  In certain embodiments, the mirror assembly 2 remains in task mode until the user signals a light source 30 to deactivate.
[0145]        The mirror assembly 2 can include a power saver mode.  When the power saver mode is activated, the light source 60 emits less light than the mirror assembly 2 when not in power saver mode.  The power saver mode can be user-activated and can be used when a user plans to use the mirror for a relatively long period of time.  Alternatively, the mirror assembly 2 enters power saver mode automatically as a transition between on mode and off mode.  For example, a controller can initialize a timer when a light source 60 activates.  If the sensor assembly 80 does not detect a user before the timer runs out, then the controller enters power saver mode and initializes a second timer.  If the sensor assembly 80 does not detect a user before the second timer runs out, then the controller deactivates the light source 60.  
[0146]        The mirror assembly 2 can include a hyper mode.  As described above, in some embodiments, the mirror assembly 2 can have two light emitting portions.  In certain implementations, the controller only triggers the light sources 60 to activate when the sensor assembly 80 detects an object in the region where the two cones of light intersect (e.g., the primary sensing region).  In some embodiments, after the light source 60 has been activated, the mirror assembly 2 enters hyper mode.  The controller can keep the light sources 60 activated as long as the sensor assembly 2 detects the user in either one or both of the cones of light (the secondary or the primary sensing regions).  The secondary sensing region can be different from the primary sensing region.  For example, the secondary sensing region can be larger than the primary sensing region.  In some embodiments, this allows the user to move around and still keep the light source 60 activated.  Hyper mode can also help save power by preventing unintentional activation when the user is near a periphery of the mirror assembly 2.
[0147]        The mirror assembly 2 can also include ambient light sensing capabilities.  For example, when the ambient light is relatively low, the light emitting from the light source 60 will be brighter than if the ambient light is relatively bright.  The light receiving portion 83 can detect both ambient light and light emitted from the transmitter 82, or the mirror assembly 2 can include a second sensor assembly for detecting ambient light.
[0148]        The controller can adjust the amount of signal necessary to trigger a light source 60 based on the amount of detected ambient light.  For example, the amount of detected light required to activate the light sources 60 can be proportional to the ambient light.  Such a configuration can allow the light source 60 to be activated even when the level of ambient light is modest (e.g., in dimmed bathroom lighting).  When the ambient light is less than or equal to a first level, the controller activates light source 60 when a first level of the reflected signal is detected.  When the ambient light is greater than the first level, the controller activates light source 60 when a second level (e.g., greater than the first level) of the reflected signal is detected.
[0149]        The controller can also adjust the amount of light emitted by the light sources 60 based on the ambient light.  Such a configuration can, for example, avoid emitting a starting burst of very bright light that would be uncomfortable to a user’s eyes, especially when the user’s eyes were previously adjusted to a lower light level, such as when the surrounding environment is dim.  For example, the amount of light emitted by the light sources 60 can be proportional to the amount of ambient detected light.
[0150]        The controller can also gradually increase the level of emitted light from the light sources 60 when the light sources 60 are activated and/or gradually decrease the amount of light emitted from the light sources 60 when the light sources 60 are deactivated.  Such a configuration can inhibit discomfort to a user’s eyes when the light sources 60 turn on.  
[0151]        The mirror assembly 2 can also include a calibration mode.  For example, the calibration mode can calibrate the different sensing regions with different output characteristics as desired by the user.  An algorithm can be configured to utilize multiple sensing regions to perform different functions.  For example, a user can configure a first sensing region to correspond with a first level of light (e.g., lower intensity light) and configure a second sensing region to correspond with a second level of light (e.g., higher intensity light).  In another example, the user can adjust the size (e.g., width or height) of the sensing region.  The user can designate a first sensing region to correspond with a first level of light and designate a second sensing region to correspond with a second level of light.  This calibration mode can be triggered by a user indicator, such as pressing a button, activating a sensor, or any other appropriate mechanism.
[0152]        In some embodiments, an ideal sensing region is designed so that the center of a user’s face is generally positioned at about the center of the mirror portion, at a suitable perpendicular distance away from the mirror to permit the user to generally closely fit the user’s face within the outer periphery of the mirror.  A proximity sensor, generally positioned at a bottom region of the mirror, can be tilted upwardly at an angle above horizontal (e.g., at least about 10 degrees upward, such as about 15 degrees upward), and an algorithm can trigger a power change to the mirror when a user’s face (or any other object) is detected within a predetermined range of distances in a perpendicular forward direction from the front face of the mirror.  For example, in some embodiments, the first region can be within a range of at least about 10 inches and/or less than or equal to about 12 inches (e.g., about 11 inches) from the front face of the mirror, and the second region can be in a range of at least about 7 inches and/or less than or equal to about 9 inches (e.g., about 8 inches) from the front face of the mirror.
[0153]        An algorithm can be configured to send a command to activate the light sources 60 based on detected signals.  The algorithm can also be configured to emit different levels of light or vary durations of time.  The algorithm can also be configured to send a command to trigger one or more modes, including any of the modes discussed above.  The command can vary based on the signal received.  For example, the signal can depend on the distance between an object and the sensor assembly 80, and/or other parameters such as duration or path of motion.  
[0154]        The algorithm can initialize a timer when a light source is activated.  The timer can run for at least 30 seconds and/or less than or equal to 60 seconds, or any other quantity of time.  In some embodiments, the timer can run for less than 30 seconds.  In some embodiments, the timer can run for about five seconds.  In some embodiments, the light source will immediately turn off when the time runs out.  In some embodiments, the light will remain activated so long as the sensor assembly 80 detects an object before time runs out.  If the sensor assembly 80 detects the object, the timer can immediately restart, or restart when the time runs out.  If the sensor assembly 80 does not detect an object before the time runs out, then the light source will turn off.
[0155]        The algorithm can incorporate a delay that deactivates the sensor or otherwise prevents a light source 60 from emitting light immediately after the light source 60 deactivates.  The delay can be for 1 second, 5 seconds, or any other amount of time.  The delay helps prevent the user from unintentionally triggering the light source 60.  During the delay period, the light source 60 will not emit light even if an object is in a sensing region during the delay period.  If the sensor assembly 80 detects an object after the delay period, the light sources 60 can emit light again.
[0156]        In some embodiments, the level of light emitted from the light sources 60 does not depend on the length of time that the user remains in the sensing region.  The level of light emitted from the light sources 60 can differ depending on the location of the user in a different sensing region, even if certain other parameters are the same (such as the length of time that the user is sensed in a region).
[0157]        In some embodiments, the mirror assembly 2 can include an algorithm configured to maintain the light source (e.g., LED) brightness at a generally constant level even as the battery capacity is nearing the end of its life (necessitating a recharge) by adjusting the electrical characteristics of the power source supplied to the light source depending on the stage of battery life (e.g., increasing the voltage as the current decreases or increasing the current as the voltage decreases).
[0158]        In some embodiments, the mirror assembly 2 can include an algorithm configured to detect whether the mirror was inadvertently activated, such as with a false trigger or by the presence of an inanimate object.  For example, when the sensor detects an object, the controller can initialize a timer.  If the mirror assembly 2 does not detect any movement before the timer runs out, then the light sources will turn off.  If the mirror assembly 2 does detect movement, then the timer can re-initialize.  
[0159]        As noted above, the mirror assembly 2 can include a processor, which can control, by various scheme and algorithms, input and output characteristics and functions of the mirror assembly 2.  In some embodiments, the processor is responsive to signals received by the sensor assembly 80 and/or the capacitive touch sensor 71.  In certain embodiments, the processor enables the sensor assembly 80 or the capacitive touch sensor 71 to control any one or more of the mirror assembly 2 algorithms (e.g., algorithms regarding the sensor regions, brightness of the light sources, warmth of the light sources, color of the light, CRI, etc.).  
[0160]        The mirror assembly 2 can also include memory, such as firmware, to store the various user settings, control schemes, and algorithms, as well certain instructions and/or settings related to various characteristics of the mirror assembly 2.  For example, the memory can include instructions and/or settings regarding the size of the sensing regions, the sensitivity of the sensors, the level of output light, the length of various timers, and otherwise.
[0161]       The mirror assembly 2 can be configured such that a user can modify (e.g., update, program, or otherwise) the memory, such as by connecting the mirror assembly 2 to a computer (e.g., a smartphone, laptop, etc.) that is equipped with software or an “app” that is configured to enable the computer and/or the mirror assembly to perform any of the functions, tasks, and/or steps described and/or illustrated herein.  For example, the mirror 2 can be communicatively connected with a computer via the port 78 (e.g., using a USB, cable).  Data can be transferred between the computer and the mirror assembly 2 via the port 78.  The mirror assembly 2 can alternatively be configured to communicate with a computer or network wirelessly, such as by a cellular, Wi-Fi, or Bluetooth (Registered trademark) network, infrared, or otherwise.  
[0162]        In some embodiments, a database containing light information for particular environments can be assembled (e.g., by a user or a third party) and stored in the memory on the mirror assembly 2 and/or on the computer.  This database can contain, for example, particular light parameters (e.g., color temperature, light intensity, color hue, etc.) for individual environments (e.g., restaurants, outdoor venues at different times of day or season or with different weather conditions, sporting arenas, opera houses, dance venues, clubs, auditoriums, office, bar, etc.).  In certain embodiments, individual outside light environments can include, for example, sunny, overcast, cloudy, rainy, dawn, dusk, twilight, etc.  In some embodiments, a user can access this database in setting the light parameters of the mirror assembly 2 in order to perform light-matched personal grooming and make-up application (e.g., in preparation for attending a database-listed or similar venue).  For instance, in certain variants, the user can download a venue’s light parameters into a device (e.g., a handheld device, a tablet, a computer, a thumb drive, a smartphone) and transfer that information to the mirror assembly 2 (e.g., by connecting the device to the mirror assembly using a conduit and the port or wirelessly using Bluetooth (Registered trademark) or Wi-Fi).  Once downloaded (e.g., to a processor or to a memory storage unit), the mirror assembly can automatically set the light parameters to match the suggested settings in the database.  In some embodiments, any of these light settings can be preset and/or included on a memory of the mirror assembly (e.g., without need for download from a database).  In some embodiments, the user can manually select any of these preset settings (e.g., using a touch screen, capacitive touch sensor, buttons, a wireless device, etc.) or the user can manually create and save one or more different settings from the user’s own personal adjustments.  Personal (e.g., manual) adjustments can be performed by manipulating one or more of the tint, color, color temperature, brightness, and light intensity of the light emitted from the light assembly (e.g., using a touch screen, capacitive touch sensor, buttons, a wireless device, etc.).
[0163]        In some embodiments, the mirror assembly 2 can be configured to access environmental information (date, time, season, weather, etc.) from an information source (e.g., the internet, a home system, etc.).  In some embodiments, this information can be transferred to the mirror assembly wirelessly or through a wired connection.  In some embodiments, the mirror assembly 2 can include a software or hardware module with an algorithm that selects particular light parameters automatically based on the environmental information to best match those conditions.  In some embodiments, the mirror assembly comprises learning devices and/or can be integrated to communicate with such devices (e.g., NEST (Registered trademark) devices).  In some embodiments, this feature allows the mirror assembly to function and/or program or adjust itself based on user activity (e.g., whether the user is home, in bed, in the bathroom, etc.) and/or based on information gathered by an integrated device (e.g., a NEST (Registered trademark) device).  In some embodiments, after information is received, the mirror assembly can automatically select lighting settings based on, for example, outside weather (e.g., outside lighting conditions), ambient lighting, the presence of someone in the home (e.g., for power conservation, etc.), time of the day (e.g., to act as an alarm by flashing light, a night light, etc.), or otherwise.  In some embodiments, any of the above features can be turned-off or overridden based on input from the user.  
[0164]        In some embodiments, the mirror assembly can act as an alarm or a reminder or a conveyor of one or more types of information to the user.  For example, in some embodiments, the mirror assembly can indicate it is time for an event or that a particular amount of time has elapsed or a particular time of day has arrived.  In certain implementations, the mirror assembly alarm feature operates by providing a cue to the user when a time is reached (e.g., time to wake-up, time to shower, time to apply make-up, time to leave for school, work, or some other event).  In some embodiments, the alarm can be set manually by the user and/or can be set automatically.  For instance, the user can set the alarm feature to activate (or deactivate) at a specific recurring time on weekdays and another different time on weekends.  When set to automatically activate and deactivate, the mirror assembly can set alarms based on specific information regarding the user, such as specific entries in, for instance, the user’s personal electronic calendar.  In certain implementations, the automatic alarm setting can be based on past behaviors of the user, or on information gathered from public sources (e.g., the internet).  
[0165]        In some embodiments, the mirror assembly can automatically adjust the timing of an alarm when, for example, the timing of an event has been delayed, or traffic conditions to an event have changed.  The mirror assembly can also display suggest alarm changes prior to making them and can display the reasoning for a suggested change (on a LCD screen or the like).  Similarly, in some embodiments, the mirror assembly can adjust or suggest different light settings based on changed weather or other light characteristics.  
[0166]        In some embodiments, the alarm cue provided to the user is visual.  Visual cues could include flashing of the light sources, dimming of the light sources, powering-down of the mirror assembly (and light sources), brightening of the light sources, color changes of the light source (intermittently flashing an alarm color to the user), etc.  In some variants, other or additional features of the mirror assembly provide visual cues.  For instance, in some embodiments, an LED (light bulb, colored panel, etc.) is provided on the periphery of one or more of the mirror surfaces or the mirror frame.  In some embodiments, the alarm LED illuminates, blinks, or provides other visual cues to the user.  In certain embodiments, the alarm can be hidden behind the a portion of a mirrored surface that functions as a two-way mirror such that the visual cue and alarm system only become visible through the mirrored surface when lit.  In some embodiments, the mirror assembly comprises a display (as explained elsewhere herein) that includes features that can act as an alarm.  For instance, the display can show a timer, a clock, reducing bar scale, a colored indicator (e.g., that changes from green to yellow to red), or the like to indicate it is time for an event (e.g., time to go).    
[0167]        In certain variants, the cue is auditory.  Auditory cues include one or more of a ring, beep, beeping, a buzzer, turning on music or a radio broadcast, the quieting or silencing of music or a radio broadcast, statements made by a voice (e.g., indicating “good morning,” “time to go,” or “good night”, etc.), etc.  In some embodiments, where the auditory cue is a voice, the voice can be recorded (e.g., by the user), prerecorded (e.g., a preset installed during manufacture), a computerized, or downloaded using an app.  
[0168]        In certain implementations, the cue provided to the user is some other sensorially perceived indicator (e.g., a vibration or other physical cue).  In some embodiments, more than one cue (or cue type) can be used in combination.  
[0169]        In some embodiments, a device providing the alarm (visual, auditory, physical, or otherwise) is located on the base, shaft, or head of the mirror assembly.  In some embodiments, for instance, the cue is provided by a speaker that can be located on the back, front, side, top or bottom of the mirror assembly, the shaft, the base, or otherwise.    
[0170]        In some embodiments, the software or hardware module in the mirror assembly or computer can be configured to enable a user to set particular default settings of the mirror assembly 2 using a computing device (e.g., a computer, smartphone, or the like) to download particular desired settings from the mirror assembly (e.g., a favored color temperature, light intensity, color hue, etc.).  In certain variants, software or hardware module in the mirror assembly or computer can be configured to enable the user can later reset the mirror assembly to those desired settings by uploading them from the computing device (e.g., wirelessly, wired, or otherwise).  In certain embodiments, the user can set particular mirror assembly settings (e.g., lighting settings, mirror positions, etc.) and save/store those settings.  
[0171]        In some embodiments, when attending a particular venue, the user can use a sensing device (e.g., on a smart phone, other mobile electronic communication device, or another data collecting device) to detect particular light parameters of the environment.  In certain implementations, the user can then capture light information at the venue using the sensing device.  The user can later use this light parameter information to calibrate the mirror assembly 2 to match that particular environment (or to create a new preset light environment that can be stored in a memory of the mirror assembly).  In some embodiments, an application (software, etc.) can be loaded onto the sensing device to allow the user to capture light information at a particular venue.  In some variants, for instance, a light environment capture application (available at an app store or online) is downloaded to a mobile communication device and when the app is opened, light information can be captured automatically, by actuation of a button on the device, or by touching engaging a touchscreen.  In some embodiments, the user can gather lighting information, such as by taking a picture or a “selfie” using the sensing device.  Then, in certain implementations, the lighting information or picture or “selfie” can be analyzed by software or an application to capture light environment information therefrom.  
[0172]        In some embodiments, a calibrating implement can be used to detect particular light parameters of the environment.  For instance, in certain implementations, a calibrating card can be used.  In some variants, the calibrating card contains various shapes or images with various colors, or shades of colors.  In some embodiments, when the sensing device views the calibrating card (e.g., when ambient light that is reflected off the card is sensed by the sensing device), the light parameters of the environment are captured.  
[0173]        Other types of interactions (additionally or alternatively) between the mirror system, mobile devices, and a user are possible in addition to those described above.  For example, a user may be able to input data into or control the mirror system through other devices, such as keyboards, mouses, or remote controls.  In some embodiments, the mirror system settings can be implemented with one or more computing devices, such as several interconnected devices.  Thus, each of the components depicted in the mirror system can include hardware and/or software for performing various features.
[0174]        In some embodiments, the mirror system and/or the computing device comprises a non-transitory, computer-readable medium storing computer-executable instructions for the mirror system or assembly.  In certain embodiments, the computer-readable medium storing computer-executable instructions, when executed by one or more processors, cause the one or more processors to perform one or more of the following: receive a light environment information from a sensing device; compare the light environment received by the sensing device to light settings on a mirror assembly; indicate a deviation from or proximity to the light environment based at least in part on the comparison of the light environment and the light settings on the mirror assembly; adjust the light settings of the mirror assembly to match or approximate the light environment information.  
[0175]        In certain embodiments, the one or more processors are configured to cause a display to display an indication of one or more aspects of the light environment and/or the light settings.  For example, in some embodiments, the display displays the deviation between the light environment and light settings, information about the light environment (when it was captured - date, time, season, temperature, etc.), a prompt (asking whether the user would like to change one or more of the light settings to match the light environment information), etc.
[0176]        In some embodiments, the non-transitory, computer-readable medium storing computer-executable instructions is located in a mobile device or is located in a medium configured to be downloaded onto a mobile device (such as over the internet).  In some embodiments, the non-transitory, computer-readable medium storing computer-executable instructions is located on the mirror assembly.  
[0177]        As described elsewhere herein, in some embodiments, the mirror assembly and its components are actuated by or include one or more computing devices.  For example, in some embodiments, a computing device (either as part of or remote from the mirror system) that has components including a central processing unit (CPU), input/output (I/O) components, storage, and/or memory may be used to execute any, some, or all of the processes of the mirror system.  The I/O components can include a display (e.g., a touch screen), a network connection to the network, a computer-readable media drive and other I/O devices (e.g., a keyboard, a mouse, speakers, a touch screen, etc.).  Software and other modules may reside and execute on servers, workstations, personal computers, computerized tablets, PDAs, and other computing devices suitable for the purposes described herein.  Software and other modules may be accessible via local memory, via a network, via a browser, or via other means suitable for the purposes described herein.  Data structures described herein may comprise computer files, variables, programming arrays, programming structures, or any electronic information storage schemes or methods, or any combinations thereof, suitable for the purposes described herein.  User interface elements described herein may comprise elements from graphical user interfaces, interactive voice response, command line interfaces, and other suitable interfaces. In some embodiments, the mirror system may be configured differently than described above.  
[0178]        One or more of the settings of the mirror assembly or other information as described elsewhere herein can be stored as one or more executable program modules in the memory of the computing device and/or on other types of non-transitory computer-readable storage media, and the mirror system can interact with computing assets over a network or other communication link.  In some embodiments, the mirror system may have additional components or fewer components than described above.   
[0179]        In certain implementations, each of the processes, methods and algorithms described anywhere in this specification may be embodied in, and fully or partially automated by, code modules executed by one or more computers, computer processors, or machines configured to execute computer instructions.  The code modules may be stored on any type of non-transitory computer-readable storage medium or tangible computer storage device, such as hard drives, solid state memory, optical disc and/or the like.  The processes and algorithms may be implemented partially or wholly in application-specific circuitry.  The results of the disclosed processes and process steps may be stored, persistently or otherwise, in any type of non-transitory computer storage such as, e.g., volatile or non-volatile storage.
[0180]        Depending on the embodiment, certain acts, events, or functions of any of the processes or algorithms described herein can be performed in a different sequence, can be added, merged, or left out altogether (e.g., not all described operations or events are necessary for the practice of the algorithm).  Moreover, in certain embodiments, operations or events can be performed concurrently, e.g., through multi-threaded processing, interrupt processing, or multiple processors or processor cores or on other parallel architectures, rather than sequentially.
[0181]        The various illustrative logical blocks, modules, routines, and algorithm steps described in connection with the embodiments disclosed herein can be implemented as electronic hardware, or as a combination of electronic hardware and executable software.  To clearly illustrate this interchangeability, various illustrative components, blocks, modules, and steps have been described above generally in terms of their functionality.  Whether such functionality is implemented as hardware, or as software that runs on hardware, depends upon the particular application and design constraints imposed on the overall system.  The described functionality can be implemented in varying ways for each particular application, but such implementation decisions should not be interpreted as causing a departure from the scope of the disclosure.
[0182]        Moreover, the various illustrative logical blocks and modules described in connection with the embodiments disclosed herein can be implemented or performed by a machine, such as a processor device, a digital signal processor (DSP), an application specific integrated circuit (ASIC), a field programmable gate array (FPGA) or other programmable logic device, discrete gate or transistor logic, discrete hardware components, or any combination thereof designed to perform the functions described herein.  A processor device can be a microprocessor, but in the alternative, the processor device can be a controller, microcontroller, or state machine, combinations of the same, or the like.  A processor device can include electrical circuitry configured to process computer-executable instructions.  In another embodiment, a processor device includes an FPGA or other programmable device that performs logic operations without processing computer-executable instructions.  A processor device can also be implemented as a combination of computing devices, e.g., a combination of a DSP and a microprocessor, a plurality of microprocessors, one or more microprocessors in conjunction with a DSP core, or any other such configuration.  Although described herein primarily with respect to digital technology, a processor device may also include primarily analog components.  For example, some or all of the signal processing algorithms described herein may be implemented in analog circuitry or mixed analog and digital circuitry.  A computing environment can include any type of computer system, including, but not limited to, a computer system based on a microprocessor, a mainframe computer, a digital signal processor, a portable computing device, a device controller, or a computational engine within an appliance, to name a few.
[0183]        The elements of a method, process, routine, or algorithm described in connection with the embodiments disclosed herein can be embodied directly in hardware, in a software module executed by a processor device, or in a combination of the two.  A software module can reside in RAM memory, flash memory, ROM memory, EPROM memory, EEPROM memory, registers, hard disk, a removable disk, a CD-ROM, or any other form of a non-transitory computer-readable storage medium.  An exemplary storage medium can be coupled to the processor device such that the processor device can read information from, and write information to, the storage medium.  In the alternative, the storage medium can be integral to the processor device.  The processor device and the storage medium can reside in an ASIC.  The ASIC can reside in a user terminal.  In the alternative, the processor device and the storage medium can reside as discrete components in a user terminal.
[0184]        When the mirror assembly 2 is in electronic communication with the computer, a software or hardware module (e.g., an “app”) can be configured to display a control panel on the computer and/or to perform any or all of the tasks, steps or functions that are illustrated and/or described herein.  The control panel may allow the user adjust various input and output characteristics for the mirror assembly 2.  For example, a user can use the control panel to adjust the output of the emitting portions and/or the sensitivity of the transmitter.  The user can also configure the light levels associated with the first and second sensing regions.  In another example, the user can adjust the size (e.g., depth, width, and/or height) of one or more of the sensing regions.  In some implementations, the user can use the control panel to modify the operation and output (e.g., intensity and/or color of the light) of the light source 60 based on certain conditions, such as the time of day, level of ambient light, amount of battery power remaining, and otherwise.  In certain variants, the ability to modify the operational parameters of the mirror assembly 2 with the control panel can reduce or obviate the need for one or more adjustment devices (e.g., buttons, knobs, switches, or the like) on the mirror assembly 2, thereby providing a generally uniform exterior surface of the mirror assembly 2 (which can facilitate cleaning) and reducing the chance of unintentional adjustment of the operational parameters (such as when transporting the mirror assembly 2).
[0185]        In various embodiments, instead of or in addition to the control panel (and/or the capacitive touch sensor described elsewhere herein), one or more physical dials (or knobs, switches, slide keys, buttons, etc.) can be provided on the mirror assembly to perform or actuate any function described and/or illustrated in this specification.  These physical structures, like the control panel (or capacitive touch sensor), can be used to change any of the various settings of the mirror assembly described herein (e.g., the quality of the light emitted, volume of sounds emitted, timing of alarms, brightness of displays, etc.).  
[0186]        In certain implementations, instead of or in addition to the other control mechanisms described herein, a display (e.g., a virtual display, touchscreen, LCD, OLED, LED, or the like) can be provided on the mirror assembly.  In some embodiments, the display is hidden from sight (e.g., on the back of the mirror).  In some variants, the display is behind (and/or is within) one or more portions of a mirrored surface of the mirrored assembly.  For example, in some embodiments, the display is in a position that is behind a two-way mirror portion of a surface of the mirror assembly.  Upon illumination, the display becomes visible to the user.  In some variants, when inactive, the display is no longer visible and appears to be just another portion of the mirror.  In certain implementations, the display is activated by an input from the user (e.g., by touching a portion of the mirror or the display, by stating a voice command, by making a movement that the mirror is programmed to recognize, or by any of the other activation methods described elsewhere herein).  
[0187]        In some embodiments, the display can be configured to perform any or all of the tasks, steps or functions that are illustrated and/or described herein.  For example, in certain implementations, the display is in electronic communication with a capacitive touch sensor (e.g., a touch screen).  When active, the display can indicate some level of a lighting variable (e.g., brightness, color temperature, etc.).  The capacitive touch sensor can then receive an input from the user to change that variable through a predetermined slide, tap, or rotation of the finger.  For example, in some embodiments, the display shows one or more virtual dials, knobs, or switches that can be used to change qualities of the light emitted from the light columns (e.g., the brightness, color, or temperature of the light).  
[0188]        In some variants, the display can also (or alternatively) be used to provide information to the user.  For example, in some embodiments, the display can act as a clock, an advertisement block, a text message panel (displaying text messages received by a user’s smart phone), an email panel (displaying email messages received by a user’s email address), or the like.  In some implementations, the display receives information from an information source (e.g., the internet, a home computer, etc.) and, based on a user’s past behavior (e.g., purchases, websites visited, etc.), transmits related information to the user.  As an illustration, based on past make-up purchases, the display may provide information about similar make-up, sales, promotions, etc.  Based on past venues that the user has attended, the mirror may suggest other similar events.  The display may also provide information about events that are upcoming (e.g., alarms) with updates as to traffic conditions or changed meeting times.  
[0189]        In certain variations, the mirror assembly may comprise facial recognition features.  In some instances, several different subjects may make use of the same mirror assembly.  Facial recognition allows the mirror assembly to recognize a particular user and to select certain baseline parameters based on that user.  For instance, if “User 1” works under fluorescent lights on weekdays, the mirror assembly could load a corresponding light profile on weekday mornings when that “User 1” is recognized.  If “User 2” works primarily in environments lit by incandescent bulbs on weekends, when that user is recognized, those light parameters could be selected.  In some embodiments, a specific individual’s email, texts, or suggested promotions are displayed based on that individual’s proximity to the mirror.  
[0190]        In certain implementations, the facial recognition feature allows the display to show tailored/targeted promotions (e.g., for make-up etc.) to specific users.  For illustration, in some embodiments, the mirror may assess the complexion, skin tone, or hair color of the user.  In some variants, the display can then suggest products for the user to purchase.  In some embodiments, when a product or promotion is displayed, the user can purchase or bookmark an item by touching the capacitive touch sensor in a specific area (e.g., a “purchase” or “bookmark” button).  
[0191]       In some implementations, when the mirror assembly 2 is in communication with a computer, data can be transferred from the mirror assembly 2 to the computer.  For example, the mirror assembly 2 can transfer data, such as power consumption, estimated remaining battery power, the number of activations and/or deactivations of the light source 60, the length of use (e.g., of individual instances and/or in total) of the light source 60, and otherwise.  Software can be used to analyze the transferred data, such as to calculate averages, review usage statistics (e.g., during specific periods), recognize and/or draw attention to unusual activity, and display usage statistics on a graph.  Transferring usage statistics from the mirror assembly 2 to the computer allows the user to monitor usage and enables the user to calibrate different characteristics of the mirror assembly 2 (e.g., based on previous usage and parameters).  Transferring data from the mirror assembly 2 to the computer can also reduce or avoid the need for one or more adjustment or display devices on the mirror assembly itself.
[0192]        When the mirror assembly 2 is in communication with the computer, the mirror the computer can also transfer data to the mirror assembly 2.  Furthermore, when the mirror assembly 2 is in communication with the computer, electrical potential can be provided to the battery 74 before, during, or after such two-way data transfer.
[0193]        On the rear side of the mirror assembly 2, the housing 10 can include a central support backing 41b, which can be configured to at least partially enclose one or more components of the mirror assembly 2.  As shown in Figures 7-9, and 21, the central support backing 41b can include an aperture 36 through which the pivot portion 32 can extend to engage with the head portion 40.  The central support backing 41b can also include one or more vents 75 to reduce further the temperature.  In certain variants, the mirror assembly 2 can include a gasket positioned between the head portion and support backing.  As previously noted, the pivot portion 32 can connect the head portion 40 and the shaft portion 30.  
[0194]        In certain embodiments, the pivot portion 32 allows the mirror 50 to be pivoted in one or more directions (e.g., up, down, right, left, clockwise, counterclockwise, etc.).  The pivot portion 32 can include one or more of a ball joint, one or more hinges, or otherwise.  As shown in Figure 21-23, the pivot portion 32 may comprise a vertical swivel joint 34 (allowing up and down movement) and a lateral swivel joint 33 (allowing right to left movement).  In some embodiments, the vertical swivel joint 34 is spring-loaded with spring 38.  The spring 38 (or another similar feature that causes directional resistance) can imbue head portion with a weighted feel so that user can tilt the mirror back easily with little resistance (from the vertical position to a position γ away from vertical, shown in Figure 22) and with more resistance when returning the head 40 to the vertical position.  
[0195]        As stated above, the various features of the pivot portion 32 give the head portion 40 multi-directional movement capabilities.  For instance, the head portion 40 can be adjustable (e.g., slidably movable and/or rotatable) along an axis generally parallel to the surface of the mirror 50 and to the ground and/or along an axis generally parallel to the surface of the mirror 50 and perpendicular to the ground.  Additionally, the shaft portion 30 can be adjustable (e.g., slidably movable and/or rotatable) along an axis generally parallel to the surface of the mirror 50 and perpendicular to the ground.  The housing portion 10 can also include additional pivot portions, such as along the shaft portion 20.  
[0196]        To adjust the height of the mirror assembly 2, the shaft portion 30 can be configured to telescope and/or translate generally perpendicular to the ground when the mirror assembly 2 is positioned on the base 20.  In some embodiments, the height of the shaft portion 30 can be adjusted to a length in inches (measured from the base 20 to the head portion 40) of less than or equal to about 4, about 6, about 8, about 10, about 15, about 20, about 25, about 50, ranges falling between the aforementioned values, values in between the aforementioned values, or otherwise.  In some embodiments, the height of the shaft portion 30 can be adjusted within about a four inch range.  In some embodiments, the height of the shaft portion 30 can be adjusted within about a three inch range.  
[0197]        The shaft portion 30 can comprise plastic, stainless steel, aluminum, or other suitable materials.  In some embodiments, the shaft portion 30 can comprise compressible materials, such as rubber, nylon, and plastics, on at least a portion of its outer surface.  
[0198]        A portion of the head portion 40 can be cantilevered outward from the longitudinal axis of the shaft portion 30.  Such a configuration can impart a moment of force on the mirror assembly 2, which, if uncompensated for, could lead to tipping.  The base portion 20 can also be configured to counteract such a moment.  For example, the base portion 20 can include a weight that is sufficient to reduce substantially the likelihood of tipping of the mirror assembly 2.  
[0199]        The base 20 and/or other portions of the mirror assembly 2 can be generally balanced in mass distribution such that the center of mass of the mirror assembly 2 is generally positioned near the shaft 30 and/or near the base 20.  The base portion 20 can weigh at least about 2 lbs., 4 lbs., 6 lbs., 8 lbs., 10 lbs., values in between, or otherwise.  The base portion 20 can also include one or more supporting feet or be configured to be semi-permanently mountable (e.g., to be mounted to a countertop with one or more fasteners).  
[0200]        In some embodiments, as illustrated, the base portion 20 can have a generally curved outer surface.  For example, a horizontal cross-section of the base at a plurality of points along its height can be generally circular or generally elliptical.  In the illustrated embodiment, the base portion 20 is generally conical, such as generally frusto-conical.  The outer surface of the base can be generally smooth, generally tapered and/or generally sloping, as illustrated, and/or present a virtually entirely continuous surface generally circumscribing the periphery of the base 20.  The horizontal cross-sectional area or diameter of the top of the base 20 generally can be about the same as the horizontal cross-sectional are or diameter of the bottom of the shaft portion 30.  The horizontal cross-sectional area of the base 20 can generally continuously increase from the top region of the base 20 to the bottom region of the base 20.  For example, a horizontal cross-sectional area or diameter at the bottom region of the base 20 can be substantially larger than a horizontal cross-sectional area or diameter at the top region of the base 20 (e.g., at least about two or at least about three times larger), which is an example of a base 20 that can help resist tipping of the mirror.  In some embodiments, as illustrated, the distance along the shaft portion 30 from the bottom of the mirror portion to the top of the base portion can be generally about the same as the height of the base portion 20.  In some embodiments, the base has a footpad 22 that helps prevent tipping of the mirror assembly 2.  In some embodiments, the footpad 22 gives the base 20 additional traction.  In some embodiments, the footpad is rubber, silicone, or any other slightly tacky material.  
[0201]        The mirror assembly can be powered using an electrical conduit (e.g., a cord) and/or it can be powered using an internal power source (e.g., in embodiments where the mirror assembly is cordless or wireless).  As discussed in further detail below, the head portion 40 (or some other portion of the mirror assembly) can include a power source 74 (e.g., a battery, a rechargeable battery, or a cord to be plugged into an electrical outlet).  In some embodiments, a cord is plugged directly into an external energy source and into the mirror assembly to charge an internal power source of the mirror assembly (e.g., rechargeable batteries).  In certain implementations, the external energy source is a standard wall outlet, a computer, or a portable battery.  In certain variants, the electrical conduit engages with the external energy source or the mirror assembly via a multi-prong electrical plug, a USB port, a cell phone adaptor, or some other port configured to receive charge and to deliver it to a device.  In some embodiments, the cord and/or the external energy source have guiding features (e.g., magnets) that guide the cord and external energy source into engagement.  In some embodiments, the electrical conduit is removable or retractable (e.g., it retracts into the mirror assembly, out of sight).  In some embodiments, the cord and/or the mirror assembly source have guiding features (e.g., magnets) that guide the cord and mirror assembly into engagement.  In some embodiments, the mirror assembly can be recharged by placing the mirror assembly onto or in contact with a charging pad or mat.  In some embodiments, the pad or mat may itself be wireless/cordless.
[0202]        In some variants, the cordless mirror assembly is powered by rechargeable batteries (e.g., lithium ion, nickel cadmium, nickel, metal hydride, or lithium ion polymer).  In some implementations, the batteries of the mirror assembly can be removed from the mirror assembly and replaced (or recharged at a charging station).    
[0203]        In some embodiments, the weight and positioning of the battery 74 can increase the stability of the mirror assembly 2 by acting as a counter weight to the mirror 50.  In some embodiments, the battery can deliver power to the light sources for at least about ten minutes per day for about thirty days.  The battery 74 can be recharged via a port 78 (e.g., a universal serial bus (USB) port or otherwise), as shown in Figure 8.  The port 78 can be configured to receive permanently or removably a connector coupled with a wire or cable (not shown).  The port 78 can also be configured to allow electrical potential to pass between the batteries 74 with a power source via the connector.  The port 78 may be used to program or calibrate different operations of the mirror illumination or object sensing when connect to a computer.  Other charging methods can be used, such as via conventional electric adapter to be plugged in to an electric outlet.
[0204]        The mirror assembly 2 can include an indicator device configured to issue a visual, audible, or other type of indication to a user of the mirror assembly 2 regarding a characteristic of the mirror assembly 2, the user, and/or the relationship between the mirror assembly 2 and the user.  For example, the indicator can indicate on/off status, battery levels, imminent deactivation, and/or certain mode of operation.  The indicator can be used for other purposes as well.
[0205]        In certain embodiments, the color of the indicator light can vary depending on the indication.  For example, the indicator can emit a green light when the mirror assembly is turned on and/or a red light when the battery is running low.  The indicator can comprise a light bar that indicates the total battery life (decreasing length with decreasing battery life).  In some embodiments, the indicator can ring-shaped and positioned around a portion of the shaft portion 30.  The indicator can take on any other shape and be positioned around the head portion 40 (e.g., behind a portion of a 2-way mirrored area), along the base portion 20, or on any other location on the mirror assembly 2.  
[0206]        In some embodiments, as shown in Figures 24A-B, a supplemental (e.g., additional) mirror can be provided.  This additional mirror 100 can be used to supplement the image provided on the mirrors 52, 54, 56 by providing additional views of the user.  For instance, in some embodiments, where the mirrored surfaces 52, 54, 56 of the mirror assembly 2 are flat, the additional mirror 100 can be parabolic (e.g., concave) and/or can provide magnified views of the user.  In certain implementations, the parabolic shape of the additional mirror can allow the user to increase or decrease magnification by moving closer or farther from the additional mirror 100.  The radius of curvature and focal length of the additional mirror can vary as described elsewhere herein.  In some embodiments, the additional mirror is convex and provides a smaller image of the user.  This smaller image can be used to more easily allow the user look at the back of his or her head or to provide additional viewing angles of the user.  
[0207]        In some embodiments, a plurality of additional mirrors are provided (1, 2, 3, 4, or more) where each additional mirror provides a different type of image to the user (higher or lower magnification, tinted mirrors, colored mirrors, for example).  In some embodiments, a single additional mirror itself can provide multiple different images.  For instance, an additional mirror can have one face on a side and another different face on the opposite side.  One face of the additional mirror could be concave providing a first magnification (e.g., 10x) and the other side of the mirror (the back surface) could be concave providing a second magnification (e.g., 2x) that is different or less than or greater than the first magnification.  Any other first and second different optical features can be provided by the supplemental mirror, on its respective opposing sides, or as compared to one or more of the mirrored surfaces of the mirror system.  For example, either or both of the surfaces of the supplemental mirror, as compared to each other or as compared to one or more mirrored surfaces of the mirror system, can provide different reflectivity levels or different light filtering or different magnification levels.  In this configuration, by simply flipping the additional mirror from one side to the other, magnification or another feature of the mirror can be changed.  
[0208]        As shown in Figures 24A-B, in certain implementations, the additional mirror 100 can be affixed (stuck, adhered, attached, etc.) to a mirrored surface of the mirror assembly 2.  In some implementations, the mirror is affixed using a coupling implement, such as one selected from one or more of a magnet, suction cup, glue or silicon adhesive, a sticky pad(s), or the like (not pictured).  In some embodiments, the additional mirror 100 can be removed and reaffixed to the mirror assembly 2 as many times as desired by the user and in any position on the mirror assembly (e.g., on any portion of a mirrored surface 52, 54, 56).  
[0209]        In some variants, the additional mirror 100 can be removed from the mirror assembly 2 to provide an unobstructed view of the image provided by the mirror assembly.  In certain implementations, as shown in Figures 24C-D, when the additional mirror is not in use, it can be stored out of view (e.g., on the back of the mirror assembly 2).  As shown in Figures 24 C-D, the additional mirror can be stored on the back of the mirror assembly 2 using clamps 102.  In other variants, the additional mirror can be stored by, for example, magnetically attaching it to a portion of the mirror assembly (e.g., the back/non-mirrored surface of the mirror assembly), by sliding it into a slot provided on the back or side of the mirror assembly (e.g., a pocket, port, or drawer provided on the mirror assembly), by hanging it from the mirror assembly (e.g., using retractable or static hooks or clips that project from a portion of the additional mirror or from the mirror assembly), or by otherwise attaching the additional mirror to the mirror assembly (e.g., with adhesives, etc.).  Just as the additional mirror can be affixed anywhere to the front of the mirror (e.g.., an upper, lower, or central portion near the top, side, middle of the mirror), in some embodiments, the addition mirror can be stored anywhere on the back of the mirror (e.g., an upper, lower, or central portion near the top, side, middle of the back of the mirror). 
[0210]        In some variants, as shown in Figures 24A-D, the additional mirror 100 is circular.  In other embodiments, the additional mirror is another shape (square, rectangular, oval, etc.).  In certain implementations, the additional mirror 100 is at least about 2, 3, 4, or 5 inches in diameter (or width or height).  In some embodiments, the additional mirror is sized to fit easily in a user’s palm so that it can be handheld and manipulated easily when not attached to the mirror assembly.  
[0211]        Although the vanity mirror has been disclosed in the context of certain embodiments and examples, it will be understood by those skilled in the art that the present disclosure extends beyond the specifically disclosed embodiments to other alternative embodiments and/or uses of the subject matter and obvious modifications and equivalents thereof.  In addition, while several variations of the vanity mirror have been described in detail, other modifications, which are within the scope of the present disclosure, will be readily apparent to those of skill in the art based upon this disclosure.  It is also contemplated that various combinations or sub-combinations of the specific features and aspects of the embodiments can be made and still fall within the scope of the present disclosure.  It should be understood that various features and aspects of the disclosed embodiments can be combined with or substituted for one another in order to form varying modes of the vanity mirror.  Thus, it is intended that the scope of the subject matter herein disclosed should not be limited by the particular disclosed embodiments described above.
[0212]        Any of the vanity mirror features, structures, steps, or processes disclosed in this specification can be included in any embodiment.  The light scattering elements in the region generally adjacent the light source can be smaller compared to the light scattering elements in the region spaced from, or generally opposite from, or generally furthest from, the light source.  The light source can be positioned near an upper portion of the mirror.  The light pipe can be disposed along substantially all of the periphery of the mirror.  The light source can emit light in a direction generally orthogonal to a standard viewing direction of the mirror.  The light source can emit light into the first end, and another light source can emit light into the second end.  In some embodiments, the light scattering elements can be generally uniformly distributed along at least a portion of the light pipe.  
[0213]        Certain aspects of this disclosure are directed toward a mirror assembly including a mirror coupled with a housing portion and one or more light sources disposed at a periphery of the mirror.  The one or more light sources can be configured to emit light in a direction generally orthogonal to a primary viewing direction of the mirror.  The light pipe can have a length and can be disposed along substantially all of the periphery of the mirror.  The light pipe can be configured to receive light from the one or more light sources and distribute the light generally consistently along the length, thereby providing a generally constant level of illumination to the periphery of the mirror.
[0214]        Any of the vanity mirror features, structures, steps, or processes disclosed in this specification can be included in any embodiment.  The one or more light sources can include a first light source configured to project light in a first direction around the periphery of the mirror and a second light source configured to project light in a second direction around the periphery of the mirror.  The one or more light sources can be two light sources.  Each of the light sources can use less than or equal to about three watts of power.  The one or more light sources can have a color rendering index of at least about 90.  The one or more light sources can include light emitting diodes.  The light pipe can be configured to transmit at least about 95% of the light emitted from the one or more light sources.
[0215]        Certain aspects of this disclosure are directed toward methods of manufacturing a mirror assembly, such as any of the mirror assemblies disclosed in this specification.  The methods can include coupling a mirror and a housing portion.  The method can include disposing a light source at a periphery of the mirror.  The method can include positioning a light pipe around at least a portion of the periphery of the mirror.  The method can include disposing a plurality of light scattering elements along the length of a light pipe.  In certain embodiments, the plurality of light scattering elements can have a pattern density.  The light scattering elements can be configured to encourage a portion of the light impacting the light scattering elements to be emitted out of the light pipe.  The pattern density can be less dense in a region generally adjacent the light source, and the pattern density can be more dense in a region generally opposite from, spaced from, or furthest from, the light source along the periphery of the mirror, thereby facilitating a substantially constant amount of light emitted along the length of the light pipe.  In certain embodiments, the method can include positioning the light source near an upper portion of the mirror.  In certain embodiments, the method can include positioning the light source to emit light in a direction generally orthogonal to a main viewing direction of the mirror.  In certain embodiments, the method can include positioning the light source to emit light into a first end of the light pipe and positioning another light source to emit light into a second end of the light pipe.  In certain embodiments, the method can include disposing the light scattering elements in a generally uniform pattern along at least a portion of the light pipe.  
[0216]        Certain aspects of this disclosure are directed toward a mirror assembly having a housing portion, a mirror, one or more light sources, a proximity sensor, and an electronic processor.  The mirror can be coupled with the housing portion.  The one or more light sources can be disposed at a periphery of the mirror.  The proximity sensor can be configured to detect an object within a sensing region.  The proximity sensor can be configured to generate a signal indicative of a distance between the object and the proximity sensor.  The electronic processor can be configured to generate an electronic signal to the one or more light sources for emitting a level of light that varies depending on the distance between the object and the sensor.
[0217]        Any of the vanity mirror features, structures, steps, or processes disclosed in this specification can be included in any embodiment.  For example, the proximity sensor can be positioned generally near a top region of the mirror.  The electronic processor can be configured to generate an electronic signal to the one or more light sources to deactivate if the proximity sensor does not detect the presence and/or movement of the object for a predetermined period of time.  The proximity sensor can be configured to have increased sensitivity after the proximity sensor detects the object (e.g., by increasing the trigger zone distance, by increasing the sensitivity to movement within a trigger zone, and/or by increasing the time period until deactivation).  The mirror assembly can include an ambient light sensor configured to detect a level of ambient light.  In some embodiments, the sensing region can extend from about 0 degrees to about 45 degrees downward relative to an axis extending from the proximity sensor.  The proximity sensor can be mounted at an angle relative to a viewing surface of the mirror.  The mirror assembly can include a lens cover positioned near the proximity sensor.  In certain embodiments, a front surface of the lens cover can be positioned at an angle relative to the proximity sensor.  The mirror assembly can include a light pipe having a length and being disposed along substantially all of the periphery of the mirror.  The light pipe can be configured to receive light from the one or more light sources and distribute the light generally consistently along the length, thereby providing a substantially constant level of illumination to the periphery of the mirror.
[0218]        Certain aspects of this disclosure are directed toward a variety of different methods of manufacturing a mirror assembly.  The methods can include coupling a mirror with a housing portion.  The methods can include disposing one or more light sources at a periphery of the mirror.  The methods can include configuring a proximity sensor to generate a signal indicative of a distance between an object and the proximity sensor.  The methods can include configuring an electronic processor to generate an electronic signal to the one or more light sources for emitting a level of light that varies depending on the distance between the object and the sensor.
[0219]        Any methods of manufacturing the mirror assembly can include a variety of different steps.  For example, some methods can include positioning the proximity sensor generally near a top region of the mirror.  The methods can include configuring the electronic processor to generate an electronic signal to the one or more light sources to deactivate if the proximity sensor does not detect the object for a period of time.  The methods can include configuring the proximity sensor to have increased sensitivity after the proximity sensor detects the object.  The methods can include configuring an ambient light sensor to detect a level of ambient light.  The methods can include configuring the proximity sensor to detect an object within a sensing region extending from about 0 degrees to about 45 degrees downward relative to an axis extending from the proximity sensor.  The methods can include mounting the proximity sensor at an angle relative to a viewing surface of the mirror.  The methods can include positioning a lens cover near the proximity sensor.  In certain embodiments, the method can include positioning a front surface of the lens cover at an angle relative to the proximity sensor.  The methods can include disposing a light pipe along substantially all of the periphery of the mirror.  The light pipe can be configured to receive light from the one or more light sources and distribute the light generally consistently along the length, thereby providing a substantially constant level of illumination to the periphery of the mirror.
[0220]        For purposes of summarizing the disclosure, certain aspects, advantages and features of the inventions have been described herein.  It is to be understood that not necessarily any or all such advantages are achieved in accordance with any particular embodiment of the inventions disclosed herein.  No aspects of this disclosure are essential or indispensable.  In many embodiments, the mirror system may be configured differently than illustrated in the figures or description herein.  For example, various functionalities provided by the illustrated modules can be combined, rearranged, added, or deleted.  In some embodiments, additional or different processors or modules may perform some or all of the functionalities described with reference to the example embodiment described and illustrated in the figures.  Many implementation variations are possible.
1. A mirror assembly comprising:
a first mirror; 
a second mirror disposed laterally adjacent to the first mirror and in mechanical communication with the first mirror via a hinge, the hinge configured to allow movement of the second mirror with respect to the first mirror such that a reflective face of the first mirror and a reflective face of the second mirror are configured to form a plurality of angles α relative to each another;
a light source disposed on or in the mirror assembly such that the light source is configured to emit light at a user in a manner that causes the light to be reflected back to the one or more mirrored surfaces, the light source comprising: 
at least a first light emitting diode and a second light emitting diode  disposed to emit light in a general direction along a length of a first light path; 
a controller configured to adjust relative light intensities of at least the first light emitting diode and the second light emitting diode to selectively simulate a plurality of different lighting environments including natural sunlight and indoor light.
2. The mirror assembly of claim 1, wherein the first light emitting diode emits light of a first color temperature and second light emitting diode emits light of second, different color temperature.  
3. The mirror assembly of claim 1 or 2, wherein the first light emitting diode emits light of a first color and second light emitting diode emits light of second, different color.  
4. The mirror assembly of any one of claims 1 to 3, wherein the controller allows a user to control one or more of the color, brightness, or color temperature of light emitted from the light source.  
5. The mirror assembly of any one of claims 1 to 4, wherein the controller allows a user to produce an emitted light from the light source having a color temperature in a range from about 2700 K to about 6500K.   
6. The mirror assembly of any one of claims 1 to 5, wherein angle α ranges from about 90° to about 180°.
7. The mirror assembly of any one of claims 1 to 6, wherein the controller comprises a capacitive touch sensor in electronic communication with the light source and configured to transmit information sent by a user to the light source.  
8. The mirror assembly of any one of claims 1 to 7, wherein the controller receives commands sent by a user.
9. The mirror assembly of claim 8, wherein the user sends information to the controller using one or more of a computer, a mobile device, or a NEST (Registered trademark) system.
10. The mirror assembly of claim 9, wherein the computer, the mobile device, or the NEST (Registered trademark) system is in wireless communication with the controller.
11. The mirror assembly of claim 9 or 10, wherein the computer is a handheld device.
12. The mirror assembly of any one of claims 1 to 11, further comprising a sensor assembly comprising a transmitter and a receiver, wherein the sensor is configured to relay information to the controller.  
13. The mirror assembly of claim 12, wherein the sensor assembly comprises a housing, a gasket, and a cover, wherein the housing supports the transmitter and the receiver and the gasket provides a seal between the cover and the housing preventing electromagnetic radiation from bleeding from the transmitter to the receiver.  
14. The mirror assembly of any one of claims 1 to 13, wherein the mirror assembly further comprises: 
a third mirror laterally adjacent to the first mirror and on a side of the first mirror opposite the second mirror, wherein the third mirror is in communication with the first mirror via a second hinge, the second hinge configured to allow movement of the third mirror with respect to the first mirror such that a reflective face of the first mirror and a reflective face of the third mirror are able to form angles α’ relative to one another;
a second light source disposed to a side of the first mirror and disposed to emit light in a general direction along a second light path; and
wherein the second light path is disposed so that the length of the second light path is adjacent to at least a portion of a periphery of the third mirror. 
15. The mirror assembly of claim 14, wherein the first light source is disposed between the first mirror and the second mirror and the second light source is disposed between the first mirror and the third mirror.  
16. The mirror assembly of any one of claims 1 to 15, wherein the hinge comprises a cam configured reduce the distance between the first mirror and the second mirror during opening of the hinge.  
17. The mirror assembly of any one of claims 1 to 16, further comprising a light scattering region disposed along the length of the light path and having a gradient of light scattering elements with a lower density of light scattering elements nearer the first and second light emitting diodes and a higher density of light scattering elements farther from the light emitting diodes, the light scattering elements configured to encourage a portion of the light contacting the light scattering region to be emitted out of the light path and toward a user of the mirror assembly, thereby facilitating a substantially constant amount of light emitted along the length of the light path.  
18. The mirror assembly of any one of claims 1 to 17, further comprising: 
a shaft portion connected to the head portion via a pivoting joint; and 
a base portion connected to the shaft portion at a distal side of the shaft with respect to the head, the base portion configured to support the mirror assembly and to allow the mirror assembly to stand substantially upright on a surface.
19. The mirror assembly of any one of claims 1 to 18, further comprising an additional mirror that is configured to reversibly adhere to the mirror assembly to provide an additional view of a user.  
20. The mirror assembly of any one of claims 1 to 19, further comprising an alarm feature that provides a sensory cue to a user.  
21. The mirror assembly of any one of claims 1 to 20, further comprising an LCD screen disposed behind a portion of mirror and visible only when activated, wherein the LCD screen provides visual information a user.  
22. A method of manufacturing a mirror assembly comprising: 
coupling a first mirror section to a second mirror section using a hinge;
attaching a light source comprising at least a first light emitting diode and a second light emitting diode to the mirror assembly such that the light source is configured to emit light toward a user for reflection back to the first and second mirror sections; and
disposing a controller within the mirror assembly, the controller configured to adjust relative light intensities of at least the first light emitting diode and the second light emitting diode to selectively simulate a plurality of different lighting states, including indoor lighting and natural sunlight;
wherein the controller is configured to communicate wirelessly with a mobile communication device in a manner that permits the mobile communication device to provide one or more instructions to the controller regarding actuation of the plurality of different lighting states by the mirror assembly.  
1. Abstract
A mirror assembly can include a housing, a mirror, and a light source.  In some embodiments, the mirror comprises one or more adjustable sections.  In certain embodiments, the mirror includes a light column configured to emit a substantially constant amount of light along a periphery of a mirror section.  In some embodiments, the light column can produce various color temperatures.  In some embodiments, the mirror assembly comprises a capacitive touch sensor that allows control of one or more features of the light emitted from the light source.  In some embodiments, the mirror assembly includes a sensor assembly.  The sensor assembly can be configured control on/off settings and other features of the emitted light.
Ｆｉｇ１
2016179173.tif 000032
Ｆｉｇ２
2016179173.tif 000033
Ｆｉｇ３
2016179173.tif 000034
Ｆｉｇ４
2016179173.tif 000035
Ｆｉｇ５
2016179173.tif 000036
Ｆｉｇ６
2016179173.tif 000037
Ｆｉｇ７
2016179173.tif 000038
Ｆｉｇ８
2016179173.tif 000039
Ｆｉｇ９
2016179173.tif 000040
Ｆｉｇ１０
2016179173.tif 000041
Ｆｉｇ１１
2016179173.tif 000042
Ｆｉｇ１２
2016179173.tif 000043
Ｆｉｇ１３
2016179173.tif 000044
Ｆｉｇ１４Ａ
2016179173.tif 000045
Ｆｉｇ１４Ｂ
2016179173.tif 000046
Ｆｉｇ１４Ｃ
2016179173.tif 000047
Ｆｉｇ１５
2016179173.tif 000048
Ｆｉｇ１６
2016179173.tif 000049
Ｆｉｇ１７
2016179173.tif 000050
Ｆｉｇ１８
2016179173.tif 000051
Ｆｉｇ１９
2016179173.tif 000052
Ｆｉｇ２０
2016179173.tif 000053
Ｆｉｇ２１
2016179173.tif 000054
Ｆｉｇ２２
2016179173.tif 000055
Ｆｉｇ２３
2016179173.tif 000056
Ｆｉｇ２４Ａ
2016179173.tif 000057
Ｆｉｇ２４Ｂ
2016179173.tif 000058
Ｆｉｇ２４Ｃ
2016179173.tif 000059
Ｆｉｇ２４Ｄ
2016179173.tif 000060